(57)【要約】  本発明の実施形態は、電力使用状態情報伝送方法および電力使用状態情報伝送装置を提供する。本発明による、電力使用状態情報を伝送するための伝送方法は、端末デバイスが、端末デバイスに対応する第2のセルの電力余力PHを決定するステップと、端末デバイスが第1のネットワークデバイスへ、PHおよびPHに対応するチャネル構成情報を送信するステップと、を含む。本発明の実施形態によれば、第1のネットワークデバイスは、PHおよびチャネル構成情報に従って、端末デバイスに対応する第2のセルの電力使用状態を容易に取得することができる。このようにして、異なるネットワークデバイス間でのUEの送信電力を適正に割り振ることができ、したがって、システムリソースが適正に使用される。
2016540447.tif 000002
【特許請求の範囲】
【請求項１】
端末デバイスが、前記端末デバイスに対応する第2のセルの電力余力PHを決定するステップと、
前記端末デバイスが第1のネットワークデバイスへ、前記PHおよび前記PHに対応するチャネル構成情報を送信するステップであって、前記第1のネットワークデバイスは第1のセルを制御するネットワークデバイスである、前記PHおよび前記PHに対応するチャネル構成情報を送信するステップと
を含む、電力使用状態情報伝送方法。
【請求項２】
前記チャネルは、
物理アップリンク共有チャネルPUSCHおよび物理アップリンク制御チャネルPUCCH
のうちの少なくとも1つのチャネルを含む、請求項1に記載の方法。
【請求項３】
前記チャネル構成情報は、
リソースブロックRBの数量、スケジューリング許可方式、伝送フォーマット情報、およびチャネル送信状態情報
のうちの少なくとも1つの情報を含む、請求項1または2に記載の方法。
【請求項４】
前記スケジューリング許可方式は、
半永続的スケジューリング許可、動的スケジューリング許可、およびランダムアクセス応答許可
のうちの少なくとも1つの方式を含む、請求項3に記載の方法。
【請求項５】
前記伝送フォーマット情報は、
PUSCHのビット情報、PUSCHが制御情報だけを搬送するかどうか、PUCCHの伝送フォーマット、およびPUCCH伝送のビット情報
のうちの少なくとも1つの情報を含む、請求項3に記載の方法。
【請求項６】
端末デバイスが、前記端末デバイスに対応する第2のセルのPHを決定する前記ステップの前に、
前記端末デバイスが、前記第1のネットワークデバイスによって送信された通知シグナリングを受信するステップであって、前記通知シグナリングは、前記端末デバイスに、前記第1のネットワークデバイスへ、前記端末デバイスに対応する前記第2のセルの前記PHおよび前記PHに対応する前記チャネル構成情報を送信するよう命令するのに使用される、前記第1のネットワークデバイスによって送信された通知シグナリングを受信するステップ
をさらに含む、請求項1から5のいずれか一項に記載の方法。
【請求項７】
第2のセルのサブフレームにチャネル伝送が存在し、電力余力PHが前記第2のセルの前記サブフレームに対応するときに、端末デバイスが、前記端末デバイスに対応する前記第2のセルの前記PHを決定するステップと、
前記端末デバイスが第1のネットワークデバイスへ、前記PHおよび前記PHに対応する最大送信電力を送信するステップであって、前記第1のネットワークデバイスは第1のセルを制御するネットワークデバイスであり、前記PHは、事前定義されたチャネル構成情報に基づく、またはシグナリングによって構成されたチャネル構成情報に基づく前記端末デバイスによる計算を介して獲得され、前記PHに対応する前記最大送信電力は、前記PHに対応する前記第2のセルの前記サブフレームにおいて前記第2のセルのために前記端末デバイスによって構成される最大送信電力である、PHおよびPHに対応する最大送信電力を送信するステップと
を含む、電力使用状態情報伝送方法。
【請求項８】
前記チャネルは、
物理アップリンク共有チャネルPUSCHおよび物理アップリンク制御チャネルPUCCH
のうちの少なくとも1つのチャネルを含む、請求項7に記載の方法。
【請求項９】
前記チャネル構成情報は、
リソースブロックRBの数量、スケジューリング許可方式、伝送フォーマット情報、およびチャネル送信状態情報
のうちの少なくとも1つの情報を含む、請求項7または8に記載の方法。
【請求項１０】
前記スケジューリング許可方式は、
半永続的スケジューリング許可、動的スケジューリング許可、およびランダムアクセス応答許可
のうちの少なくとも1つの方式を含む、請求項9に記載の方法。
【請求項１１】
前記伝送フォーマット情報は、
PUSCHのビット情報、PUSCHが制御情報だけを搬送するかどうか、PUCCHの伝送フォーマット、およびPUCCH伝送のビット情報
のうちの少なくとも1つの情報を含む、請求項9に記載の方法。
【請求項１２】
端末デバイスが、前記端末デバイスに対応する前記第2のセルの前記PHを決定する前記ステップの前に、
前記端末デバイスが、前記第1のネットワークデバイスによって送信された通知シグナリングを受信するステップであって、前記通知シグナリングは、前記端末デバイスに、前記第1のネットワークデバイスへ、前記端末デバイスに対応する前記第2のセルの前記PHおよび前記PHに対応する前記最大送信電力を送信するよう命令するのに使用される、前記第1のネットワークデバイスによって送信された通知シグナリングを受信するステップ
をさらに含む、請求項7から11のいずれか一項に記載の方法。
【請求項１３】
前記端末デバイスが第1のネットワークデバイスへ、前記PHおよび前記PHに対応する最大送信電力を送信する前記ステップの前に、
前記端末デバイスが、前記シグナリングを受信するステップであって、前記シグナリングは前記チャネル構成情報を含む、前記シグナリングを受信するステップ
をさらに含む、請求項7から12のいずれか一項に記載の方法。
【請求項１４】
第1のネットワークデバイスが、端末デバイスによって送信される、前記端末デバイスに対応する第2のセルの電力余力PHおよび前記PHに対応するチャネル構成情報を受信するステップであって、前記第1のネットワークデバイスは第1のセルを制御するネットワークデバイスである、端末デバイスに対応する第2のセルの電力余力PHおよび前記PHに対応するチャネル構成情報を受信するステップと、
前記PHおよび前記チャネル構成情報に従って前記第1のネットワークデバイスが、前記端末デバイスに対応する前記第2のセルの電力使用状態を取得するステップと
を含む、電力使用状態情報伝送方法。
【請求項１５】
前記チャネルは、
物理アップリンク共有チャネルPUSCHおよび物理アップリンク制御チャネルPUCCH
のうちの少なくとも1つのチャネルを含む、請求項14に記載の方法。
【請求項１６】
前記チャネル構成情報は、
リソースブロックRBの数量、スケジューリング許可方式、伝送フォーマット情報、およびチャネル送信状態情報
のうちの少なくとも1つの情報を含む、請求項14または15に記載の方法。
【請求項１７】
前記スケジューリング許可方式は、
半永続的スケジューリング許可、動的スケジューリング許可、およびランダムアクセス応答許可
のうちの少なくとも1つの方式を含む、請求項16に記載の方法。
【請求項１８】
前記伝送フォーマット情報は、
PUSCHのビット情報、PUSCHが制御情報だけを搬送するかどうか、PUCCHの伝送フォーマット、およびPUCCH伝送のビット情報
のうちの少なくとも1つの情報を含む、請求項16に記載の方法。
【請求項１９】
前記PHおよび前記チャネル構成情報に従って前記第1のネットワークデバイスが、前記端末デバイスに対応する前記第2のセルの電力使用状態を取得する前記ステップの後に、
前記第1のネットワークデバイスが、前記電力使用状態に従って前記端末デバイスに関する協調スケジューリングを行うステップ
をさらに含む、請求項14から18のいずれか一項に記載の方法。
【請求項２０】
前記第1のネットワークデバイスが、前記電力使用状態に従って前記端末デバイスに関する協調スケジューリングを行う前記ステップは、
前記第1のネットワークデバイスが、前記電力使用状態に従って前記端末デバイスのために第2のネットワークデバイスのスケジューリングを制御するステップであって、前記第2のネットワークデバイスは前記第2のセルを制御するネットワークデバイスである、第2のネットワークデバイスのスケジューリングを制御するステップ、および／または
前記第1のネットワークデバイスが、前記電力使用状態に従って前記端末デバイスのために前記第1のネットワークデバイスのスケジューリングを制御するステップ
を含む、請求項19に記載の方法。
【請求項２１】
前記第1のネットワークデバイスが、前記電力使用状態に従って前記端末デバイスのために第2のネットワークデバイスのスケジューリングを制御する前記ステップは、
前記電力使用状態に従って前記第1のネットワークデバイスが、前記第2のネットワークデバイスがその下で前記端末デバイスに関するスケジューリングを行うことができるスケジューリング制限条件を計算するステップと、
前記第1のネットワークデバイスが、前記第2のネットワークデバイスへ制御シグナリングを送信するステップであって、前記制御シグナリングは前記スケジューリング制限条件を含む、制御シグナリングを送信するステップと
を含む、請求項20に記載の方法。
【請求項２２】
前記第1のネットワークデバイスが、前記第2のネットワークデバイスへ制御シグナリングを送信する前記ステップの後に、
前記第1のネットワークデバイスが、前記電力使用状態および前記スケジューリング制限条件に従って前記端末デバイスのために前記第1のネットワークデバイスのスケジューリングを決定するステップ
をさらに含む、請求項21に記載の方法。
【請求項２３】
第1のネットワークデバイスが、端末デバイスによって送信される、前記端末デバイスに対応する第2のセルの電力余力PHおよび前記PHに対応するチャネル構成情報を受信する前記ステップの前に、
前記第1のネットワークデバイスが、前記端末デバイスが前記第1のネットワークデバイスへ前記PHおよび前記チャネル構成情報を送信するように、前記端末デバイスへ通知シグナリングを送信するステップ
をさらに含む、請求項14から22のいずれか一項に記載の方法。
【請求項２４】
第2のセルのサブフレームにチャネル伝送が存在し、電力余力PHが前記第2のセルの前記サブフレームに対応するときに、第1のネットワークデバイスが、端末デバイスによって送信される、前記端末デバイスに対応する前記第2のセルの前記PHおよび前記PHに対応する最大送信電力を受信するステップであって、前記第1のネットワークデバイスは第1のセルを制御するネットワークデバイスである、端末デバイスに対応する前記第2のセルの前記PHおよび前記PHに対応する最大送信電力を受信するステップと、
前記PHおよび前記最大送信電力に従って前記第1のネットワークデバイスが、前記端末デバイスに対応する前記第2のセルの電力使用状態を取得するステップであって、前記PHは、事前定義されたチャネル構成情報に基づく、またはシグナリングによって構成されたチャネル構成情報に基づく前記端末デバイスによる計算を介して獲得され、前記PHに対応する前記最大送信電力は、前記PHに対応する前記第2のセルの前記サブフレームにおいて前記第2のセルのために端末デバイスによって構成される最大送信電力である、前記端末デバイスに対応する前記第2のセルの電力使用状態を取得するステップと
を含む、電力使用状態情報伝送方法。
【請求項２５】
前記チャネルは、
物理アップリンク共有チャネルPUSCHおよび物理アップリンク制御チャネルPUCCH
のうちの少なくとも1つのチャネルを含む、請求項24に記載の方法。
【請求項２６】
前記チャネル構成情報は、
リソースブロックRBの数量、スケジューリング許可方式、伝送フォーマット情報、およびチャネル送信状態情報
のうちの少なくとも1つの情報を含む、請求項24または25に記載の方法。
【請求項２７】
前記スケジューリング許可方式は、
半永続的スケジューリング許可、動的スケジューリング許可、およびランダムアクセス応答許可
のうちの少なくとも1つの方式を含む、請求項26に記載の方法。
【請求項２８】
前記伝送フォーマット情報は、
PUSCHのビット情報、PUSCHが制御情報だけを搬送するかどうか、PUCCHの伝送フォーマット、およびPUCCH伝送のビット情報
のうちの少なくとも1つの情報を含む、請求項26に記載の方法。
【請求項２９】
前記PHおよび前記最大送信電力に従って前記第1のネットワークデバイスが、前記端末デバイスに対応する前記第2のセルの電力使用状態を取得する前記ステップの後に、
前記第1のネットワークデバイスが、前記電力使用状態に従って前記端末デバイスに関する協調スケジューリングを行うステップ
をさらに含む、請求項24から28のいずれか一項に記載の方法。
【請求項３０】
前記第1のネットワークデバイスが、前記電力使用状態に従って前記端末デバイスに関する協調スケジューリングを行う前記ステップは、
前記第1のネットワークデバイスが、前記電力使用状態に従って前記端末デバイスのために第2のネットワークデバイスのスケジューリングを制御するステップであって、前記第2のネットワークデバイスは前記第2のセルを制御するネットワークデバイスである、第2のネットワークデバイスのスケジューリングを制御するステップ、および／または
前記第1のネットワークデバイスが、前記電力使用状態に従って前記端末デバイスのために前記第1のネットワークデバイスのスケジューリングを制御するステップ
を含む、請求項29に記載の方法。
【請求項３１】
前記第1のネットワークデバイスが、前記電力使用状態に従って前記端末デバイスのために第2のネットワークデバイスのスケジューリングを制御する前記ステップは、
前記電力使用状態に従って前記第1のネットワークデバイスが、前記第2のネットワークデバイスがその下で前記端末デバイスに関するスケジューリングを行うことができるスケジューリング制限条件を計算するステップと、
前記第1のネットワークデバイスが、前記第2のネットワークデバイスへ制御シグナリングを送信するステップであって、前記制御シグナリングは前記スケジューリング制限条件を含む、制御シグナリングを送信するステップと
を含む、請求項30に記載の方法。
【請求項３２】
前記第1のネットワークデバイスが、前記第2のネットワークデバイスへ制御シグナリングを送信する前記ステップの後に、
前記第1のネットワークデバイスが、前記電力使用状態および前記スケジューリング制限条件に従って前記端末デバイスのために前記第1のネットワークデバイスのスケジューリングを決定するステップ
をさらに含む、請求項31に記載の方法。
【請求項３３】
第1のネットワークデバイスが、端末デバイスによって送信される、前記端末デバイスに対応する前記第2のセルの前記電力余力PHおよび前記PHに対応する最大送信電力を受信する前記ステップの前に、
前記第1のネットワークデバイスが、前記端末デバイスが前記第1のネットワークデバイスへ前記PHおよび前記PHに対応する前記最大送信電力を送信するように、前記端末デバイスへ通知シグナリングを送信するステップ
をさらに含む、請求項24から32のいずれか一項に記載の方法。
【請求項３４】
第1のネットワークデバイスが、端末デバイスによって送信される、前記端末デバイスに対応する前記第2のセルの前記電力余力PHおよび前記PHに対応する最大送信電力を受信する前記ステップの前に、
前記第1のネットワークデバイスが、前記端末デバイスへ前記シグナリングを送信するステップであって、前記シグナリングは前記チャネル構成情報を含む、前記端末デバイスへ前記シグナリングを送信するステップ
をさらに含む、請求項24から33のいずれか一項に記載の方法。
【請求項３５】
第1のネットワークデバイスが、第2のネットワークデバイスによって送信されたシグナリングを受信するステップであって、前記第1のネットワークデバイスは第1のセルを制御するネットワークデバイスであり、前記第2のネットワークデバイスは第2のセルを制御するネットワークデバイスであり、前記シグナリングは、端末デバイスに対応する前記第2のセルの電力余力PHおよび前記PHに対応するチャネル構成情報を含む、第2のネットワークデバイスによって送信されたシグナリングを受信するステップと、
前記PHおよび前記チャネル構成情報に従って前記第1のネットワークデバイスが、前記端末デバイスに対応する前記第2のセルの電力使用状態を取得するステップと
を含む、電力使用状態情報伝送方法。
【請求項３６】
前記チャネルは、
物理アップリンク共有チャネルPUSCHおよび物理アップリンク制御チャネルPUCCH
のうちの少なくとも1つのチャネルを含む、請求項35に記載の方法。
【請求項３７】
前記チャネル構成情報は、
リソースブロックRBの数量、スケジューリング許可方式、伝送フォーマット情報、およびチャネル送信状態情報
のうちの少なくとも1つの情報を含む、請求項35または36に記載の方法。
【請求項３８】
前記スケジューリング許可方式は、
半永続的スケジューリング許可、動的スケジューリング許可、およびランダムアクセス応答許可
のうちの少なくとも1つの方式を含む、請求項37に記載の方法。
【請求項３９】
前記伝送フォーマット情報は、
PUSCHのビット情報、PUSCHが制御情報だけを搬送するかどうか、PUCCHの伝送フォーマット、およびPUCCH伝送のビット情報
のうちの少なくとも1つの情報を含む、請求項37に記載の方法。
【請求項４０】
前記PHおよび前記チャネル構成情報に従って前記第1のネットワークデバイスが、前記端末デバイスに対応する前記第2のセルの電力使用状態を取得する前記ステップの後に、
前記第1のネットワークデバイスが、前記電力使用状態に従って前記端末デバイスに関する協調スケジューリングを行うステップ
をさらに含む、請求項35から39のいずれか一項に記載の方法。
【請求項４１】
前記第1のネットワークデバイスが、前記電力使用状態に従って前記端末デバイスに関する協調スケジューリングを行う前記ステップは、
前記第1のネットワークデバイスが、前記電力使用状態に従って前記端末デバイスのために前記第2のネットワークデバイスのスケジューリングを制御するステップであって、前記第2のネットワークデバイスは前記第2のセルを制御するネットワークデバイスである、前記第2のネットワークデバイスのスケジューリングを制御するステップ、および／または
前記第1のネットワークデバイスが、前記電力使用状態に従って前記端末デバイスのために前記第1のネットワークデバイスのスケジューリングを制御するステップ
を含む、請求項40に記載の方法。
【請求項４２】
前記第1のネットワークデバイスが、前記電力使用状態に従って前記端末デバイスのために前記第2のネットワークデバイスのスケジューリングを制御する前記ステップは、
前記電力使用状態に従って第前記1のネットワークデバイスが、前記第2のネットワークデバイスがその下で前記端末デバイスに関するスケジューリングを行うことができるスケジューリング制限条件を計算するステップと、
前記第1のネットワークデバイスが、前記第2のネットワークデバイスへ制御シグナリングを送信するステップであって、前記制御シグナリングは前記スケジューリング制限条件を含む、制御シグナリングを送信するステップと
を含む、請求項41に記載の方法。
【請求項４３】
前記第1のネットワークデバイスが、前記第2のネットワークデバイスへ制御シグナリングを送信する前記ステップの後に、
前記第1のネットワークデバイスが、前記電力使用状態および前記スケジューリング制限条件に従って前記端末デバイスのために前記第1のネットワークデバイスのスケジューリングを決定するステップ
をさらに含む、請求項42に記載の方法。
【請求項４４】
第1のネットワークデバイスが、第2のネットワークデバイスによって送信されたシグナリングを受信する前記ステップの前に、
前記第2のネットワークデバイスが前記第1のネットワークデバイスへ、前記端末デバイスに対応する前記第2のセルの前記電力余力PHおよび前記PHに対応する前記チャネル構成情報を含む前記シグナリングを送信するように、前記第1のネットワークデバイスが前記第2のネットワークデバイスへ通知シグナリングを送信するステップ
をさらに含む、請求項35から43のいずれか一項に記載の方法。
【請求項４５】
第2のセルのサブフレームにチャネル伝送が存在し、電力余力PHが前記第2のセルの前記サブフレームに対応するときに、第1のネットワークデバイスが、第2のネットワークデバイスによって送信されたシグナリングを受信するステップであって、前記第1のネットワークデバイスは第1のセルを制御するネットワークデバイスであり、前記第2のネットワークデバイスは第2のセルを制御するネットワークデバイスであり、前記シグナリングは、端末デバイスに対応する前記第2のセルの前記PHおよび前記PHに対応する最大送信電力を含む、第2のネットワークデバイスによって送信されたシグナリングを受信するステップと、
前記PHおよび前記最大送信電力に従って前記第1のネットワークデバイスが、前記端末デバイスに対応する前記第2のセルの電力使用状態を取得するステップであって、前記PHは、事前定義されたチャネル構成情報に基づく、またはシグナリングによって構成されたチャネル構成情報に基づく前記端末デバイスによる計算を介して獲得され、前記PHに対応する前記最大送信電力は、前記PHに対応する前記第2のセルの前記サブフレームにおいて前記第2のセルのために端末デバイスによって構成される最大送信電力である、前記端末デバイスに対応する前記第2のセルの電力使用状態を取得するステップと
を含む、電力使用状態情報伝送方法。
【請求項４６】
前記チャネルは、
物理アップリンク共有チャネルPUSCHおよび物理アップリンク制御チャネルPUCCH
のうちの少なくとも1つのチャネルを含む、請求項45に記載の方法。
【請求項４７】
前記チャネル構成情報は、
リソースブロックRBの数量、スケジューリング許可方式、伝送フォーマット情報、およびチャネル送信状態情報
のうちの少なくとも1つの情報を含む、請求項45または46に記載の方法。
【請求項４８】
前記スケジューリング許可方式は、
半永続的スケジューリング許可、動的スケジューリング許可、およびランダムアクセス応答許可
のうちの少なくとも1つの方式を含む、請求項47に記載の方法。
【請求項４９】
前記伝送フォーマット情報は、
PUSCHのビット情報、PUSCHが制御情報だけを搬送するかどうか、PUCCHの伝送フォーマット、およびPUCCH伝送のビット情報
のうちの少なくとも1つの情報を含む、請求項47に記載の方法。
【請求項５０】
前記PHおよび前記最大送信電力に従って前記第1のネットワークデバイスが、前記端末デバイスに対応する前記第2のセルの電力使用状態を取得する前記ステップの後に、
前記第1のネットワークデバイスが、前記電力使用状態に従って前記端末デバイスに関する協調スケジューリングを行うステップ
をさらに含む、請求項45から49のいずれか一項に記載の方法。
【請求項５１】
前記第1のネットワークデバイスが、前記電力使用状態に従って前記端末デバイスに関する協調スケジューリングを行う前記ステップは、
前記第1のネットワークデバイスが、前記電力使用状態に従って前記端末デバイスのために前記第2のネットワークデバイスのスケジューリングを制御するステップであって、前記第2のネットワークデバイスは前記第2のセルを制御するネットワークデバイスである、前記第2のネットワークデバイスのスケジューリングを制御するステップ、および／または
前記第1のネットワークデバイスが、前記電力使用状態に従って前記端末デバイスのために前記第1のネットワークデバイスのスケジューリングを制御するステップ
を含む、請求項50に記載の方法。
【請求項５２】
前記第1のネットワークデバイスが、前記電力使用状態に従って前記端末デバイスのために前記第2のネットワークデバイスのスケジューリングを制御する前記ステップは、
前記電力使用状態に従って前記第1のネットワークデバイスが、前記第2のネットワークデバイスがその下で前記端末デバイスに関するスケジューリングを行うことができるスケジューリング制限条件を計算するステップと、
前記第1のネットワークデバイスが、前記第2のネットワークデバイスへ制御シグナリングを送信するステップであって、前記制御シグナリングは前記スケジューリング制限条件を含む、制御シグナリングを送信するステップと
を含む、請求項51に記載の方法。
【請求項５３】
前記第1のネットワークデバイスが、前記第2のネットワークデバイスへ制御シグナリングを送信する前記ステップの後に、
前記第1のネットワークデバイスが、前記電力使用状態および前記スケジューリング制限条件に従って前記端末デバイスのために前記第1のネットワークデバイスのスケジューリングを決定するステップ
をさらに含む、請求項52に記載の方法。
【請求項５４】
第1のネットワークデバイスが、第2のネットワークデバイスによって送信されたシグナリングを受信する前記ステップの前に、
前記第2のネットワークデバイスが、前記第1のネットワークデバイスへ、前記PHおよび前記PHに対応する前記最大送信電力を含む前記シグナリングを送信するように、前記第1のネットワークデバイスが、前記第2のネットワークデバイスへ通知シグナリングを送信するステップ
をさらに含む、請求項45から53のいずれか一項に記載の方法。
【請求項５５】
端末デバイスであって、
前記端末デバイスに対応する第2のセルの電力余力PHを決定するように構成された、決定モジュールと、
前記第1のネットワークデバイスへ、前記PHおよび前記PHに対応するチャネル構成情報を送信するように構成された送信モジュールであって、前記第1のネットワークデバイスは第1のセルを制御するネットワークデバイスである、送信モジュールと
を含む、端末デバイス。
【請求項５６】
前記チャネルは、
物理アップリンク共有チャネルPUSCHおよび物理アップリンク制御チャネルPUCCH
のうちの少なくとも1つのチャネルを含む、請求項55に記載のデバイス。
【請求項５７】
前記チャネル構成情報は、
リソースブロックRBの数量、スケジューリング許可方式、伝送フォーマット情報、およびチャネル送信状態情報
のうちの少なくとも1つの情報を含む、請求項55または56に記載のデバイス。
【請求項５８】
前記スケジューリング許可方式は、
半永続的スケジューリング許可、動的スケジューリング許可、およびランダムアクセス応答許可
のうちの少なくとも1つの方式を含む、請求項57に記載のデバイス。
【請求項５９】
前記伝送フォーマット情報は、
PUSCHのビット情報、PUSCHが制御情報だけを搬送するかどうか、PUCCHの伝送フォーマット、およびPUCCH伝送のビット情報
のうちの少なくとも1つの情報を含む、請求項57に記載のデバイス。
【請求項６０】
前記第1のネットワークデバイスによって送信された通知シグナリングを受信するように構成された受信モジュールであって、前記通知シグナリングは、前記端末デバイスに、前記第1のネットワークデバイスへ、前記端末デバイスに対応する前記第2のセルの前記PHおよび前記PHに対応するチャネルパラメータ構成情報を送信するよう命令するのに使用される、受信モジュール
をさらに含む、請求項55から59のいずれか一項に記載のデバイス。
【請求項６１】
端末デバイスであって、
第2のセルのサブフレームにチャネル伝送が存在し、電力余力PHが前記第2のセルの前記サブフレームに対応するときに、前記端末デバイスに対応する前記第2のセルの前記PHを決定するように構成された、決定モジュールと、
前記第1のネットワークデバイスへ、前記PHおよび前記PHに対応する最大送信電力を送信するように構成された送信モジュールであって、前記第1のネットワークデバイスは第1のセルを制御するネットワークデバイスであり、前記PHは、事前定義されたチャネル構成情報に基づく、またはシグナリングによって構成されたチャネル構成情報に基づく前記端末デバイスによる計算を介して獲得され、前記PHに対応する前記最大送信電力は、前記PHに対応する前記第2のセルの前記サブフレームにおいて前記第2のセルのために前記端末デバイスによって構成される最大送信電力である、送信モジュールと
を含む、端末デバイス。
【請求項６２】
前記チャネルは、
物理アップリンク共有チャネルPUSCHおよび物理アップリンク制御チャネルPUCCH
のうちの少なくとも1つのチャネルを含む、請求項61に記載のデバイス。
【請求項６３】
前記チャネル構成情報は、
リソースブロックRBの数量、スケジューリング許可方式、伝送フォーマット情報、およびチャネル送信状態情報
のうちの少なくとも1つの情報を含む、請求項61または62に記載のデバイス。
【請求項６４】
前記スケジューリング許可方式は、
半永続的スケジューリング許可、動的スケジューリング許可、およびランダムアクセス応答許可
のうちの少なくとも1つの方式を含む、請求項63に記載のデバイス。
【請求項６５】
前記伝送フォーマット情報は、
PUSCHのビット情報、PUSCHが制御情報だけを搬送するかどうか、PUCCHの伝送フォーマット、およびPUCCH伝送のビット情報
のうちの少なくとも1つの情報を含む、請求項63に記載のデバイス。
【請求項６６】
前記第1のネットワークデバイスによって送信された通知シグナリングを受信するように構成された受信モジュールであって、前記通知シグナリングは、前記端末デバイスに、前記第1のネットワークデバイスへ前記、端末デバイスに対応する前記第2のセルの前記PHおよび前記PHに対応する前記最大送信電力を送信するよう命令するのに使用される、受信モジュール
をさらに含む、請求項61から65のいずれか一項に記載のデバイス。
【請求項６７】
前記受信モジュールは、前記シグナリングを受信するようにさらに構成されており、前記シグナリングは前記チャネル構成情報を含む、請求項61から66のいずれか一項に記載のデバイス。
【請求項６８】
ネットワークデバイスであって、
端末デバイスによって送信される、前記端末デバイスに対応する第2のセルの電力余力PHおよび前記PHに対応するチャネル構成情報を受信するように構成された、受信モジュールと、
前記PHおよび前記チャネル構成情報に従って、前記端末デバイスに対応する前記第2のセルの電力使用状態を取得するように構成された、取得モジュールと
を含む、ネットワークデバイス。
【請求項６９】
前記チャネルは、
物理アップリンク共有チャネルPUSCHおよび物理アップリンク制御チャネルPUCCH
のうちの少なくとも1つのチャネルを含む、請求項68に記載のデバイス。
【請求項７０】
前記チャネル構成情報は、
リソースブロックRBの数量、スケジューリング許可方式、伝送フォーマット情報、およびチャネル送信状態情報
のうちの少なくとも1つの情報を含む、請求項68または69に記載のデバイス。
【請求項７１】
前記スケジューリング許可方式は、
半永続的スケジューリング許可、動的スケジューリング許可、およびランダムアクセス応答許可
のうちの少なくとも1つの方式を含む、請求項70に記載のデバイス。
【請求項７２】
前記伝送フォーマット情報は、
PUSCHのビット情報、PUSCHが制御情報だけを搬送するかどうか、PUCCHの伝送フォーマット、およびPUCCH伝送のビット情報
のうちの少なくとも1つの情報を含む、請求項79に記載のデバイス。
【請求項７３】
前記電力使用状態に従って前記端末デバイスに関する協調スケジューリングを行うように構成された、協調モジュール
をさらに含む、請求項68から72のいずれか一項に記載のデバイス。
【請求項７４】
前記協調モジュールは、
前記電力使用状態に従って前記端末デバイスのために前記第2のネットワークデバイスのスケジューリングを制御するように構成された第1の制御部であって、前記第2のネットワークデバイスは前記第2のセルを制御するネットワークデバイスである、第1の制御部、および／または
前記電力使用状態に従って前記端末デバイスのために前記第1のネットワークデバイスのスケジューリングを制御するように構成された、第2の制御部
を含む、請求項73に記載のデバイス。
【請求項７５】
前記第1の制御部は、
前記電力使用状態に従って、前記第2のネットワークデバイスがその下で前記端末デバイスに関するスケジューリングを行うことができるスケジューリング制限条件を計算し、
前記第2のネットワークデバイスへ、前記スケジューリング制限条件を含む、制御シグナリングを送信する
ように特に構成されている、請求項74に記載のデバイス。
【請求項７６】
前記第1の制御部は、前記電力使用状態および前記スケジューリング制限条件に従って、前記端末デバイスのために前記第1のネットワークデバイスのスケジューリングを決定するようにさらに特に構成されている、請求項75に記載のデバイス。
【請求項７７】
前記端末デバイスが前記第1のネットワークデバイスへ前記PHおよび前記チャネル構成情報を送信するように、前記端末デバイスへ通知シグナリングを送信するように構成された、送信モジュール
をさらに含む、請求項68から76のいずれか一項に記載のデバイス。
【請求項７８】
ネットワークデバイスであって、
第2のセルのサブフレームにチャネル伝送が存在し、電力余力PHが前記第2のセルの前記サブフレームに対応するときに、端末デバイスによって送信される、前記端末デバイスに対応する前記第2のセルの前記PHおよび前記PHに対応する最大送信電力を受信するように構成された、受信モジュールと、
前記PHおよび前記最大送信電力に従って、前記端末デバイスに対応する前記第2のセルの電力使用状態を取得するように構成された取得モジュールであって、前記PHは、事前定義されたチャネル構成情報に基づく、またはシグナリングによって構成されたチャネル構成情報に基づく前記端末デバイスによる計算を介して獲得され、前記PHに対応する前記最大送信電力は、前記PHに対応する前記第2のセルの前記サブフレームにおいて前記第2のセルのために前記端末デバイスによって構成される最大送信電力である、取得モジュールと
を含む、ネットワークデバイス。
【請求項７９】
前記チャネルは、
物理アップリンク共有チャネルPUSCHおよび物理アップリンク制御チャネルPUCCH
のうちの少なくとも1つのチャネルを含む、請求項78に記載のデバイス。
【請求項８０】
前記チャネル構成情報は、
リソースブロックRBの数量、スケジューリング許可方式、伝送フォーマット情報、およびチャネル送信状態情報
のうちの少なくとも1つの情報を含む、請求項78または79に記載のデバイス。
【請求項８１】
前記スケジューリング許可方式は、
半永続的スケジューリング許可、動的スケジューリング許可、およびランダムアクセス応答許可
のうちの少なくとも1つの方式を含む、請求項80に記載のデバイス。
【請求項８２】
前記伝送フォーマット情報は、
PUSCHのビット情報、PUSCHが制御情報だけを搬送するかどうか、PUCCHの伝送フォーマット、およびPUCCH伝送のビット情報
のうちの少なくとも1つの情報を含む、請求項80に記載のデバイス。
【請求項８３】
前記電力使用状態に従って前記端末デバイスに関する協調スケジューリングを行うように構成された、協調モジュール
をさらに含む、請求項78から82のいずれか一項に記載のデバイス。
【請求項８４】
前記協調モジュールは、
前記電力使用状態に従って前記端末デバイスのために第2のネットワークデバイスのスケジューリングを制御するように構成された第1の制御部であって、前記第2のネットワークデバイスは第2のセルを制御するネットワークデバイスである、第1の制御部、および／または
前記電力使用状態に従って前記端末デバイスのために前記第1のネットワークデバイスのスケジューリングを制御するように構成された、第2の制御部
を含む、請求項83に記載のデバイス。
【請求項８５】
前記第1の制御部は、
前記電力使用状態に従って、前記第2のネットワークデバイスがその下で前記端末デバイスに関するスケジューリングを行うことができるスケジューリング制限条件を計算し、
前記第2のネットワークデバイスへ、前記スケジューリング制限条件を含む、制御シグナリングを送信する
ように特に構成されている、請求項84に記載のデバイス。
【請求項８６】
前記第1の制御部は、前記電力使用状態および前記スケジューリング制限条件に従って、前記端末デバイスのために前記第1のネットワークデバイスのスケジューリングを決定するようにさらに特に構成されている、請求項85に記載のデバイス。
【請求項８７】
前記端末デバイスが前記第1のネットワークデバイスへ前記PHおよび前記PHに対応する前記最大送信電力を送信するように、前記端末デバイスへ通知シグナリングを送信するように構成された、送信モジュール
をさらに含む、請求項78から86のいずれか一項に記載のデバイス。
【請求項８８】
前記送信モジュールは、前記端末デバイスへ前記シグナリングを送信するようにさらに構成されており、前記シグナリングは前記チャネル構成情報を含む、請求項78から87のいずれか一項に記載のデバイス。
【請求項８９】
ネットワークデバイスであって、
第2のネットワークデバイスによって送信されたシグナリングを受信するように構成された受信モジュールであって、前記第2のネットワークデバイスは第2のセルを制御するネットワークデバイスであり、前記シグナリングは、端末デバイスに対応する前記第2のセルの電力余力PHおよび前記PHに対応するチャネル構成情報を含む、受信モジュールと、
前記PHおよび前記チャネル構成情報に従って、前記端末デバイスに対応する前記第2のセルの電力使用状態を取得するように構成された、取得モジュールと
を含む、ネットワークデバイス。
【請求項９０】
前記チャネルは、
物理アップリンク共有チャネルPUSCHおよび物理アップリンク制御チャネルPUCCH
のうちの少なくとも1つのチャネルを含む、請求項89に記載のデバイス。
【請求項９１】
前記チャネル構成情報は、
リソースブロックRBの数量、スケジューリング許可方式、伝送フォーマット情報、およびチャネル送信状態情報
のうちの少なくとも1つの情報を含む、請求項89または90に記載のデバイス。
【請求項９２】
前記スケジューリング許可方式は、
半永続的スケジューリング許可、動的スケジューリング許可、およびランダムアクセス応答許可
のうちの少なくとも1つの方式を含む、請求項91に記載のデバイス。
【請求項９３】
前記伝送フォーマット情報は、
PUSCHのビット情報、PUSCHが制御情報だけを搬送するかどうか、PUCCHの伝送フォーマット、およびPUCCH伝送のビット情報
のうちの少なくとも1つの情報を含む、請求項91に記載のデバイス。
【請求項９４】
前記電力使用状態に従って前記端末デバイスに関する協調スケジューリングを行うように構成された、協調モジュール
をさらに含む、請求項89から93のいずれか一項に記載のデバイス。
【請求項９５】
前記協調モジュールは、
前記電力使用状態に従って前記端末デバイスのために前記第2のネットワークデバイスのスケジューリングを制御するように構成された第1の制御部であって、前記第2のネットワークデバイスは前記第2のセルを制御するネットワークデバイスである、第1の制御部、および／または
前記電力使用状態に従って前記端末デバイスのために前記第1のネットワークデバイスのスケジューリングを制御するように構成された、第2の制御部
を含む、請求項94に記載のデバイス。
【請求項９６】
前記第1の制御部は、
前記電力使用状態に従って、前記第2のネットワークデバイスがその下で前記端末デバイスに関するスケジューリングを行うことができるスケジューリング制限条件を計算し、
前記第2のネットワークデバイスへ、前記スケジューリング制限条件を含む、制御シグナリングを送信する
ように特に構成されている、請求項95に記載のデバイス。
【請求項９７】
前記第1の制御部は、前記電力使用状態および前記スケジューリング制限条件に従って前記端末デバイスのために前記第1のネットワークデバイスのスケジューリングを決定するようにさらに特に構成されている、請求項96に記載のデバイス。
【請求項９８】
前記第2のネットワークデバイスが前記第1のネットワークデバイスへ、前記端末デバイスに対応する前記第2のセルの前記電力余力PHおよび前記PHに対応する前記チャネル構成情報を含む前記シグナリングを送信するように、前記第2のネットワークデバイスへ通知シグナリングを送信するように構成された、送信モジュール
をさらに含む、請求項89から97のいずれか一項に記載のデバイス。
【請求項９９】
ネットワークデバイスであって、
第2のセルのサブフレームにチャネル伝送が存在し、電力余力PHが前記第2のセルの前記サブフレームに対応するときに、第2のネットワークデバイスによって送信されたシグナリングを受信するように構成された受信モジュールであって、前記第2のネットワークデバイスは前記第2のセルを制御するネットワークデバイスであり、前記シグナリングは、端末デバイスに対応する前記第2のセルの前記PHおよび前記PHに対応する最大送信電力を含む、受信モジュールと、
前記PHおよび前記最大送信電力に従って、前記端末デバイスに対応する前記第2のセルの電力使用状態を取得するように構成された取得モジュールであって、前記PHは、事前定義されたチャネル構成情報に基づく、またはシグナリングによって構成されたチャネル構成情報に基づく前記端末デバイスによる計算を介して獲得され、前記PHに対応する前記最大送信電力は、前記PHに対応する前記第2のセルの前記サブフレームにおいて前記第2のセルのために前記端末デバイスによって構成される最大送信電力である、取得モジュールと
を含む、ネットワークデバイス。
【請求項１００】
前記チャネルは、
物理アップリンク共有チャネルPUSCHおよび物理アップリンク制御チャネルPUCCH
のうちの少なくとも1つのチャネルを含む、請求項99に記載のデバイス。
【請求項１０１】
前記チャネル構成情報は、
リソースブロックRBの数量、スケジューリング許可方式、伝送フォーマット情報、およびチャネル送信状態情報
のうちの少なくとも1つの情報を含む、請求項99または100に記載のデバイス。
【請求項１０２】
前記スケジューリング許可方式は、
半永続的スケジューリング許可、動的スケジューリング許可、およびランダムアクセス応答許可
のうちの少なくとも1つの方式を含む、請求項101に記載のデバイス。
【請求項１０３】
前記伝送フォーマット情報は、
PUSCHのビット情報、PUSCHが制御情報だけを搬送するかどうか、PUCCHの伝送フォーマット、およびPUCCH伝送のビット情報
のうちの少なくとも1つの情報を含む、請求項101に記載のデバイス。
【請求項１０４】
前記電力使用状態に従って前記端末デバイスに関する協調スケジューリングを行うように構成された、協調モジュール
をさらに含む、請求項99から103のいずれか一項に記載のデバイス。
【請求項１０５】
前記協調モジュールは、
前記電力使用状態に従って前記端末デバイスのために前記第2のネットワークデバイスのスケジューリングを制御するように構成された第1の制御部であって、前記第2のネットワークデバイスは前記第2のセルを制御するネットワークデバイスである、第1の制御部、および／または
前記電力使用状態に従って前記端末デバイスのために前記第1のネットワークデバイスのスケジューリングを制御するように構成された、第2の制御部
を含む、請求項104に記載のデバイス。
【請求項１０６】
前記第1の制御部は、
前記電力使用状態に従って、前記第2のネットワークデバイスがその下で前記端末デバイスに関するスケジューリングを行うことができるスケジューリング制限条件を計算し、
前記第2のネットワークデバイスへ、前記スケジューリング制限条件を含む、制御シグナリングを送信する
ように特に構成されている、請求項105に記載のデバイス。
【請求項１０７】
前記第1の制御部は、前記電力使用状態および前記スケジューリング制限条件に従って前記端末デバイスのために前記第1のネットワークデバイスのスケジューリングを決定するようにさらに特に構成されている、請求項106に記載のデバイス。
【請求項１０８】
前記第2のネットワークデバイスが、前記第1のネットワークデバイスへ、前記PHおよび前記PHに対応する前記最大送信電力を含む前記シグナリングを送信するように、前記第2のネットワークデバイスへ通知シグナリングを送信するように構成された、送信モジュール
をさらに含む、請求項99から107のいずれか一項に記載のデバイス。
【発明の詳細な説明】
【技術分野】
【０００１】
本発明の実施形態は通信技術に関し、詳細には、電力使用状態情報伝送方法および装置に関する。
【背景技術】
【０００２】
第3世代パートナーシップ・プロジェクト・ロング・ターム・エボルーション（3rd Generation Partnership Project Long Term Evolution、略称3GPP  LTE）通信システムのような従来の通信システムは、基地局やevolved NodeB（eNodeB）のようないくつかの通信コントローラ、およびユーザ機器（user equipments、略称UE）や移動局のような通信デバイスを含む。LTEシステムでは、eNodeBからUEへ送信が行われるリンクをダウンリンクと呼び、UEからeNodeBへ送信が行われるリンクをアップリンクと呼ぶ。eNodeBによってUEへ送信されるデータは物理ダウンリンク共有チャネル（physical downlink shared channel、略称PDSCH）を用いて物理層で搬送され、UEによってeNodeBへ送信されるデータは物理アップリンク共有チャネル（physical uplink shared channel、略称PUSCH）を用いて物理層で搬送される。eNodeBは、物理ダウンリンク制御チャネル（physical downlink control channel、略称PDCCH）を用いてUEへ、PDSCHおよび／またはPUSCHによって使用される周波数領域リソースおよび伝送方式を指示し、UEは、物理アップリンク制御チャネル（physical uplink control channel、略称PUCCH）を用いてeNodeBへ、ハイブリッド自動再送要求受信確認（Hybrid Automatic Repeat Request−Acknowledgement、略称HARQ−ACK）およびチャネル品質情報（Channel Quality Indicator、略称CQI）を指示する。
【０００３】
従来のロング・ターム・エボルーション・アドバンスト（long term evolution−advanced、LTE−A）通信システムでは、キャリアアグリゲーション（Carrier Aggregation、略称CA）技術をサポートすることができる。すなわち、より大きい帯域幅をサポートするために、2または2より多数のコンポーネントキャリア（component carriers、略称CC）をまとめて集約し、データ伝送に使用することができ、各CCの帯域幅は20MHzに達しうる。例えば、アップリンクCAにおいて、UEは2つのアップリンクCC上でのデータ伝送をサポートし、したがって、eNodeBは、これら2つのアップリンクCC上でPUSCHを行うようにUEに関するスケジューリングを行うことができ、これら2つのアップリンクCCはプライマリ・コンポーネント・キャリア（primary CC、略称PCC）およびセカンダリ・コンポーネント・キャリア（secondary CC、略称SCC）を含み、したがって、2つのキャリアにそれぞれ対応するセルを、プライマリセル（primary cell、略称Pcell）およびセカンダリセル（secondary cell、略称Scell）と呼ぶ。
【０００４】
図1は、従来のCA技術の概略図である。図1に示すように、アップリンクCAを例に取り、eNodeBの制御下の2つのセルはそれぞれ、CC1（対応してPCCと呼ばれうる）およびCC2（対応してSCCと呼ばれうる）を使用し、CC1を使用するセルはPcellであり、CC2を使用するセルはScellであるものとする。さらに、Pcellは、スケジューリング許可1を用いて、Pcellのアップリンク上でPUSCH1を送信するようUEをスケジュールすることができ、Scellは、スケジューリング許可2を用いて、Scellのアップリンク上でPUSCH2を送信するようUEをスケジュールすることができる。
【０００５】
従来の3GPP  LTE  R11規格で定義されるCAは、理想的バックホール（backhaul）を想定して確立される、すなわち、CCの異なるネットワークデバイス間のbackhaul、またはCCの同じネットワークデバイスの異なるユニット間のbackhaulが、きわめて低い時間遅延を有するように制御され、情報交換を迅速に行うことができ、したがって、UEに関するCCのスケジューリングを動的に協調させることができる。例えば、図1に示す同じeNodeB内のCAについては、すなわち、eNodeBの制御下の複数のセルが異なるCCを使用する。各セルがキャリアアグリゲーションによってユーザに共同でサービスすることができるときに、これら複数のセルは同じeNodeBに属するため、セル間のbackhaulは理想的であり、情報交換を迅速に行うことができる。
【０００６】
従来の通信システムでは、ユーザ機器（User Equipment、略称UE）がマルチキャリア伝送能力を有するときに、複数のキャリアをUEにサービスするようにUEのために係数値することができる。すなわち、キャリアアグリゲーション（CA）である。CA技術においては、UEはキャリアごとに最大送信電力を構成することができ、各キャリアに対応するセル（cell）の電力余力（Power Headroom、略称PH）を報告することができ、このため、eNodeBはPHに従ってUEの残存電力に関する情報を獲得し、それによってUEのためにスケジュールされる無線リソース電力を決定することができる。しかし、複数のキャリア上のUEの合計送信電力の値は依然として、人間の健康、ネットワーク構成などの面での要件によって決定される最大送信電力を満たす必要がある。
【０００７】
従来のCA技術は、理想的バックホールの想定に基づくものである。すなわち、異なるセル間の情報交換がきわめて低い時間遅延をおよびきわめて大きい容量を有する。あるセルは別のセルの動的情報を適時に取得することができ、したがって、無線リソースがP動的情報に従ってUEのためにスケジュールされる。セルは、同じeNodeBによっても異なるeNodeBによって制御されうる。
【０００８】
しかし、実際の適用に際しては、環境やeNodeBのような通信デバイスを配備する費用といった要因により、理想的バックホールの実現はきわめて難しい。非理想的バックホールにおいては、eNodeB間の、またはeNodeBの異なるユニット間の情報交換の時間遅延が比較的大きい。例えば、異なるeNodeBによって制御されるセルは、別のセルの、UEによって報告されるPHを取得することができるにすぎず、したがって、各キャリア上でUEによって必要とされる合計送信電力が許容される最大送信電力を超える場合。その結果、UEは電力圧縮を行い、伝送誤り確率が高まり、UEのアップリンクスループットの損失が発生することになる。加えて各キャリア上のUEの送信電力がきわめて小さいため、リソースが無駄になる場合が発生しうる。
【発明の概要】
【課題を解決するための手段】
【０００９】
本発明の実施形態は、システムリソースが適正に使用されるように、電力使用状態情報伝送方法および電力使用状態情報伝送装置を提供する。
【００１０】
第1の態様によれば、本発明の一実施形態は電力使用状態情報伝送方法を提供し、本方法は、
端末デバイスが、端末デバイスに対応する第2のセルの電力余力PHを決定するステップと、
端末デバイスが第1のネットワークデバイスへ、PHおよびPHに対応するチャネル構成情報を送信するステップであって、第1のネットワークデバイスは第1のセルを制御するネットワークデバイスである、PHおよびPHに対応するチャネル構成情報を送信するステップと
を含む。
【００１１】
第1の態様に関連して、第1の態様の第1の可能な実施態様において、チャネルは、
物理アップリンク共有チャネルPUSCHおよび物理アップリンク制御チャネルPUCCH
のうちの少なくとも1つのチャネルを含む。
【００１２】
第1の態様または第1の態様の第1の可能な実施態様に関連して、第1の態様の第2の可能な実施態様において、チャネル構成情報は、
リソースブロックRBの数量、スケジューリング許可方式、伝送フォーマット情報、およびチャネル送信状態情報
のうちの少なくとも1つの情報を含む。
【００１３】
第1の態様の第2の可能な実施態様に関連して、第1の態様の第3の可能な実施態様において、スケジューリング許可方式は、
半永続的スケジューリング許可、動的スケジューリング許可、およびランダムアクセス応答許可
のうちの少なくとも1つの方式を含む。
【００１４】
第1の態様の第2の可能な実施態様に関連して、第1の態様の第4の可能な実施態様において、伝送フォーマット情報は、
PUSCHのビット情報、PUSCHが制御情報だけを搬送するかどうか、PUCCHの伝送フォーマット、およびPUCCH伝送のビット情報
のうちの少なくとも1つの情報を含む。
【００１５】
第1の態様または第1の態様の第1の可能な実施態様から第4の可能な実施態様のいずれか1つに関連して、第1の態様の第5の可能な実施態様において、端末デバイスが、端末デバイスに対応する第2のセルのPHを決定するステップの前に、本方法は、
端末デバイスが、第1のネットワークデバイスによって送信された通知シグナリングを受信するステップであって、通知シグナリングは、端末デバイスに、第1のネットワークデバイスへ、端末デバイスに対応する第2のセルのPHおよびPHに対応するチャネル構成情報を送信するよう命令するのに使用される、第1のネットワークデバイスによって送信された通知シグナリングを受信するステップ
をさらに含む。
【００１６】
第2の態様によれば、本発明の一実施形態は電力使用状態情報伝送方法を提供し、本方法は、
第2のセルのサブフレームにチャネル伝送が存在し、電力余力PHが第2のセルの当該サブフレームに対応するときに、端末デバイスが、端末デバイスに対応する第2のセルのPHを決定するステップと、
端末デバイスが第1のネットワークデバイスへ、PHおよびPHに対応する最大送信電力を送信するステップであって、第1のネットワークデバイスは第1のセルを制御するネットワークデバイスであり、PHは、事前定義されたチャネル構成情報に基づく、またはシグナリングによって構成されたチャネル構成情報に基づく端末デバイスによる計算を介して獲得され、PHに対応する最大送信電力は、PHに対応する第2のセルのサブフレームにおいて第2のセルのために端末デバイスによって構成される最大送信電力である、PHおよびPHに対応する最大送信電力を送信するステップと
を含む。
【００１７】
第2の態様に関連して、第2の態様の第1の可能な実施態様において、チャネルは、
物理アップリンク共有チャネルPUSCHおよび物理アップリンク制御チャネルPUCCH
のうちの少なくとも1つのチャネルを含む。
【００１８】
第2の態様または第2の態様の第1の可能な実施態様に関連して、第2の態様の第2の可能な実施態様において、チャネル構成情報は、
リソースブロックRBの数量、スケジューリング許可方式、伝送フォーマット情報、およびチャネル送信状態情報
のうちの少なくとも1つの情報を含む。
【００１９】
第2の態様の第2の可能な実施態様に関連して、第2の態様の第3の可能な実施態様において、スケジューリング許可方式は、
半永続的スケジューリング許可、動的スケジューリング許可、およびランダムアクセス応答許可
のうちの少なくとも1つの方式を含む。
【００２０】
第2の態様2の可能な実施態様に関連して、第2の態様の第4の可能な実施態様において、伝送フォーマット情報は、
PUSCHのビット情報、PUSCHが制御情報だけを搬送するかどうか、PUCCHの伝送フォーマット、およびPUCCH伝送のビット情報
のうちの少なくとも1つの情報を含む。
【００２１】
第2の態様または第2の態様の第1の可能な実施態様から第4の可能な実施態様のいずれか1つに関連して、第2の態様の第5の可能な実施態様において、端末デバイスが、端末デバイスに対応する第2のセルのPHを決定するステップの前に、本方法は、
端末デバイスが、第1のネットワークデバイスによって送信された通知シグナリングを受信するステップであって、通知シグナリングは、端末デバイスに、第1のネットワークデバイスへ、端末デバイスに対応する第2のセルのPHおよびPHに対応する最大送信電力を送信するよう命令するのに使用される、第1のネットワークデバイスによって送信された通知シグナリングを受信するステップ
をさらに含む。
【００２２】
第2の態様または第2の態様の第1の可能な実施態様から第5の可能な実施態様のいずれか1つに関連して、第2の態様の第6の可能な実施態様において、端末デバイスが第1のネットワークデバイスへ、PHおよびPHに対応する最大送信電力を送信するステップの前に、本方法は、
端末デバイスが、シグナリングを受信するステップであって、シグナリングはチャネル構成情報を含む、シグナリングを受信するステップ
をさらに含む。
【００２３】
第3の態様によれば、本発明の一実施形態は電力使用状態情報伝送方法を提供し、本方法は、
第1のネットワークデバイスが、端末デバイスによって送信される、端末デバイスに対応する第2のセルの電力余力PHおよびPHに対応するチャネル構成情報を受信するステップであって、第1のネットワークデバイスは第1のセルを制御するネットワークデバイスである、端末デバイスに対応する第2のセルの電力余力PHおよびPHに対応するチャネル構成情報を受信するステップと、
PHおよびチャネル構成情報に従って第1のネットワークデバイスが、端末デバイスに対応する第2のセルの電力使用状態を取得するステップと
を含む。
【００２４】
第3の態様に関連して、第3の態様の第1の可能な実施態様において、チャネルは、
物理アップリンク共有チャネルPUSCHおよび物理アップリンク制御チャネルPUCCH
のうちの少なくとも1つのチャネルを含む。
【００２５】
第3の態様または第3の態様の第1の可能な実施態様に関連して、第3の態様の第2の可能な実施態様において、チャネル構成情報は、
リソースブロックRBの数量、スケジューリング許可方式、伝送フォーマット情報、およびチャネル送信状態情報
のうちの少なくとも1つの情報を含む。
【００２６】
第3の態様の第2の可能な実施態様に関連して、第3の態様の第3の可能な実施態様において、スケジューリング許可方式は、
半永続的スケジューリング許可、動的スケジューリング許可、およびランダムアクセス応答許可
のうちの少なくとも1つの方式を含む。
【００２７】
第3の態様の第2の可能な実施態様に関連して、第3の態様の第4の可能な実施態様において、伝送フォーマット情報は、
PUSCHのビット情報、PUSCHが制御情報だけを搬送するかどうか、PUCCHの伝送フォーマット、およびPUCCH伝送のビット情報
のうちの少なくとも1つの情報を含む。
【００２８】
第3の態様または第3の態様の第1の可能な実施態様から第4の可能な実施態様のいずれか1つに関連して、第3の態様の第5の可能な実施態様において、PHおよびチャネル構成情報に従って第1のネットワークデバイスが、端末デバイスに対応する第2のセルの電力使用状態を取得するステップの後に、本方法は、
第1のネットワークデバイスが、電力使用状態に従って端末デバイスに関する協調スケジューリングを行うステップ
をさらに含む。
【００２９】
第3の態様の第5の可能な実施態様に関連して、第3の態様の第6の可能な実施態様において、第1のネットワークデバイスが、電力使用状態に従って端末デバイスに関する協調スケジューリングを行うステップは、
第1のネットワークデバイスが、電力使用状態に従って端末デバイスのために第2のネットワークデバイスのスケジューリングを制御するステップであって、第2のネットワークデバイスは第2のセルを制御するネットワークデバイスである、第2のネットワークデバイスのスケジューリングを制御するステップ、および／または
第1のネットワークデバイスが、電力使用状態に従って端末デバイスのために第1のネットワークデバイスのスケジューリングを制御するステップ
を含む。
【００３０】
第3の態様の第6の可能な実施態様に関連して、第3の態様の第7の可能な実施態様において、第1のネットワークデバイスが、電力使用状態に従って端末デバイスのために第2のネットワークデバイスのスケジューリングを制御するステップは、
電力使用状態に従って第1のネットワークデバイスが、第2のネットワークデバイスがその下で端末デバイスに関するスケジューリングを行うことができるスケジューリング制限条件を計算するステップと、
第1のネットワークデバイスが、第2のネットワークデバイスへ制御シグナリングを送信するステップであって、制御シグナリングはスケジューリング制限条件を含む、制御シグナリングを送信するステップと
を含む。
【００３１】
第3の態様の第7の可能な実施態様に関連して、第3の態様の第8の可能な実施態様において、第1のネットワークデバイスが、第2のネットワークデバイスへ制御シグナリングを送信するステップの後に、本方法は、
第1のネットワークデバイスが、電力使用状態およびスケジューリング制限条件に従って端末デバイスのために第1のネットワークデバイスのスケジューリングを決定するステップ
をさらに含む。
【００３２】
第3の態様または第3の態様の第1の可能な実施態様から第8の可能な実施態様のいずれか1つに関連して、第3の態様の第9の可能な実施態様において、第1のネットワークデバイスが、端末デバイスによって送信される、端末デバイスに対応する第2のセルの電力余力PHおよびPHに対応するチャネル構成情報を受信するステップの前に、本方法は、
第1のネットワークデバイスが、端末デバイスが第1のネットワークデバイスへPHおよびチャネル構成情報を送信するように、端末デバイスへ通知シグナリングを送信するステップ
をさらに含む。
【００３３】
第4の態様によれば、本発明の一実施形態は電力使用状態情報伝送方法を提供し、本方法は、
第2のセルのサブフレームにチャネル伝送が存在し、電力余力PHが第2のセルの当該サブフレームに対応するときに、第1のネットワークデバイスが、端末デバイスによって送信される、端末デバイスに対応する第2のセルのPHおよびPHに対応する最大送信電力を受信するステップであって、第1のネットワークデバイスは第1のセルを制御するネットワークデバイスである、端末デバイスに対応する第2のセルのPHおよびPHに対応する最大送信電力を受信するステップと、
PHおよび最大送信電力に従って第1のネットワークデバイスが、端末デバイスに対応する第2のセルの電力使用状態を取得するステップであって、PHは、事前定義されたチャネル構成情報に基づく、またはシグナリングによって構成されたチャネル構成情報に基づく端末デバイスによる計算を介して獲得され、PHに対応する最大送信電力は、PHに対応する第2のセルのサブフレームにおいて第2のセルのために端末デバイスによって構成される最大送信電力である、端末デバイスに対応する第2のセルの電力使用状態を取得するステップと
を含む。
【００３４】
第4の態様に関連して、第4の態様の第1の可能な実施態様において、チャネルは、
物理アップリンク共有チャネルPUSCHおよび物理アップリンク制御チャネルPUCCH
のうちの少なくとも1つのチャネルを含む。
【００３５】
第4の態様または第4の態様の第1の可能な実装方法に関連して、第4の態様の第2の可能な実装方法において、チャネル構成情報は、
リソースブロックRBの数量、スケジューリング許可方式、伝送フォーマット情報、およびチャネル送信状態情報
のうちの少なくとも1つの情報を含む。
【００３６】
第4の態様の第2の可能な実施態様に関連して、第4の態様の第3の可能な実施態様において、スケジューリング許可方式は、
半永続的スケジューリング許可、動的スケジューリング許可、およびランダムアクセス応答許可
のうちの少なくとも1つの方式を含む。
【００３７】
第4の態様の第2の可能な実施態様に関連して、第4の態様の第4の可能な実施態様において、伝送フォーマット情報は、
PUSCHのビット情報、PUSCHが制御情報だけを搬送するかどうか、PUCCHの伝送フォーマット、およびPUCCH伝送のビット情報
のうちの少なくとも1つの情報を含む。
【００３８】
第4の態様または第4の態様の第1の可能な実施態様から第4の可能な実施態様のいずれか1つに関連して、第4の態様の第5の可能な実施態様において、PHおよび最大送信電力に従って第1のネットワークデバイスが、端末デバイスに対応する第2のセルの電力使用状態を取得するステップの後に、本方法は、
第1のネットワークデバイスが、電力使用状態に従って端末デバイスに関する協調スケジューリングを行うステップ
をさらに含む。
【００３９】
第4の態様の第5の可能な実施態様に関連して、第4の態様の第6の可能な実施態様において、第1のネットワークデバイスが、電力使用状態に従って端末デバイスに関する協調スケジューリングを行うステップは、
第1のネットワークデバイスが、電力使用状態に従って端末デバイスのために第2のネットワークデバイスのスケジューリングを制御するステップであって、第2のネットワークデバイスは第2のセルを制御するネットワークデバイスである、第2のネットワークデバイスのスケジューリングを制御するステップ、および／または
第1のネットワークデバイスが、電力使用状態に従って端末デバイスのために第1のネットワークデバイスのスケジューリングを制御するステップ
を含む。
【００４０】
第4の態様の第6の可能な実施態様に関連して、第4の態様の第7の可能な実施態様において、第1のネットワークデバイスが、電力使用状態に従って端末デバイスのために第2のネットワークデバイスのスケジューリングを制御するステップは、
電力使用状態に従って第1のネットワークデバイスが、第2のネットワークデバイスがその下で端末デバイスに関するスケジューリングを行うことができるスケジューリング制限条件を計算するステップと、
第1のネットワークデバイスが、第2のネットワークデバイスへ制御シグナリングを送信するステップであって、制御シグナリングはスケジューリング制限条件を含む、制御シグナリングを送信するステップと
を含む。
【００４１】
第4の態様の第7の可能な実施態様に関連して、第4の態様の第8の可能な実施態様において、第1のネットワークデバイスが、第2のネットワークデバイスへ制御シグナリングを送信するステップの後に、本方法は、
第1のネットワークデバイスが、電力使用状態およびスケジューリング制限条件に従って端末デバイスのために第1のネットワークデバイスのスケジューリングを決定するステップ
をさらに含む。
【００４２】
第4の態様または第4の態様の第1の可能な実施態様から第8の可能な実施態様のいずれか1つに関連して、第4の態様の第9の可能な実施態様において、第1のネットワークデバイスが、端末デバイスによって送信される、端末デバイスに対応する第2のセルの電力余力PHおよびPHに対応する最大送信電力を受信するステップの前に、本方法は、
第1のネットワークデバイスが、端末デバイスが第1のネットワークデバイスへPHおよびPHに対応する最大送信電力を送信するように、端末デバイスへ通知シグナリングを送信するステップ
をさらに含む。
【００４３】
第4の態様または第4の態様の第1の可能な実施態様から第9の可能な実施態様のいずれか1つに関連して、第4の態様の第10の可能な実施態様において、第1のネットワークデバイスが、端末デバイスによって送信される、端末デバイスに対応する第2のセルの電力余力PHおよびPHに対応する最大送信電力を受信するステップの前に、本方法は、
第1のネットワークデバイスが、端末デバイスへシグナリングを送信するステップであって、シグナリングはチャネル構成情報を含む、端末デバイスへシグナリングを送信するステップ
をさらに含む。
【００４４】
第5の態様によれば、本発明の一実施形態は電力使用状態情報伝送方法を提供し、本方法は、
第1のネットワークデバイスが、第2のネットワークデバイスによって送信されたシグナリングを受信するステップであって、第1のネットワークデバイスは第1のセルを制御するネットワークデバイスであり、第2のネットワークデバイスは第2のセルを制御するネットワークデバイスであり、シグナリングは、端末デバイスに対応する第2のセルの電力余力PHおよびPHに対応するチャネル構成情報を含む、第2のネットワークデバイスによって送信されたシグナリングを受信するステップと、
PHおよびチャネル構成情報に従って第1のネットワークデバイスが、端末デバイスに対応する第2のセルの電力使用状態を取得するステップと
を含む。
【００４５】
第5の態様に関連して、第5の態様の第1の可能な実施態様において、チャネルは、
物理アップリンク共有チャネルPUSCHおよび物理アップリンク制御チャネルPUCCH
のうちの少なくとも1つのチャネルを含む。
【００４６】
第5の態様または第5の態様の第1の可能な実装方法に関連して、第5の態様の第2の可能な実装方法において、チャネル構成情報は、
リソースブロックRBの数量、スケジューリング許可方式、伝送フォーマット情報、およびチャネル送信状態情報
のうちの少なくとも1つの情報を含む。
【００４７】
第5の態様の第2の可能な実施態様に関連して、第5の態様の第3の可能な実施態様において、スケジューリング許可方式は、
半永続的スケジューリング許可、動的スケジューリング許可、およびランダムアクセス応答許可
のうちの少なくとも1つの方式を含む。
【００４８】
第5の態様の第2の可能な実施態様に関連して、第5の態様の第4の可能な実施態様において、伝送フォーマット情報は、
PUSCHのビット情報、PUSCHが制御情報だけを搬送するかどうか、PUCCHの伝送フォーマット、およびPUCCH伝送のビット情報
のうちの少なくとも1つの情報を含む。
【００４９】
第5の態様または第5の態様の第1の可能な実施態様から第4の可能な実施態様のいずれか1つに関連して、第5の態様の第5の可能な実施態様において、PHおよびチャネル構成情報に従って第1のネットワークデバイスが、端末デバイスに対応する第2のセルの電力使用状態を取得するステップの後に、本方法は、
第1のネットワークデバイスが、電力使用状態に従って端末デバイスに関する協調スケジューリングを行うステップ
をさらに含む。
【００５０】
第5の態様の第5の可能な実施態様に関連して、第5の態様の第6の可能な実施態様において、第1のネットワークデバイスが、電力使用状態に従って端末デバイスに関する協調スケジューリングを行うステップは、
第1のネットワークデバイスが、電力使用状態に従って端末デバイスのために第2のネットワークデバイスのスケジューリングを制御するステップであって、第2のネットワークデバイスは第2のセルを制御するネットワークデバイスである、第2のネットワークデバイスのスケジューリングを制御するステップ、および／または
第1のネットワークデバイスが、電力使用状態に従って端末デバイスのために第1のネットワークデバイスのスケジューリングを制御するステップ
を含む。
【００５１】
第5の態様の第6の可能な実施態様に関連して、第5の態様の第7の可能な実施態様において、第1のネットワークデバイスが、電力使用状態に従って端末デバイスのために第2のネットワークデバイスのスケジューリングを制御するステップは、
電力使用状態に従って第1のネットワークデバイスが、第2のネットワークデバイスがその下で端末デバイスに関するスケジューリングを行うことができるスケジューリング制限条件を計算するステップと、
第1のネットワークデバイスが、第2のネットワークデバイスへ制御シグナリングを送信するステップであって、制御シグナリングはスケジューリング制限条件を含む、制御シグナリングを送信するステップと
を含む。
【００５２】
第5の態様の第7の可能な実施態様に関連して、第5の態様の第8の可能な実施態様において、第1のネットワークデバイスが、第2のネットワークデバイスへ制御シグナリングを送信するステップの後に、本方法は、
第1のネットワークデバイスが、電力使用状態およびスケジューリング制限条件に従って端末デバイスのために第1のネットワークデバイスのスケジューリングを決定するステップ
をさらに含む。
【００５３】
第5の態様または第5の態様の第1の可能な実施態様から第8の可能な実施態様のいずれか1つに関連して、第5の態様の第9の可能な実施態様において、第1のネットワークデバイスが、第2のネットワークデバイスによって送信されたシグナリングを受信するステップの前に、本方法は、
第2のネットワークデバイスが第1のネットワークデバイスへ、端末デバイスに対応する第2のセルの電力余力PHおよびPHに対応するチャネル構成情報を含むシグナリングを送信するように、第1のネットワークデバイスが第2のネットワークデバイスへ通知シグナリングを送信するステップ
をさらに含む。
【００５４】
第6の態様によれば、本発明の一実施形態は電力使用状態情報伝送方法を提供し、本方法は、
第2のセルのサブフレームにチャネル伝送が存在し、電力余力PHが第2のセルの当該サブフレームに対応するときに、第1のネットワークデバイスが、第2のネットワークデバイスによって送信されたシグナリングを受信するステップであって、第1のネットワークデバイスは第1のセルを制御するネットワークデバイスであり、第2のネットワークデバイスは第2のセルを制御するネットワークデバイスであり、シグナリングは、端末デバイスに対応する第2のセルのPHおよびPHに対応する最大送信電力を含む、第2のネットワークデバイスによって送信されたシグナリングを受信するステップと、
PHおよび最大送信電力に従って第1のネットワークデバイスが、端末デバイスに対応する第2のセルの電力使用状態を取得するステップであって、PHは、事前定義されたチャネル構成情報に基づく、またはシグナリングによって構成されたチャネル構成情報に基づく端末デバイスによる計算を介して獲得され、PHに対応する最大送信電力は、PHに対応する第2のセルのサブフレームにおいて第2のセルのために端末デバイスによって構成される最大送信電力である、端末デバイスに対応する第2のセルの電力使用状態を取得するステップと
を含む。
【００５５】
第6の態様に関連して、第6の態様の第1の可能な実施態様において、チャネルは、
物理アップリンク共有チャネルPUSCHおよび物理アップリンク制御チャネルPUCCH
のうちの少なくとも1つのチャネルを含む。
【００５６】
第6の態様または第6の態様の第1の可能な実施態様に関連して、第6の態様の第2の可能な実施態様において、チャネル構成情報は、
リソースブロックRBの数量、スケジューリング許可方式、伝送フォーマット情報、およびチャネル送信状態情報
のうちの少なくとも1つの情報を含む。
【００５７】
第6の態様の第2の可能な実施態様に関連して、第6の態様の第3の可能な実施態様において、スケジューリング許可方式は、
半永続的スケジューリング許可、動的スケジューリング許可、およびランダムアクセス応答許可
のうちの少なくとも1つの方式を含む。
【００５８】
第6の態様の第2の可能な実施態様に関連して、第6の態様の第4の可能な実施態様において、伝送フォーマット情報は、
PUSCHのビット情報、PUSCHが制御情報だけを搬送するかどうか、PUCCHの伝送フォーマット、およびPUCCH伝送のビット情報
のうちの少なくとも1つの情報を含む。
【００５９】
第6の態様または第6の態様の第1の可能な実施態様から第4の可能な実施態様のいずれか1つに関連して、第6の態様の第5の可能な実施態様において、PHおよび最大送信電力に従って第1のネットワークデバイスが、端末デバイスに対応する第2のセルの電力使用状態を取得するステップの後に、本方法は、
第1のネットワークデバイスが、電力使用状態に従って端末デバイスに関する協調スケジューリングを行うステップ
をさらに含む。
【００６０】
第6の態様の第5の可能な実施態様に関連して、第6の態様の第6可能な実施態様において、第1のネットワークデバイスが、電力使用状態に従って端末デバイスに関する協調スケジューリングを行うステップは、
第1のネットワークデバイスが、電力使用状態に従って端末デバイスのために第2のネットワークデバイスのスケジューリングを制御するステップであって、第2のネットワークデバイスは第2のセルを制御するネットワークデバイスである、第2のネットワークデバイスのスケジューリングを制御するステップ、および／または
第1のネットワークデバイスが、電力使用状態に従って端末デバイスのために第1のネットワークデバイスのスケジューリングを制御するステップ
を含む。
【００６１】
第6の態様の第6の可能な実施態様に関連して、第6の態様の第7可能な実施態様において、第1のネットワークデバイスが、電力使用状態に従って端末デバイスのために第2のネットワークデバイスのスケジューリングを制御するステップは、
電力使用状態に従って第1のネットワークデバイスが、第2のネットワークデバイスがその下で端末デバイスに関するスケジューリングを行うことができるスケジューリング制限条件を計算するステップと、
第1のネットワークデバイスが、第2のネットワークデバイスへ制御シグナリングを送信するステップであって、制御シグナリングはスケジューリング制限条件を含む、制御シグナリングを送信するステップと
を含む。
【００６２】
第6の態様の第7の可能な実施態様に関連して、第6の態様の第8可能な実施態様において、第1のネットワークデバイスが、第2のネットワークデバイスへ制御シグナリングを送信するステップの後に、本方法は、
第1のネットワークデバイスが、電力使用状態およびスケジューリング制限条件に従って端末デバイスのために第1のネットワークデバイスのスケジューリングを決定するステップ
をさらに含む。
【００６３】
第6の態様または第6の態様の第1の可能な実施態様から第8の可能な実施態様のいずれか1つに関連して、第6の態様の第9の可能な実施態様において、第1のネットワークデバイスが、第2のネットワークデバイスによって送信されたシグナリングを受信するステップの前に、本方法は、
第2のネットワークデバイスがPHおよびPHに対応する最大送信電力を含むシグナリングを送信するように、第1のネットワークデバイスが第1のネットワークデバイスへ、第2のネットワークデバイスへ通知シグナリングを送信するステップ
をさらに含む。
【００６４】
第7の態様によれば、本発明の一実施形態は端末デバイスを提供し、本端末デバイスは、
端末デバイスに対応する第2のセルの電力余力PHを決定するように構成された、決定モジュールと、
第1のネットワークデバイスへ、PHおよびPHに対応するチャネル構成情報を送信するように構成された送信モジュールであって、第1のネットワークデバイスは第1のセルを制御するネットワークデバイスである、送信モジュールと
を含む。
【００６５】
第7の態様に関連して、第7の態様の第1の可能な実施態様において、チャネルは、
物理アップリンク共有チャネルPUSCHおよび物理アップリンク制御チャネルPUCCH
のうちの少なくとも1つのチャネルを含む。
【００６６】
第7の態様または第7の態様の第1の可能な実施態様に関連して、第7の態様の第2の可能な実施態様において、チャネル構成情報は、
リソースブロックRBの数量、スケジューリング許可方式、伝送フォーマット情報、およびチャネル送信状態情報
のうちの少なくとも1つの情報を含む。
【００６７】
第7の態様の第2の可能な実施態様に関連して、第7の態様の第3の可能な実施態様において、スケジューリング許可方式は、
半永続的スケジューリング許可、動的スケジューリング許可、およびランダムアクセス応答許可
のうちの少なくとも1つの方式を含む。
【００６８】
第7の態様の第2の可能な実施態様に関連して、第7の態様の第4の可能な実施態様において、伝送フォーマット情報は、
PUSCHのビット情報、PUSCHが制御情報だけを搬送するかどうか、PUCCHの伝送フォーマット、およびPUCCH伝送のビット情報
のうちの少なくとも1つの情報を含む。
【００６９】
第7の態様または第7の態様の第1の可能な実施態様から第4の可能な実施態様のいずれか1つに関連して、第7の態様の第5の可能な実施態様において、本デバイスは、
第1のネットワークデバイスによって送信された通知シグナリングを受信するように構成された受信モジュールであって、通知シグナリングは、端末デバイスに、第1のネットワークデバイスへ、端末デバイスに対応する第2のセルのPHおよびPHに対応するチャネルパラメータ構成情報を送信するよう命令するのに使用される、受信モジュール
をさらに含む。
【００７０】
第8の態様によれば、本発明の一実施形態は端末デバイスを提供し、本端末デバイスは、
第2のセルのサブフレームにチャネル伝送が存在し、電力余力PHが第2のセルの当該サブフレームに対応するときに、端末デバイスに対応する第2のセルのPHを決定するように構成された、決定モジュールと、
第1のネットワークデバイスへ、PHおよびPHに対応する最大送信電力を送信するように構成された送信モジュールであって、第1のネットワークデバイスは第1のセルを制御するネットワークデバイスであり、PHは、事前定義されたチャネル構成情報に基づく、またはシグナリングによって構成されたチャネル構成情報に基づく端末デバイスによる計算を介して獲得され、PHに対応する最大送信電力は、PHに対応する第2のセルのサブフレームにおいて第2のセルのために端末デバイスによって構成される最大送信電力である、送信モジュールと
を含む。
【００７１】
第8の態様に関連して、第8の態様の第1の可能な実施態様において、チャネルは、
物理アップリンク共有チャネルPUSCHおよび物理アップリンク制御チャネルPUCCH
のうちの少なくとも1つのチャネルを含む。
【００７２】
第8の態様または第8の態様の第1の可能な実施態様に関連して、第8の態様の第2の可能な実施態様において、チャネル構成情報は、
リソースブロックRBの数量、スケジューリング許可方式、伝送フォーマット情報、およびチャネル送信状態情報
のうちの少なくとも1つの情報を含む。
【００７３】
第8の態様の第2の可能な実施態様に関連して、第8の態様の第3の可能な実施態様において、スケジューリング許可方式は、
半永続的スケジューリング許可、動的スケジューリング許可、およびランダムアクセス応答許可
のうちの少なくとも1つの方式を含む。
【００７４】
第8の態様の第2の可能な実施態様に関連して、第8の態様の第4の可能な実施態様において、伝送フォーマット情報は、
PUSCHのビット情報、PUSCHが制御情報だけを搬送するかどうか、PUCCHの伝送フォーマット、およびPUCCH伝送のビット情報
のうちの少なくとも1つの情報を含む。
【００７５】
第8の態様または第8の態様の第1の可能な実施態様から第4の可能な実施態様のいずれか1つに関連して、第8の態様の第5の可能な実施態様において、本デバイスは、
第1のネットワークデバイスによって送信された通知シグナリングを受信するように構成された受信モジュールであって、通知シグナリングは、端末デバイスに、第1のネットワークデバイスへ、端末デバイスに対応する第2のセルのPHおよびPHに対応する最大送信電力を送信するよう命令するのに使用される、受信モジュール
をさらに含む。
【００７６】
第8の態様または第8の態様の第1の可能な実施態様から第5の可能な実施態様のいずれか1つに関連して、第8の態様の第6の可能な実施態様において、受信モジュールは、シグナリングを受信するようにさらに構成されており、シグナリングはチャネル構成情報を含む。
【００７７】
第9の態様によれば、本発明の一実施形態はネットワークデバイスを提供し、本ネットワークデバイスは、
端末デバイスによって送信される、端末デバイスに対応する第2のセルの電力余力PHおよびPHに対応するチャネル構成情報を受信するように構成された、受信モジュールと、
PHおよびチャネル構成情報に従って、端末デバイスに対応する第2のセルの電力使用状態を取得するように構成された、取得モジュールと
を含む。
【００７８】
第9の態様に関連して、第9の態様の第1の可能な実施態様において、チャネルは、
物理アップリンク共有チャネルPUSCHおよび物理アップリンク制御チャネルPUCCH
のうちの少なくとも1つのチャネルを含む。
【００７９】
第9の態様または第9の態様の第1の可能な実施態様に関連して、第9の態様の第2の可能な実施態様において、チャネル構成情報は、
リソースブロックRBの数量、スケジューリング許可方式、伝送フォーマット情報、およびチャネル送信状態情報
のうちの少なくとも1つの情報を含む。
【００８０】
第9の態様の第2の可能な実施態様に関連して、第9の態様の第3の可能な実施態様において、スケジューリング許可方式は、
半永続的スケジューリング許可、動的スケジューリング許可、およびランダムアクセス応答許可
のうちの少なくとも1つの方式を含む。
【００８１】
第9の態様の第2の可能な実施態様に関連して、第9の態様の第4の可能な実施態様において、伝送フォーマット情報は、
PUSCHのビット情報、PUSCHが制御情報だけを搬送するかどうか、PUCCHの伝送フォーマット、およびPUCCH伝送のビット情報
のうちの少なくとも1つの情報を含む。
【００８２】
第9の態様または第9の態様の第1の可能な実施態様から第4の可能な実施態様のいずれか1つに関連して、第9の態様の第5の可能な実施態様において、本デバイスは、
電力使用状態に従って端末デバイスに関する協調スケジューリングを行うように構成された、協調モジュール
をさらに含む。
【００８３】
第9の態様の第5の可能な実施態様に関連して、第9の態様の第6可能な実施態様において、協調モジュールは、
電力使用状態に従って端末デバイスのために第2のネットワークデバイスのスケジューリングを制御するように構成された第1の制御部であって、第2のネットワークデバイスは第2のセルを制御するネットワークデバイスである、第1の制御部、および／または
電力使用状態に従って端末デバイスのために第1のネットワークデバイスのスケジューリングを制御するように構成された、第2の制御部
を含む。
【００８４】
第9の態様の第6の可能な実施態様に関連して、第9の態様の第7の可能な実施態様において、第1の制御部は、
電力使用状態に従って、第2のネットワークデバイスがその下で端末デバイスに関するスケジューリングを行うことができるスケジューリング制限条件を計算し、
第2のネットワークデバイスへ、スケジューリング制限条件を含む、制御シグナリングを送信する
ように特に構成されている。
【００８５】
第9の態様の第7の可能な実施態様に関連して、第9の態様の第8可能な実施態様において、第1の制御部は、電力使用状態およびスケジューリング制限条件に従って、端末デバイスのために第1のネットワークデバイスのスケジューリングを決定するようにさらに特に構成されている。
【００８６】
第9の態様または第9の態様の第1の可能な実施態様から第8の可能な実施態様のいずれか1つに関連して、第9の態様の第9の可能な実施態様において、本デバイスは、
端末デバイスが第1のネットワークデバイスへPHおよびチャネル構成情報を送信するように、端末デバイスへ通知シグナリングを送信するように構成された、送信モジュール
をさらに含む。
【００８７】
第10の態様によれば、本発明の一実施形態はネットワークデバイスを提供し、本ネットワークデバイスは、
第2のセルのサブフレームにチャネル伝送が存在し、電力余力PHが第2のセルの当該サブフレームに対応するときに、端末デバイスによって送信される、端末デバイスに対応する第2のセルのPHおよびPHに対応する最大送信電力を受信するように構成された、受信モジュールと、
PHおよび最大送信電力に従って、端末デバイスに対応する第2のセルの電力使用状態を取得するように構成された取得モジュールであって、PHは、事前定義されたチャネル構成情報に基づく、またはシグナリングによって構成されたチャネル構成情報に基づく端末デバイスによる計算を介して獲得され、PHに対応する最大送信電力は、PHに対応する第2のセルのサブフレームにおいて第2のセルのために端末デバイスによって構成される最大送信電力である、取得モジュールと
を含む。
【００８８】
第10の態様に関連して、第10の態様の第1の可能な実施態様において、チャネルは、
物理アップリンク共有チャネルPUSCHおよび物理アップリンク制御チャネルPUCCH
のうちの少なくとも1つのチャネルを含む。
【００８９】
第10の態様または第10の態様の第1の可能な実施態様に関連して、第10の態様の第2の可能な実施態様において、チャネル構成情報は、
リソースブロックRBの数量、スケジューリング許可方式、伝送フォーマット情報、およびチャネル送信状態情報
のうちの少なくとも1つの情報を含む。
【００９０】
第10の態様の第2の可能な実施態様に関連して、第10の態様の第3の可能な実施態様において、スケジューリング許可方式は、
半永続的スケジューリング許可、動的スケジューリング許可、およびランダムアクセス応答許可
のうちの少なくとも1つの方式を含む。
【００９１】
第10の態様の第2の可能な実施態様に関連して、第10の態様の第4の可能な実施態様において、伝送フォーマット情報は、
PUSCHのビット情報、PUSCHが制御情報だけを搬送するかどうか、PUCCHの伝送フォーマット、およびPUCCH伝送のビット情報
のうちの少なくとも1つの情報を含む。
【００９２】
第10の態様または第10の態様の第1の可能な実施態様から第4の可能な実施態様のいずれか1つに関連して、第10の態様の第5の可能な実施態様において、本デバイスは、
電力使用状態に従って端末デバイスに関する協調スケジューリングを行うように構成された、協調モジュール
をさらに含む。
【００９３】
第10の態様の第5の可能な実施態様に関連して、第10の態様の第6の可能な実施態様において、協調モジュールは、
電力使用状態に従って端末デバイスのために第2のネットワークデバイスのスケジューリングを制御するように構成された第1の制御部であって、第2のネットワークデバイスは第2のセルを制御するネットワークデバイスである、第1の制御部、および／または
電力使用状態に従って端末デバイスのために第1のネットワークデバイスのスケジューリングを制御するように構成された、第2の制御部
を含む。
【００９４】
第10の態様の第6の可能な実施態様に関連して、第10の態様の第7の可能な実施態様において、第1の制御部は、
電力使用状態に従って、第2のネットワークデバイスがその下で端末デバイスに関するスケジューリングを行うことができるスケジューリング制限条件を計算し、
第2のネットワークデバイスへ、スケジューリング制限条件を含む、制御シグナリングを送信する
ように特に構成されている。
【００９５】
第10の態様の第7の可能な実施態様に関連して、第10の態様の第8の可能な実施態様において、第1の制御部は、電力使用状態およびスケジューリング制限条件に従って、端末デバイスのために第1のネットワークデバイスのスケジューリングを決定するようにさらに特に構成されている。
【００９６】
第10の態様または第10の態様の第1の可能な実施態様から第8の可能な実施態様のいずれか1つに関連して、第10の態様の第9の可能な実施態様において、本デバイスは、
端末デバイスが第1のネットワークデバイスへPHおよびPHに対応する最大送信電力を送信するように、端末デバイスへ通知シグナリングを送信するように構成された、送信モジュール
をさらに含む。
【００９７】
第10の態様または第10の態様の第1の可能な実施態様から第9の可能な実施態様のいずれか1つに関連して、第10の態様の第10の可能な実施態様において、送信モジュールは、端末デバイスへシグナリングを送信するようにさらに構成されており、シグナリングはチャネル構成情報を含む。
【００９８】
第11の態様によれば、本発明の一実施形態はネットワークデバイスを提供し、本ネットワークデバイスは、
第2のネットワークデバイスによって送信されたシグナリングを受信するように構成された受信モジュールであって、第2のネットワークデバイスは第2のセルを制御するネットワークデバイスであり、シグナリングは、端末デバイスに対応する第2のセルの電力余力PHおよびPHに対応するチャネル構成情報を含む、受信モジュールと、
PHおよびチャネル構成情報に従って、端末デバイスに対応する第2のセルの電力使用状態を取得するように構成された、取得モジュールと
を含む。
【００９９】
第11の態様に関連して、第11の態様の第1の可能な実施態様において、チャネルは、
物理アップリンク共有チャネルPUSCHおよび物理アップリンク制御チャネルPUCCH
のうちの少なくとも1つのチャネルを含む。
【０１００】
第11の態様または第11の態様の第1の可能な実施態様に関連して、第11の態様の第2の可能な実施態様において、チャネル構成情報は、
リソースブロックRBの数量、スケジューリング許可方式、伝送フォーマット情報、およびチャネル送信状態情報
のうちの少なくとも1つの情報を含む。
【０１０１】
第11の態様の第2の可能な実施態様に関連して、第11の態様の第3の可能な実施態様において、スケジューリング許可方式は、
半永続的スケジューリング許可、動的スケジューリング許可、およびランダムアクセス応答許可
のうちの少なくとも1つの方式を含む。
【０１０２】
第11の態様の第2の可能な実施態様に関連して、第11の態様の第4の可能な実施態様において、伝送フォーマット情報は、
PUSCHのビット情報、PUSCHが制御情報だけを搬送するかどうか、PUCCHの伝送フォーマット、およびPUCCH伝送のビット情報
のうちの少なくとも1つの情報を含む。
【０１０３】
第11の態様または第11の態様の第1の可能な実施態様から第4の可能な実施態様のいずれか1つに関連して、第11の態様の第5の可能な実施態様において、本デバイスは、
電力使用状態に従って端末デバイスに関する協調スケジューリングを行うように構成された、協調モジュール
をさらに含む。
【０１０４】
第11の態様の第5の可能な実施態様に関連して、第11の態様の第6の可能な実施態様において、協調モジュールは、
電力使用状態に従って端末デバイスのために第2のネットワークデバイスのスケジューリングを制御するように構成された第1の制御部であって、第2のネットワークデバイスは第2のセルを制御するネットワークデバイスである、第1の制御部、および／または
電力使用状態に従って端末デバイスのために第1のネットワークデバイスのスケジューリングを制御するように構成された、第2の制御部
を含む。
【０１０５】
第11の態様の第6の可能な実施態様に関連して、第11の態様の第7の可能な実施態様において、第1の制御部は、
電力使用状態に従って、第2のネットワークデバイスがその下で端末デバイスに関するスケジューリングを行うことができるスケジューリング制限条件を計算し、
第2のネットワークデバイスへ、スケジューリング制限条件を含む、制御シグナリングを送信する
ように特に構成されている。
【０１０６】
第11の態様の第7の可能な実施態様に関連して、第11の態様の第8の可能な実施態様において、第1の制御部は、電力使用状態およびスケジューリング制限条件に従って、端末デバイスのために第1のネットワークデバイスのスケジューリングを決定するようにさらに特に構成されている。
【０１０７】
第11の態様または第11の態様の第1の可能な実施態様から第8の可能な実施態様のいずれか1つに関連して、第11の態様の第9の可能な実施態様において、本デバイスは、
第2のネットワークデバイスが第1のネットワークデバイスへ、端末デバイスに対応する第2のセルの電力余力PHおよびPHに対応するチャネル構成情報を含むシグナリングを送信するように、第2のネットワークデバイスへ通知シグナリングを送信するように構成された、送信モジュール
をさらに含む。
【０１０８】
第12の態様によれば、本発明の一実施形態はネットワークデバイスを提供し、本ネットワークデバイスは、
第2のセルのサブフレームにチャネル伝送が存在し、電力余力PHが第2のセルの当該サブフレームに対応するときに、第2のネットワークデバイスによって送信されたシグナリングを受信するように構成された受信モジュールであって、第2のネットワークデバイスは第2のセルを制御するネットワークデバイスであり、シグナリングは、端末デバイスに対応する第2のセルのPHおよびPHに対応する最大送信電力を含む、受信モジュールと、
PHおよび最大送信電力に従って、端末デバイスに対応する第2のセルの電力使用状態を取得するように構成された取得モジュールであって、PHは、事前定義されたチャネル構成情報に基づく、またはシグナリングによって構成されたチャネル構成情報に基づく端末デバイスによる計算を介して獲得され、PHに対応する最大送信電力は、PHに対応する第2のセルのサブフレームにおいて第2のセルのために端末デバイスによって構成される最大送信電力である、取得モジュールと
を含む。
【０１０９】
第12の態様に関連して、第12の態様の第1の可能な実施態様において、チャネルは、
物理アップリンク共有チャネルPUSCHおよび物理アップリンク制御チャネルPUCCH
のうちの少なくとも1つのチャネルを含む。
【０１１０】
第12の態様または第12の態様の第1の可能な実施態様に関連して、第12の態様の第2の可能な実施態様において、チャネル構成情報は、
リソースブロックRBの数量、スケジューリング許可方式、伝送フォーマット情報、およびチャネル送信状態情報
のうちの少なくとも1つの情報を含む。
【０１１１】
第12の態様の第2の可能な実施態様に関連して、第12の態様の第3の可能な実施態様において、スケジューリング許可方式は、
半永続的スケジューリング許可、動的スケジューリング許可、およびランダムアクセス応答許可
のうちの少なくとも1つの方式を含む。
【０１１２】
第12の態様の第2の可能な実施態様に関連して、第12の態様の第4の可能な実施態様において、伝送フォーマット情報は、
PUSCHのビット情報、PUSCHが制御情報だけを搬送するかどうか、PUCCHの伝送フォーマット、およびPUCCH伝送のビット情報
のうちの少なくとも1つの情報を含む。
【０１１３】
第12の態様または第12の態様の第1の可能な実施態様から第4の可能な実施態様のいずれか1つに関連して、第12の態様の第5の可能な実施態様において、本デバイスは、
電力使用状態に従って端末デバイスに関する協調スケジューリングを行うように構成された、協調モジュール
をさらに含む。
【０１１４】
第12の態様の第5の可能な実施態様に関連して、第12の態様の第6の可能な実施態様において、協調モジュールは、
電力使用状態に従って端末デバイスのために第2のネットワークデバイスのスケジューリングを制御するように構成された第1の制御部であって、第2のネットワークデバイスは第2のセル第1のネットワークデバイスを制御するネットワークデバイスである、第1の制御部、および／または
電力使用状態に従って端末デバイスに関するスケジューリングを制御するように構成された、第2の制御部
を含む。
【０１１５】
第12の態様の第6の可能な実施態様に関連して、第12の態様の第7の可能な実施態様において、第1の制御部は、
電力使用状態に従って、第2のネットワークデバイスがその下で端末デバイスに関するスケジューリングを行うことができるスケジューリング制限条件を計算し、
第2のネットワークデバイスへ、スケジューリング制限条件を含む、制御シグナリングを送信する
ように特に構成されている。
【０１１６】
第12の態様の第7の可能な実施態様に関連して、第12の態様の第8の可能な実施態様において、第1の制御部は、電力使用状態およびスケジューリング制限条件に従って、端末デバイスのために第1のネットワークデバイスのスケジューリングを決定するようにさらに特に構成されている。
【０１１７】
第12の態様または第12の態様の第1の可能な実施態様から第8の可能な実施態様のいずれか1つに関連して、第12の態様の第9の可能な実施態様において、本デバイスは、
第2のネットワークデバイスが、第1のネットワークデバイスへ、PHおよびPHに対応する最大送信電力を含むシグナリングを送信するように、第2のネットワークデバイスへ通知シグナリングを送信するように構成された、送信モジュール
をさらに含む。
【０１１８】
本発明の実施形態においては、端末デバイスが、端末デバイスに対応する第2のセルの電力余力PHを決定し、第1のネットワークデバイスへ、PHおよびPHに対応するチャネル構成情報を送信し、このため、第1のネットワークデバイスは、PHおよびチャネル構成情報に従って、端末デバイスに対応する第2のセルの電力使用状態を取得する。このようにして、異なるネットワークデバイス間でのUEの送信電力を適正に割り振ることができ、したがって、システムリソースが適正に使用される。
【０１１９】
本発明の実施形態における、または先行技術における技術的解決策をより明確に説明するために、以下に、各実施形態または先行技術を説明するのに必要とされる添付の図面について簡単に記述する。明らかに、以下の説明の添付の図面は本発明のいくつかの実施形態を示すものであり、当業者はこれら添付の図面から難なく他の図面をさらに導出することができる。
【図面の簡単な説明】
【０１２０】
【図１】従来のCA技術の概略図である。
【図２】本発明による電力使用状態情報伝送方法の実施形態1の流れ図である。
【図３】本発明による電力使用状態情報伝送方法の実施形態2の流れ図である。
【図４】本発明による電力使用状態情報伝送方法の実施形態3の流れ図である。
【図５】電力使用状態情報伝送方法のシグナリング図である。
【図６】本発明による電力使用状態情報伝送方法の実施形態4の流れ図である。
【図７】本発明による電力使用状態情報伝送方法の実施形態5の流れ図である。
【図８】本発明による電力使用状態情報伝送方法の実施形態6の流れ図である。
【図９】本発明による端末デバイスの実施形態1の概略的構造図である。
【図１０】本発明による端末デバイスの実施形態2の概略的構造図である。
【図１１】本発明による端末デバイスの実施形態3の概略的構造図である。
【図１２】本発明による端末デバイスの実施形態4の概略的構造図である。
【図１３】本発明によるネットワークデバイスの実施形態1の概略的構造図である。
【図１４】本発明によるネットワークデバイスの実施形態2の概略的構造図である。
【図１５】本発明によるネットワークデバイスの実施形態3の概略的構造図である。
【図１６】本発明によるネットワークデバイスの実施形態4の概略的構造図である。
【図１７】本発明によるネットワークデバイスの実施形態5の概略的構造図である。
【図１８】本発明によるネットワークデバイスの実施形態6の概略的構造図である。
【図１９】本発明によるネットワークデバイスの実施形態7の概略的構造図である。
【図２０】本発明によるネットワークデバイスの実施形態8の概略的構造図である。
【発明を実施するための形態】
【０１２１】
本発明の実施形態の目的、技術的解決策、および利点をより明確にするために、以下で、本発明の実施形態における添付の図面に関連して本発明の実施形態における技術的解決策を明確かつ十分に説明する。明らかに、説明される実施形態は本発明の実施形態の全部ではなく一部にすぎない。本発明の実施形態に基づいて当業者によって難なく得られる他のすべての実施形態は、本発明の保護範囲内に含まれるものとする。
【０１２２】
図2は、本発明による電力使用状態情報伝送方法の実施形態1の流れ図である。図2に示すように、本実施形態の方法は以下を含むことができる。
【０１２３】
ステップ201：端末デバイスが、端末デバイスに対応する第2のセルの電力余力PHを決定する。
【０１２４】
ステップ202：端末デバイスは、第1のネットワークデバイスへ、PHおよびPHに対応するチャネル構成情報を送信する。第1のネットワークデバイスは第1のセルを制御するネットワークデバイスである。
【０１２５】
本発明の本実施形態において、端末デバイスはUEとすることができ、ネットワークデバイスはeNodeBとすることができる。UEが2つのeNodeBによって制御されるセルのカバレッジエリアに位置するとき、UEはこれら2つのeNodeBによってスケジュールされうる。本実施形態では、説明を容易にするために、これら2つのeNodeBのうちの第1のeNodeBによって制御されるセルが第1のセルであり、第2のeNodeBによって制御されるセルが第2のセルであるものと規定する。任意選択で、UEが同じネットワークデバイスの異なるユニットによって制御されるセルのカバレッジエリアに位置するとき、UEはこれら2つのユニットによってスケジュールされうる。本実施形態では、説明を容易にするために、これら2つのユニットのうちの第1のユニットによって制御されるセルが第1のセルであり、第2のユニットによって制御されるセルが第2のセルであるものと規定する。本発明の以下の実施形態においては、UEが2つのeNodeBによってスケジュールされる場合を例に取る。UEの合計送信電力の値は、人間の健康、ネットワーク構成などの面での要件によって決定される最大送信電力を満たす必要がある。したがって、UEは、第1のセルを制御する第1のネットワークデバイスがUEによって報告されたPHに従ってUEの残存電力に関する情報を取得するように、第1のネットワークデバイスへ、UEに対応する第2のセルのPHを報告することができる。PHは、UEの最大送信電力とUEの推定アップリンク送信電力との間の差を含み、PHは、第2のセルにおけるPUSCHおよび／またはPUCCHの実際の伝送状態に基づいてUEによって決定されうる。
【０１２６】
通信システムは理想的バックホールではなく、第1のネットワークデバイスは、UEによって報告されるPHだけに従って、PHに対応するリソースブロックRBの数量といったチャネル伝送情報を知ることはできない。したがって、本発明の本実施形態において、UEは、第1のネットワークデバイスへPHを報告する間にPHに対応するチャネル構成情報をさらに報告することができ、このため、第1のネットワークデバイスは、PHおよびPHに対応するチャネル構成情報に従って、別のネットワークデバイスによって制御されるセルにおけるUEの電力使用状況を獲得し、それによって、UEに関する協調スケジューリングを行う。チャネルは、PUSCHおよびPUCCHのうちの少なくとも1つのチャネルを含む。チャネル構成情報は、UEに関して第2のセルを制御する第2のネットワークデバイスのチャネル伝送に関連した情報であり、UEのための第2のネットワークデバイスのスケジューリングに従って絶えず変更される。チャネル構成情報は、リソースブロックRBの数量、スケジューリング許可方式、伝送フォーマット情報、およびチャネル送信状態情報のうちの少なくとも1つの情報を含むことができ、また、閉ループ電力制御調整値fc（i）といった他の構成情報を含むこともでき、これは本発明においては限定されない。任意選択で、チャネル送信状態は、PUSCHおよび／またはPUCCHを送信すべきかどうかを含むこともできる。任意選択で、第1のネットワークデバイスの無線リソース制御（Radio Resource Control、略称RRC）層が、第1のネットワークデバイスと第2のネットワークデバイスの両方のを制御するときには、上位層構成に関連した、第2のネットワークデバイスの、PO＿PUSCH，c（j）やαc（j）といったいくつかのパラメータが第1のネットワークデバイスに知られており、したがって、UEは、上位層構成に関連した前述のパラメータを第1のネットワークデバイスに報告する必要がない。任意選択で、上位層構成に関連した前述のパラメータが第1のネットワークデバイスに知られていない場合には、それらのパラメータは一般に、上位層構成によって動的に変更されず、半永続的に変更されるため、第1のネットワークデバイスは、チャネル構成情報に従ってUEの電力使用状態を依然として決定することが
でき、UEは上位層構成に関連した前述のパラメータを第1のネットワークデバイスに報告する必要がない。
【０１２７】
任意選択で、チャネル構成情報の少なくとも1つの情報が事前定義されており、またはシグナリング構成ベースである場合、すなわち、事前定義された、またはシグナリング構成ベースのチャネル構成情報が第1のネットワークデバイスに知られている場合（シグナリングは第1のネットワークデバイスによってUEへ送信される）、UEは、第1のネットワークデバイスへ事前定義された、またはシグナリング構成ベースのチャネル構成情報を送信する必要がなく、UEは、チャネル構成情報において第1のネットワークデバイスへ、第1のネットワークデバイスに知られていない情報を送信しさえすればよい。すなわち、UEは、チャネル構成情報において第1のネットワークデバイスへ、事前定義されていない、またはシグナリング構成ベースでない情報を送信しさえすればよい。さらに、スケジューリング許可方式は、半永続的スケジューリング許可、動的スケジューリング許可、およびランダムアクセス応答許可のうちの少なくとも1つの方式を含み、スケジューリング許可方式は変数jの値を用いて表記され、jは、0、1、または2とすることができ、j＝0のとき、スケジューリング許可方式は半永続的スケジューリング許可であり、j＝1のとき、スケジューリング許可方式は動的スケジューリング許可であり、j＝2のとき、スケジューリング許可はランダムアクセス応答許可である。伝送フォーマット情報は、PUSCHのビット情報、PUSCHが制御情報だけを搬送するかどうか、PUCCHの伝送フォーマット、およびPUCCH伝送のビット情報のうちの少なくとも1つの情報を含む。PUSCHのビット情報は、PUSCHのビット／リソースエレメント（Bits Per Resource Element、略称BPRE）および／またはPUSCHで搬送されるトランスポートブロックのサイズ情報を含むことができる。
【０１２８】
任意選択で、端末デバイスが端末デバイスに対応する第2のセルの電力余力PHを決定する方式について、具体的には、UEは、第2のネットワークデバイスのチャネル伝送状態に基づき、以下の式を用いた計算を介してPHを獲得することができる。
【０１２９】
キャリアアグリゲーションに際して、セルごとにUEによってPHが計算され、報告され、Type1およびType2の、2つのタイプの電力余力（power headroom）が定義される。
【０１３０】
（1）Type1方式では、
UEがサービングセル（cell、略称c）のサブフレームiでPUSCHを送信するが、PUCCHを送信しないときには、
PHtype1，c（i）＝PCMAX，c（i）−｛10log10（MPUSCH，c（i））＋PO＿PUSCH，c（j）＋αc（j）・PLc＋ΔTF，c（i）＋fc（i）｝［db］（1）
であり、式中、PCMAX，c（i）は、PUSCHチャネルがサービングセルcのサブフレームiで送信されるときにUEによって構成される最大送信電力であり、
UEがサービングセルcのサブフレームiでPUSCHおよびPUCCHを送信するときには、
【数１】
2016540447.tif 000003
（2）
であり、式中、
【数２】
2016540447.tif 000004
は、PUSCHチャネルが送信されるが、UEは、サービングセルcのサブフレームiでPUCCHのみが送信されるものと想定するときに獲得されるUEの最大送信電力であり、
UEがサービングセルcのサブフレームiでPUSCHを送信しないときには、UEは、サービングセルcを制御するネットワークデバイスへ仮想タイプ1（virtual type1）PHを送信し、virtual  type1  PHは、PUSCHの参照フォーマット（reference format）を使用し、
【数３】
2016540447.tif 000005
（3）
であり、式中、PCMAX，c（i）は、サービングセルcのサブフレームiにおけるUEの最大送信電力であり、
【数４】
2016540447.tif 000006
は、サービングセルcのサブフレームiにおける所与の想定でのUEの最大送信電力であり、
MPUSCH，c（i）は、サブフレームiでPUSCHのために割り振られるRBの数量であり、
PO＿PUSCH，c（j）は、開ループ電力制御調整値であり、PO＿PUSCH，c（j）の値は、異なる値jに対応する、サービングセルcの上位層構成の、パラメータによって決定され、変数jはPUSCHのスケジューリング許可方式に関連したものであり、PUSCH伝送が半永続的スケジューリングによって許可されるときには、j＝0であり、PUSCH伝送が動的スケジューリングによって許可されるときには、j＝1であり、PUSCH伝送がランダムアクセス応答によって許可されるときには、j＝2であり、
αc（j）は、上位層構成のパラメータおよび変数jによって共同で決定される一部伝搬損補正値であり、j＝0または1のとき、αc（j）は、サービングセルcの上位層構成のパラメータによって決定され、j＝2のとき、αc（j）＝1であり、
PLcは、UEによる測定によって獲得されるサービングセルcの伝搬損であり、
ΔTF，c（i）は、UEによって送信されるコード・ワード・フローのBPRE、パラメータKs、および
【数５】
2016540447.tif 000007
による、式
【数６】
2016540447.tif 000008
を用いた計算を介して獲得される伝送フォーマット補正値であり、式中、Ksは、上位層構成のパラメータであり、Ksの値は1．25または0とすることができ、BPREは、ユーザデータで搬送されるビットの数量およびユーザデータのために割り振られるリソースエレメント（Resource Element、略称RE）の数量であり、具体的な計算式は以下のとおりである。
PUSCHが制御情報のみを搬送するときには、BPRE＝OCQI／NREであり、式中、OCQIは、CRCビットを含むCQI／PMIビットであり、NREは、REの数量であり、PUSCHが制御情報のみを搬送する場合ではない場合には、
【数７】
2016540447.tif 000009
であり、式中、Cは、アップリンクPUSCHのユーザデータのコードブロックの数量であり、第rのコードブロックのコード・ブロック・サイズはKrであり、PUSCHが制御情報のみを搬送するときには、
【数８】
2016540447.tif 000010
であり、式中、
【数９】
2016540447.tif 000011
は、上位層構成のパラメータであり、PUSCHが制御情報のみを搬送する場合ではない場合には、
【数１０】
2016540447.tif 000012
であり、
fc（i）は、基地局によって送信される電力制御コマンドによって決定される閉ループ電力制御調整値である。
【０１３１】
（2）Type2方式では、
UEがPcellのサブフレームiでPUSCHとPUCCHの両方を送信するときには、
【数１１】
2016540447.tif 000013
（4）であり、
UEがPcellのサブフレームiでPUSCHを送信するがPUCCHを送信しないときには、
【数１２】
2016540447.tif 000014
（5）であり、
UEがPcellのサブフレームiでPUCCHを送信するがPUSCHを送信しないときには、
【数１３】
2016540447.tif 000015
（6）であり、
UEがPcellのサブフレームiでPUSCHもPUCCHも送信しないときには、UEは、Pcellセルを制御するネットワークデバイスへ仮想タイプ2（virtual type2）PHを送信し、virtual  type2  PHは、PUSCHおよびPUCCHの参照フォーマットを使用し、
【数１４】
2016540447.tif 000016
（7）
であり、式中、ΔF＿PUCCH（F）は、PUCCHフォーマットに関連したパラメータであり、上位層構成のパラメータによって決定され、
h（nCQI，nHARQ，nSR）は、PUCCHフォーマットに関連した変数であり、nCQIは、CQIのビットであり、サブフレームiがスケジューリング要求（Scheduling Request、略称SR）を送信することができることが構成される場合には、nSR＝1であり、サブフレームiがスケジューリング要求を送信することができることが構成されない場合には、nSR＝0であり、nHARQは、UEによって構成されるサービングセルの数量、PUCCH伝送のPUCCHフォーマット、およびHARQ−ACKビットの数量に関連したものであり、異なるPUCCHフォーマットでは、h（nCQI，nHARQ，nSR）は、対応するnCQI、nHARQ、およびnSRの各値に従った計算を介して獲得され、h（nCQI，nHARQ，nSR）の計算式は、先行技術のものであり、ここでは詳細を繰り返し記述しない。
PO＿PUCCHは、開ループ電力制御調整値であり、RRC構成パラメータによって決定され、
ΔTxD（F’）は、PUCCHおよびPUCCHフォーマットを送信するアンテナポートの数量に関連したものであり、PUCCHが2つのアンテナポートを用いて送信されるときには、ΔTxD（F’）は、PUCCHフォーマットに関連したパラメータであり、専用シグナリングを用いて上位層によってUEのために構成され、PUCCHが2つのアンテナポートを用いて送信されない場合には、ΔTxD（F’）＝0であり、
g（i）は、基地局によって送信される電力制御コマンドによって決定される閉ループ電力制御調整値である。
【０１３２】
したがって、UEは、前述のType1方式における式を用いて、サービングセルのサブフレームにおけるUEのチャネル伝送状況（PUSCHおよび／またはPUCCH伝送状況など）に従った計算を介して、UEに対応する第2のセルのPHを獲得することができ、第2のセルがPcellであるときには、UEは、前述のType2方式における式を用いて、PcellのサブフレームにおけるUEのチャネル伝送状況（PUSCHおよび／またはPUCCH伝送状況など）に従った計算を介して、UEに対応する第2のセルのPHを獲得することができる。
【０１３３】
さらに、端末デバイスが、端末デバイスに対応する第2のセルのPHを決定するステップの前に、本方法は、
端末デバイスが、第1のネットワークデバイスによって送信された通知シグナリングを受信するステップであって、通知シグナリングは、端末デバイスに、第1のネットワークデバイスへ、端末デバイスに対応する第2のセルのPHおよびPHに対応するチャネル構成情報を送信するよう命令するのに使用される、第1のネットワークデバイスによって送信された通知シグナリングを受信するステップ
をさらに含む。
【０１３４】
本発明の本実施形態においては、UEが、UEに対応する第2のセルのPHおよびPHに対応するチャネル構成情報が第1のネットワークデバイスへ送信される必要があることを決定したときに、UEは第1のネットワークデバイスへPHおよびチャネル構成情報を送信する。具体的には、UEが、UEに対応する第2のセルのPHおよびチャネル構成情報が第1のネットワークデバイスへ送信される必要があることを決定する方式は、以下の2つの実施態様とすることができる。第1の実施態様は、通信システムにおいて、UEが間隔を置いて第1のネットワークデバイスへ、UEに対応する第2のセルのPHおよびPHに対応するチャネル構成情報を送信するものと規定されている場合に、UEは規定に従って間隔を置いてPHおよびチャネル構成情報を送信することを必要としうる、というものである。第2の実施態様は、UEが第1のネットワークデバイスの命令を受信した後で、例えば、UEが第1のネットワークデバイスによって送信された通知シグナリングを受信した後で、UEは、UEに対応する第2のセルのPHおよびPHに対応するチャネル構成情報が第1のネットワークデバイスへ送信される必要があることを決定し、通知シグナリングは、UEに、第1のネットワークデバイスへ、UEに対応する第2のセルのPHおよびチャネル構成情報を送信するよう命令するための命令を含む、というものである。加えて、UEが、UEに対応する第2のセルのPHおよびチャネル構成情報が第1のネットワークデバイスへ送信される必要があることを決定する方式は、別の方式とすることもでき、これは本発明の本実施形態においては限定されない。
【０１３５】
3GPPの提案R2−134234では、eNodeB間の接続が非理想的バックホールであるため、あるeNodeBが別のeNodeBにおけるUEの残存電力を知ることを可能にすることが意図される場合、それらのeNodeBは、別のeNodeBによって制御されるセルにおけるUEのPHを相互に知ること、すなわち、各eNodeBがUEによって報告されるPHを交換することを必要とされることに言及している。PHは、UEによって行われる送信によって、またはeNodeBによって行われるバックホール送信によって交換されうる。加えて、PH交換は、UEの最大送信電力を超えるという問題、またはUEのための2つのeNodeBのスケジューリングによってUEの電力利用の低下が引き起こされるという問題を回避するのにも役立つ。しかし、R2−134234提案では、eNodeBは、別のeNodeBにおけるセルのPHに従ってセルの将来の電力使用および残存電力状況を正確に獲得することができず、状況を推測することができるにすぎない。したがって、R2−134234で提供される方法は、eNodeB間でPHを交換するのに使用されるにすぎず、eNodeBが別のeNodeBにおけるUEの電力使用状況を取得することを可能とするという本発明によって解決されるべき問題を解決することができない。
【０１３６】
任意選択で、ヘテロジニアス・ネットワーク・シナリオである場合には、本発明の本実施形態では、マクロセル（macro cell）とスモールセル（small cell）とがUEにサービスするためにCAを形成する例が使用され、マクロセルとスモールセルとは異なるキャリアを使用し、マクロセルを制御するeNodeBはMeNodeBであり、スモールセルを制御するeNodeBはSeNodeBである。MeNodeBとSeNodeBとの間は非理想的バックホール接続であり、したがって、CAは、非理想的バックホールCAとみなされうる。加えて、各eNodeBにおいて、複数のセルが異なるキャリア上でUEにサービスするために理想的バックホールCAを形成することもできる。UEは、（対応して第1のセルと呼ばれる）マクロセルへ、（対応して第2のセルと呼ばれる）スモールセルのPH、およびPHに対応するチャネル構成情報を報告する。
【０１３７】
本発明の本実施形態で定義されるベースラインは、ダウンリンクデュアル接続をサポートするUEはアップリンクデュアル伝送をサポートすることができる、すなわち、UEは2つのダウンリンクセルに対応するアップリンクにおける同時伝送をサポートする、というものである。マクロセルとスモールセルとの間は非理想的バックホールであり、ダウンリンク伝送に関連した、UEによってフィードバックされる制御情報をセル間で適時に交換することができない。したがって、UEは、肯定応答／否定応答（Acknowledgement／Negative Acknowledgement、略称ACK／NACK）といった、スモールセルとマクロセルとのダウンリンク伝送に関連したUEの制御情報をそれぞれフィードバックするために、マクロセルとスモールセルとのアップリンクにおいてそれぞれ、PUCCHを送信することを必要とされる。任意選択で、マクロセルとスモールセルとのアップリンクがCAとして構成されない場合には、UEは、セルのアップリンクでPUSCHおよびPUCCHを送信し、別のセルのアップリンクでPUCCHのみを送信する。マクロセルとスモールセルとのアップリンクがCAとして構成される場合には、UEは、2つのセルの両方のアップリンクでPUSCHおよびPUCCHを送信することができる。
【０１３８】
任意選択で、本発明の本実施形態では、UEが非CA構成のセルのtype2  PHまたはCA構成のScellのtype2  PHを報告することができる場合には（先行技術は、CA構成のPcellのtype2  PHの報告のみをサポートする）。任意選択で、前述の実施形態でのチャネル構成情報は、PUCCHフォーマットといった、PUCCHに関連した情報をさらに含むこともできる。
【０１３９】
本発明の本実施形態においては、端末デバイスが、端末デバイスに対応する第2のセルの電力余力PHを決定し、第1のネットワークデバイスへ、PHおよびPHに対応するチャネル構成情報を送信し、このため、第1のネットワークデバイスは、PHおよびチャネル構成情報に従って、端末デバイスに対応する第2のセルの電力使用状態を取得する。このようにして、異なるネットワークデバイス間でのUEの送信電力を適正に割り振ることができ、したがって、システムリソースが適正に使用される。
【０１４０】
図3は、本発明による電力使用状態情報伝送方法の実施形態2の流れ図である。図3に示すように、本実施形態の方法は以下を含むことができる。
【０１４１】
ステップ301：第2のセルのサブフレームにチャネル伝送が存在し、電力余力PHが第2のセルの当該サブフレームに対応するときに、端末デバイスが、端末デバイスに対応する第2のセルのPHを決定する。
【０１４２】
ステップ302：端末デバイスは第1のネットワークデバイスへ、PHおよびPHに対応する最大送信電力を送信する。第1のネットワークデバイスは第1のセルを制御するネットワークデバイスであり、PHは、事前定義されたチャネル構成情報に基づく、またはシグナリングによって構成されたチャネル構成情報に基づく端末デバイスによる計算を介して獲得され、PHに対応する最大送信電力は、PHに対応する第2のセルのサブフレームにおいて第2のセルのために端末デバイスによって構成される最大送信電力である。
【０１４３】
本発明の本実施形態において、端末デバイスはUEとすることができ、ネットワークデバイスはeNodeBとすることができる。本発明による電力使用状態情報伝送方法の実施形態1と異なり、本発明の本実施形態では、第2のセルのサブフレームにチャネル伝送が存在し、PHが第2のセルの当該サブフレームに対応するときに、すなわち、端末デバイスが第2のセルの当該サブフレームでチャネルを送信し、PHが第2のセルの当該サブフレームに対応するときに、UEは第1のセルへ、UEに対応する第2のセルの電力余力PHおよびPHに対応する最大送信電力を送信し、このため、第1のネットワークデバイスは、PHおよび最大送信電力に従って、UEに対応する第2のセルの電力使用状態を取得し、UEは、第2のセルの対応するサブフレームにおける実際の伝送に基づくUEによる計算を介して獲得されるPHと対応するチャネル構成情報の両方を報告しなくてよい。PHに対応する最大送信電力は、PHに対応する第2のセルのサブフレームにおいて第2のセルのために端末デバイスによって構成される最大送信電力であり、すなわち、最大送信電力はUEに知られており、PHは、事前定義されたチャネル構成情報に基づく、またはシグナリングによって構成されたチャネル構成情報に基づくUEによる計算を介して獲得されるPHである。任意選択で、一実施態様においては、チャネル構成情報に含まれる変数が参照構成の固定値として事前定義され、PHは、事前定義された参照構成において計算を介して獲得される。別の実施態様においては、UEは、受信された上位層シグナリングまたは物理層シグナリングにおいて構成されたチャネル構成情報に従った計算を介してPHを獲得することができ、上位層シグナリングまたは物理層シグナリングはチャネル構成情報を含む。任意選択で、上位層シグナリングは第1のネットワークデバイスによって送信されうる。加えて、前述の電力使用状態情報伝送方法の実施形態1におけるPHは、第2のセルの対応するサブフレームにおける実際の伝送状況に基づくUEによる計算を介して獲得されるPHである。チャネルは、PUSCHおよびPUCCHのうちの少なくとも1つのチャネルを含む。チャネル構成情報は、リソースブロックRBの数量、スケジューリング許可方式、伝送フォーマット情報、およびチャネル送信状態情報のうちの少な
くとも1つの情報を含むことができ、また、閉ループ電力制御調整値fc（i）といった他の構成情報を含むこともでき、これは本発明においては限定されない。任意選択で、チャネル送信状態は、PUSCHおよび／またはPUCCHを送信すべきかどうかを含むこともできる。スケジューリング許可方式は、半永続的スケジューリング許可、動的スケジューリング許可、およびランダムアクセス応答許可のうちの少なくとも1つの方式を含み、スケジューリング許可方式は、変数jの値を用いて表記され、jは、0、1、または2である。伝送フォーマット情報は、PUSCHのビット情報、PUSCHが制御情報だけを搬送するかどうか、PUCCHの伝送フォーマット、およびPUCCH伝送のビット情報のうちの少なくとも1つの情報を含む。PUSCHのビット情報は、PUSCHのBPREおよび／またはPUSCHで搬送されるトランスポートブロックのサイズ情報を含むことができる。
【０１４４】
任意選択で、PHがtype1  PHであるときには、チャネル伝送時にPUSCHを含むことができる。PHがtype2  PHであるときには、チャネル伝送時にPUSCHまたはPUCCHチャネルを含むことができる。
【０１４５】
任意選択で、端末デバイスが端末デバイスに対応する第2のセルの電力余力PHを決定する方式については、具体的には、端末デバイスは、事前定義されたチャネル構成情報に基づく、または以下のような方式でシグナリングによって構成されたチャネル構成情報に基づく計算を介してPHを獲得することができる。
【０１４６】
事前定義ベースの、またはシグナリング構成ベースのチャネル構成情報（すなわち、第1のネットワークデバイスに知られているチャネル構成情報）、例えば、事前定義された、またはシグナリング構成されたチャネル構成情報は、PUSCHのRBの数量、スケジューリング許可方式が動的スケジューリングであること、伝送フォーマット情報、およびUEのチャネル送信状態とすることができる場合、例えば、PUSCHのRBの数量は2であり、スケジューリング許可方式は動的スケジューリング、すなわち、j＝1であり、UEの伝送フォーマット情報はBPREであり、UEはPUCCHチャネルを送信しない。任意選択で、UEは、PHを獲得するために、前述の情報を実施形態1の式（1）に代入する。具体的な計算方式の詳細については、前述の実施形態を参照されたい。
【０１４７】
任意選択で、前述のチャネル構成情報が以下を含むことができる場合、例えば、PUSCHのRBの数量は1であり、スケジューリング許可方式は動的スケジューリング許可（すなわちj＝1）であり、BPREは固定値として事前定義されており、ΔTF，c（i）は、BPREを上位層構成のパラメータと組み合わせることによって獲得することができ、またはΔTF，c（i）＝0であると直接事前定義され、UEはPUCCHを送信しない。任意選択で、参照構成においては、サービングセルcにおける送信電力に関連した、UEのパラメータ、例えば、最大電力低減（Maximum Power Reduction、略称MPR）は0dBであり、追加最大電力低減（Additional Maximum Power Reduction、略称A−MPR）は0dBであり、電力管理最大電力低減（Power Management Maximum Power Reduction、略称P−MPR）は0dBであり、TC＝0dBである、とさらに想定することもでき、パラメータに従って、計算を介して獲得されるサービングセルcの最大送信電力は
【数１５】
2016540447.tif 000017
であると想定され、TCは、バンド端送信電力制限条件に関連したパラメータである。獲得される
【数１６】
2016540447.tif 000018
は、UEのチャネル伝送状況に関連したものではなく、したがって、ある種の仮想最大送信電力である。
【０１４８】
任意選択で、前述の参照構成においては、UEは、事前定義されたチャネル構成情報またはシグナリングによって構成されたチャネル構成情報に基づいて、以下の計算式を用いてPHを獲得することもできる。
PH＝PCMAX，c（i）−｛PO＿PUSCH，c（1）＋αc（1）・PLc＋fc（i）｝［db］  （8）
式中、PCMAX，c（i）は、実際のチャネル伝送状況に従ったUEによる構成を介して獲得される最大送信電力である。
【０１４９】
任意選択で、前述の参照構成においては、UEは、事前定義されたチャネル構成情報またはシグナリングによって構成されたチャネル構成情報に基づいて、以下の計算式を用いてPHをさらに獲得することもできる。
【０１５０】
【数１７】
2016540447.tif 000019
（9）
であり、式中、
【数１８】
2016540447.tif 000020
は、パラメータ想定に基づく仮想最大送信電力である。
【０１５１】
式（8）および式（9）中の他のパラメータの意味は、実施形態1におけるパラメータの意味と同じである。
【０１５２】
任意選択で、PHが計算されるときに使用される最大送信電力（実際の最大送信電力）がPCMAX，c（i）であるとき、すなわち、前述の式（8）が使用されるときには、UEは、（実際の最大送信電力は第1のネットワークデバイスに知られていないため）第1のネットワークデバイスが、第2のネットワークデバイスにおけるUEの電力使用状況をより正確に知るように、第1のネットワークデバイスへ、PHおよびPHに対応する最大送信電力を送信する必要がある。
【０１５３】
任意選択で、PHが計算されるときに使用される最大送信電力（仮想最大送信電力）が
【数１９】
2016540447.tif 000021
であるとき、すなわち、前述の式（9）が使用されるときには、UEが、UEに対応する第2のセルのPHが第1のネットワークデバイスへ送信される必要があることを決定した後で、PHが第1のネットワークデバイスへ送信される必要があり、（仮想最大送信電力は事前定義することができ、仮想最大送信電力は第1のネットワークデバイスに知られているため）PHに対応する最大送信電力は第1のネットワークデバイスへ送信される必要がない。
【０１５４】
式（9）のチャネルパラメータは、前述の電力使用状態情報伝送方法の実施形態1の式（3）のチャネル構成と同じであり、したがって、式（9）は前述の電力使用状態情報伝送方法の実施形態1の式（3）と同じである。任意選択で、本実施形態の参照構成が式（3）の参照構成と異なる場合には、対応して獲得される式は式（3）と異なり、本実施形態では詳細を繰り返さない。
【０１５５】
前述の参照構成においては、前述の式（9）は先行技術の式（3）と類似している。しかし、先行技術では、報告されたPHに対応するサブフレームにおいてPUSCHが送信されないときに限って、UEはサービング・ネットワーク・デバイスへvirtual  type1  PHを送信し、virtual  type1  PHはPUSCHの参照フォーマットを使用する。したがって、本実施形態では、チャネルが伝送されるときに、UEによって報告されるPHは、やはり参照構成に従った計算を介して獲得され、次いで報告されるPHであり、第2のセルに対応するサブフレームにおけるPUSCHの実際の送信状況に従った計算を介して獲得されるPHではない。この場合には、第1のネットワークデバイスは、第1のネットワークデバイスが電力使用状態に従ってUEに関して協調スケジューリングをさらに行うために、PHに対応する第2のセルのサブフレームにおけるUEのPUSCHの実際の送信状況を知らずに、PUSCHの各RBが必要とする電力といった第2のネットワークデバイスにおけるUEの電力使用状態を推定することができる。
【０１５６】
本発明の本実施形態においては、前述の参照構成に基づいて獲得されるPH計算式は一例として使用されているにすぎず、具体的な参照構成および対応するPH計算式は本発明の本実施形態では限定されない（というのは、参照構成が異なるときには、任意選択で、構成情報が実施形態1の式に代入された後に獲得されるPH計算式も異なるからである）。
【０１５７】
さらに、端末デバイスが、端末デバイスに対応する第2のセルのPHを決定するステップの前に、本方法は、
端末デバイスが、第1のネットワークデバイスによって送信された通知シグナリングを受信するステップであって、通知シグナリングは、端末デバイスに、第1のネットワークデバイスへ、端末デバイスに対応する第2のセルのPHおよびPHに対応する最大送信電力を送信するよう命令するのに使用される、第1のネットワークデバイスによって送信された通知シグナリングを受信するステップ
をさらに含む。
【０１５８】
本発明の本実施形態においては、UEが、UEに対応する第2のセルのPHが第1のネットワークデバイスへ送信される必要があることを決定し、UEが第2のセルに対応するサブフレームにおいてチャネルを伝送するときに、UEは、第1のネットワークデバイスへ、PHおよびPHに対応する最大送信電力を送信する。具体的には、UEが、UEに対応する第2のセルのPHが第1のネットワークデバイスへ送信される必要があることを決定する方式は、以下の2つの実施態様とすることができる。第1の実施態様は、通信システムにおいて、UEが間隔を置いて第1のネットワークデバイスへ、UEに対応する第2のセルのPHおよびPHに対応する最大送信電力を送信するものと規定されている場合に、UEは規定に従って間隔を置いてPHおよびPHに対応する最大送信電力を送信することを必要としうる、というものである。第2の実施態様は、UEが第1のネットワークデバイスの命令を受信した後で、例えば、UEが第1のネットワークデバイスによって送信された通知シグナリングを受信した後で、UEは、UEに対応する第2のセルのPHおよびPHに対応する最大送信電力が第1のネットワークデバイスへ送信される必要があることを決定し、通知シグナリングは、UEに、第1のネットワークデバイスへ、UEに対応する第2のセルのPHのメッセージを送信するよう命令するための命令を含む、というものである。加えて、UEが、UEに対応する第2のセルのPHが第1のネットワークデバイスへ送信される必要があることを決定する方式は、別の方式とすることもでき、これは本発明の本実施形態においては限定されない。
【０１５９】
任意選択で、端末デバイスが第1のネットワークデバイスへ、PHおよびPHに対応する最大送信電力を送信するステップの前に、本方法は、端末デバイスが、シグナリングを受信するステップであって、シグナリングはチャネル構成情報を含む、シグナリングを受信するステップ、をさらに含む。
【０１６０】
本発明の本実施形態においては、シグナリングは上位層シグナリングとすることができ、すなわち、第1のネットワークデバイスによって送信されたシグナリングとすることができ、物理層シグナリングとすることもでき、上位層シグナリングまたは物理層シグナリングはチャネル構成情報を含む。
【０１６１】
3GPPの提案R2−133945では、非理想的バックホールのCA技術においては、UEに接続された2つのネットワークデバイスのスケジューラが相互に独立していることに言及している。スケジューラは他方のスケジューラがUEに関するスケジューリングをいつ行うか、およびUEに関するスケジューリングをどのように行うかを知らないため、スケジューラのどちらかがUEに関するアップリンクスケジューリング許可を独立して行うときには、UEの送信電力がUEの最大送信電力を超える問題が発生する可能性があり、電力圧縮が引き起こされる。この問題の発生を回避するために、提案R2−133945は、MeNodeBがUEに対応する別のSeNodeBのPHを獲得する必要がある方法を提案している。この提案は、MeNodeBが別のSeNodeBのPHに対応するアップリンクリソース割り振り状況を知らず、したがって、別のSeNodeBの仮想PHが固定チャネル構成に基づいて計算される必要があり、仮想PHがMeNodeBに報告される必要があることも提案している。しかし、UEは、チャネル伝送が存在するかどうか区別せずにPHRを報告する。例えば、3GPP  Release11規格では、UEが仮想PHを計算するときに使用される最大送信電力は、実際のチャネル伝送状況に従った構成を介して獲得されるものではない仮想最大送信電力であると規定されている。したがって、仮想最大送信電力はMeNodeBに知られており、PHと共にMeNodeBに報告される必要がない。本実施形態はR2−133945で提供される方法と異なる。UEがSeNodeBの第2のPHを計算するときに、UEは、実際のチャネル伝送状況に従った構成を介して最大送信電力を獲得する。最大送信電力はMeNodeBには知られておらず、したがって、UEは、第2のPHを報告する間にMeNodeBに対応する最大送信電力を報告する必要がある。R2−133945で提供される方法と比べて、MeNodeBは、最大送信電力、および最大送信電力を用いた計算を介して獲得されるPHを獲得することができ、これらはSeNodeBにおける実際のチャネル伝送状況に従ってUEによって獲得されるものであり、このため、UEはSeNodeBにおける電力使用状況をより正確に知ることになる。任意選択で、PHを計算するのに使用されるチャネル構成情報は、シグナリングを用いて構成することもできる。事前定義された固定チャネル構成と比べて、本発明のシグナリング構成ベースの方式では、第1のネットワークデバイスが異なる場合における電力使用状況を知ることができるように、PHを計算するのに使用されるチャネル構成情報を柔軟に構成することができる。例えば、異なるスケジューリング許可方式でのチャネル構成情報を構成することができ、第1のネットワークデバイスは、第2のネットワークデバイスの異なるスケジューリング許可方式におけるUEの電力使用状況を知ることができる。
【０１６２】
任意選択で、本発明の本実施形態では、UEが非CA構成のセルのtype2  PHまたはCA構成のScellのtype2  PHを報告することができる場合には（先行技術は、CA構成のPcellのtype2  PHの報告のみをサポートする）。任意選択で、前述の実施形態でのチャネル構成情報は、PUCCHフォーマットといった、PUCCHに関連した情報をさらに含むこともできる。任意選択で、本実施形態では、PUCCHに関連したものである、事前定義ベースのチャネル構成情報に含まれる変数を、前述の式（4）および式（6）におけるh（nCQI，nHARQ，nSR）、ΔF＿PUCCH（F）、またはΔTxD（F’）といった固定値としてさらに事前定義することもできる。例えば、第2のPHを計算するための参照構成が、前述の電力使用状態情報伝送方法の実施形態1の式（7）で使用される参照構成と同じであるときには、第2のPHの計算式も式（7）と同じである。
【０１６３】
本発明の本実施形態においては、第2のセルのサブフレームにチャネル伝送が存在し、電力余力PHが第2のセルの当該サブフレームに対応するときに、端末デバイスは、端末デバイスに対応する第2のセルの電力余力PHを決定し、第1のネットワークデバイスへ、PHおよびPHに対応する最大送信電力を送信し、このため、第1のネットワークデバイスは、PHおよびPHに対応する最大送信電力に従って、端末デバイスに対応する第2のセルの電力使用状態を取得する。このようにして、異なるネットワークデバイス間でのUEの送信電力を適正に割り振ることができ、したがって、リソースが適正に使用される。
【０１６４】
さらに、本実施形態の方法は、端末デバイスが、第1のネットワークデバイスへ、端末デバイスに対応する第2のセルの第2の電力余力報告PHが送信される必要があることを決定するステップと、
端末デバイスが第2のセルでチャネルを伝送するかどうかにかかわらず、第1のネットワークデバイスへ第2のPHを送信するステップと、をさらに含み、第2のPHは、事前定義されたチャネル構成情報またはシグナリングによって構成されたチャネル構成情報に基づく端末デバイスによる計算を介して獲得される。
【０１６５】
本発明の本実施形態においては、端末デバイスはUEとすることができる。本発明による電力使用状態情報伝送方法の実施形態1とは異なり、本発明の本実施形態においては、UEは、第1のネットワークデバイスへ、UEに対応する第2のセルの第2の電力余力報告PHのみを送信し、UEは、第2のセルの対応するサブフレームにおける実際の伝送に従ったUEによる計算を介して獲得されるPHに対応するチャネル構成情報を報告する必要がない。第2のPHは、事前定義されたチャネル構成情報またはシグナリングによって構成されたチャネル構成情報に基づくUEによる計算を介して獲得される仮想PHである。すなわち、一実施態様においては、チャネル構成情報に含まれる変数が参照構成の固定値として事前定義され、第2のPHは、事前定義された参照構成において計算を介して獲得される。別の実施態様においては、UEは、受信された上位層シグナリングまたは物理層シグナリングにおいて構成されたチャネル構成情報に従った計算を介して第2のPHを獲得することができ、上位層シグナリングまたは物理層シグナリングはチャネル構成情報を含む。任意選択で、上位層シグナリングは第1のネットワークデバイスによって送信されうる。加えて、前述の電力使用状態情報伝送方法の実施形態1における第1のPHは、第2のセルの対応するサブフレームにおけるUEの実際の伝送状況に基づくUEによる計算を介して獲得されるPHである。チャネルはPUSCHおよび／またはPUCCHを含む。チャネル構成情報は、リソースブロックRBの数量、スケジューリング許可方式、伝送フォーマット情報、およびチャネル送信状態情報のうちの少なくとも1つの情報を含むことができ、また、閉ループ電力制御調整値fc（i）といった他の構成情報を含むこともでき、これは本発明においては限定されない。任意選択で、チャネル送信状態は、PUSCHおよび／またはPUCCHを送信すべきかどうかを含むこともできる。スケジューリング許可方式は、半永続的スケジューリング許可、動的スケジューリング許可、およびランダムアクセス応答許可のうちの少なくとも1つの方式を含み、スケジューリング許可方式は、変数jの値を用いて表記され、jは、0、1、または2である。伝送フォーマット情報は、PUSCHのビット情報、PUSCHが制御情報だけを搬送するかどうか、P
UCCHの伝送フォーマット、およびPUCCH伝送のビット情報のうちの少なくとも1つの情報を含む。PUSCHのビット情報は、PUSCHのBPREおよび／またはPUSCHで搬送されるトランスポートブロックのサイズ情報を含むことができる。
【０１６６】
さらに、端末デバイスが、第1のネットワークデバイスへ、端末デバイスに対応する第2のセルの第2のPHが送信される必要があることを決定するステップの前に、本方法は、
端末デバイスが、第1のネットワークデバイスによって送信された通知シグナリングを受信するステップであって、通知シグナリングは、端末デバイスに、第1のネットワークデバイスへ、端末デバイスに対応する第2のセルの第2のPHを送信するよう命令するのに使用される、第1のネットワークデバイスによって送信された通知シグナリングを受信するステップ
をさらに含む。
【０１６７】
本発明の本実施形態においては、UEが、UEに対応する第2のセルの第2のPHが第1のネットワークデバイスへ送信される必要があることを決定し、UEが第2のセルでチャネルを伝送するかどうかにかかわらず、UEは第1のネットワークデバイスへ第2のPHを送信する。具体的には、UEが、UEに対応する第2のセルの第2のPHが第1のネットワークデバイスへ送信される必要があることを決定する方式は、以下の2つの実施態様とすることができる。第1の実施態様は、通信システムにおいて、UEが間隔を置いて第1のネットワークデバイスへ、UEに対応する第2のセルの第2のPHを送信するものと規定されている場合に、UEは規定に従って間隔を置いて第2のPHを送信することを必要としうる、というものである。第2の実施態様は、UEが第1のネットワークデバイスの命令を受信した後で、例えば、UEが第1のネットワークデバイスによって送信された通知シグナリングを受信した後で、UEは、UEに対応する第2のセルの第2のPHが第1のネットワークデバイスへ送信される必要があることを決定し、通知シグナリングは、UEに、第1のネットワークデバイスへ、UEに対応する第2のセルの第2のPHを送信するよう命令するための命令を含む、というものである。加えて、UEが、UEに対応する第2のセルの第2のPHが第1のネットワークデバイスへ送信される必要があることを決定する方式は、別の方式とすることもでき、これは本発明の本実施形態においては限定されない。
【０１６８】
任意選択で、端末デバイスが、第1のネットワークデバイスへ第2のPHを送信するステップの前に、本方法は、端末デバイスが、シグナリングを受信するステップであって、シグナリングはチャネル構成情報を含む、シグナリングを受信するステップ、をさらに含む。
【０１６９】
本発明の本実施形態においては、シグナリングは上位層シグナリングとすることができ、すなわち、第1のネットワークデバイスによって送信されたシグナリングとすることができ、物理層シグナリングとすることもでき、上位層シグナリングまたは物理層シグナリングはチャネル構成情報を含む。
【０１７０】
任意選択で、前述のチャネル構成情報は、例えば、PUSCHのRBの数量は1であり、スケジューリング許可方式は動的スケジューリング許可（すなわち、j＝1）であり、BPREは固定値として事前定義されており、ΔTF，c（i）は、BPREを上位層構成のパラメータと組み合わせることによって獲得することができ、またはΔTF，c（i）＝0であると直接事前定義され、UEはPUCCHを送信しないこと）、を含むことができる。任意選択で、参照構成においては、サービングセルcにおける送信電力に関連した、UEのパラメータ、例えば、最大電力低減（Maximum Power Reduction、略称MPR）は0dBであり、追加最大電力低減（Additional Maximum Power Reduction、略称A−MPR）は0dBであり、電力管理最大電力低減（Power Management Maximum Power Reduction、略称P−MPR）は0dBであり、TC＝0dBである、とさらに想定することもでき、パラメータに従って、計算を介して獲得されるサービングセルcの最大送信電力は
【数２０】
2016540447.tif 000022
であると想定され、TCは、バンド端送信電力制限条件に関連したパラメータである。
【０１７１】
任意選択で、前述の参照構成においては、UEは、事前定義されたチャネル構成情報またはシグナリングによって構成されたチャネル構成情報に基づいて、以下の計算式を用いて第2のPHを獲得することもできる。
【０１７２】
【数２１】
2016540447.tif 000023
であり、式中、
【数２２】
2016540447.tif 000024
は、パラメータ想定に基づく仮想最大送信電力である。
【０１７３】
式中の他のパラメータの意味は、実施形態1におけるパラメータの意味と同じである。
【０１７４】
任意選択で、式中のチャネルパラメータは、前述の電力使用状態情報伝送方法の実施形態1の式（3）のチャネル構成と同じであり、したがって、式は前述の電力使用状態情報伝送方法の実施形態1の式（3）と同じである。任意選択で、本実施形態の参照構成が式（3）の参照構成と異なる場合には、対応して獲得される式は式（3）と異なり、本実施形態では詳細を繰り返さない。
【０１７５】
前述の参照構成においては、前述の式は先行技術の式（3）と類似している。しかし、先行技術では、報告されたPHに対応するサブフレームにおいてPUSCHが送信されないときに限って、UEはサービングセルへvirtual  type1  PHを送信し、virtual  type1  PHはPUSCHの参照フォーマットを使用する。したがって、本実施形態では、UEによって報告される第2のPHは、参照構成に従った計算を介して獲得される仮想PHであり、第2のセルに対応するサブフレームにおけるPUSCHの実際の送信状況に従った計算を介して獲得されるPHではない。この場合には、第1のネットワークデバイスは、第1のネットワークデバイスが電力使用状態に従ってUEに関して協調スケジューリングをさらに行うために、PHに対応する第2のセルのサブフレームにおけるUEのPUSCHの実際の送信状況を知らずに、PUSCHの各RBが必要とする電力といった第2のネットワークデバイスにおけるUEの電力使用状態を推定することができる。
【０１７６】
本発明の本実施形態においては、前述の参照構成に基づいて獲得される第2のPH計算式は一例として使用されているにすぎず、具体的な参照構成および対応する第2のPH計算式は本発明の本実施形態では限定されない
【０１７７】
任意選択で、本発明の本実施形態では、UEが非CA構成のセルのtype2  PHまたはCA構成のScellのtype2  PHを報告することができる場合には（先行技術は、CA構成のPcellのtype2  PHの報告のみをサポートする）。任意選択で、前述の実施形態でのチャネル構成情報は、PUCCHフォーマットといった、PUCCHに関連した情報をさらに含むこともできる。任意選択で、本実施形態では、PUCCHに関連したものである、事前定義ベースのチャネル構成情報に含まれる変数を、前述の式（4）および式（6）におけるh（nCQI，nHARQ，nSR）、ΔF＿PUCCH（F）、またはΔTxD（F’）といった固定値としてさらに事前定義することもできる。例えば、第2のPHを計算するための参照構成が、前述の電力使用状態情報伝送方法の実施形態1の式（7）で使用される参照構成と同じであるときには、第2のPHの計算式も式（7）と同じである。
【０１７８】
本発明の本実施形態においては、端末デバイスが、第1のネットワークデバイスへ、端末デバイスに対応する第2のセルの第2の電力余力報告PHが送信される必要があることを決定したときに、第2のセルでチャネルが伝送されるかどうかにかかわらず、端末デバイスは第1のネットワークデバイスへ第2のPHを送信し、このため、第1のネットワークデバイスは、第2のPHに従って、端末デバイスに対応する第2のセルの電力使用状態を取得する。このようにして、異なるネットワークデバイス間でのUEの送信電力を適正に割り振ることができ、したがって、リソースが適正に使用される。
【０１７９】
図4は、本発明による電力使用状態情報伝送方法の実施形態3の流れ図である。図4に示すように、本実施形態の方法は以下を含むことができる。
【０１８０】
ステップ401：第1のネットワークデバイスが、端末デバイスによって送信される、端末デバイスに対応する第2のセルの電力余力PHおよびPHに対応するチャネル構成情報を受信する。第1のネットワークデバイスは第1のセルを制御するネットワークデバイスである。
【０１８１】
ステップ402：第1のネットワークデバイスは、PHおよびチャネル構成情報に従って、端末デバイスに対応する第2のセルの電力使用状態を取得する。
【０１８２】
本発明の本実施形態は、第1のセルを制御する第1のネットワークデバイスによって行うことができ、対応して、第2のネットワークデバイスが第2のセルを制御する。または、本実施形態は、第1のセルを制御するネットワークデバイスの第1のユニットによって行われ、対応して、当該ネットワークデバイスの第2のユニットが第2のセルを制御し、本実施形態の端末デバイスはUEとすることができる。
【０１８３】
本発明の本実施形態においては、通信システムは理想的バックホールではなく、第1のネットワークデバイスは、UEによって報告されるPHだけに従って、リソースブロックRBの数量といった、PHに対応するチャネル伝送情報を知ることはできない。したがって、本発明の本実施形態では、第1のネットワークデバイスは、UEに対応する第2のセルの、UEによって送信される電力余力PHを受信する間に、PHに対応するチャネル構成情報をさらに受信することができる。チャネルは、PUSCHおよびPUCCHのうちの少なくとも1つのチャネルを含む。チャネル構成情報は、リソースブロックRBの数量、スケジューリング許可方式、伝送フォーマット情報、およびチャネル送信状態情報のうちの少なくとも1つの情報を含むことができ、また、閉ループ電力制御調整値fc（i）といった他の構成情報を含むこともでき、これは本発明においては限定されない。任意選択で、チャネル送信状態は、PUSCHおよび／またはPUCCHを送信すべきかどうかを含むこともできる。スケジューリング許可方式は、半永続的スケジューリング許可、動的スケジューリング許可、およびランダムアクセス応答許可のうちの少なくとも1つの方式を含み、スケジューリング許可方式は、変数jの値を用いて表記され、jは、0、1、または2である。伝送フォーマット情報は、PUSCHのビット情報、PUSCHが制御情報だけを搬送するかどうか、PUCCHの伝送フォーマット、およびPUCCH伝送のビット情報のうちの少なくとも1つの情報を含む。PUSCHのビット情報は、PUSCHのBPREおよび／またはPUSCHで搬送されるトランスポートブロックのサイズ情報を含むことができる。
【０１８４】
任意選択で、チャネル構成情報の少なくとも1つの情報が事前定義されており、またはシグナリング構成ベースである場合、すなわち、事前定義された、またはシグナリング構成ベースのチャネル構成情報が第1のネットワークデバイスに知られている場合（シグナリングは第1のネットワークデバイスによってUEへ送信される）、UEは、第1のネットワークデバイスへ事前定義された、またはシグナリング構成ベースのチャネル構成情報を送信する必要がなく、UEは、チャネル構成情報において第1のネットワークデバイスへ第1のネットワークデバイスに知られていない情報（すなわち、チャネル構成情報における事前定義されていない、またはシグナリング構成ベースでない情報）を送信しさえすればよい。したがって、対応して、第1のネットワークデバイスは、UEによって送信されたPH、およびチャネル構成情報における事前定義されていない、またはシグナリング構成ベースでない情報を受信しさえすればよい。
【０１８５】
本発明の本実施形態においては、UEによって報告されたPHおよびPHに対応するチャネル構成情報を、前述の電力使用状態情報伝送方法の実施形態1の式にしかるべく代入することによって、第1のネットワークデバイスは、UEに対応する第2のセルに関するより多くの電力使用状態およびより詳細な電力使用状態を獲得することができ、例えば、UEによって報告されたPHに従ってUEの残存電力に関する情報を獲得することができる。第1のネットワークデバイスは、PHに対応するチャネル構成情報に従って、PUSCHのRBの数量、スケジューリング許可方式が動的スケジューリングであること、伝送フォーマット情報およびUEのチャネル送信状態を獲得することができ、これは例えば、PUSCHのRBの数量は2であり、スケジューリング許可方式は動的スケジューリング、すなわち、j＝1であり、UEの伝送フォーマット情報は、例えば、BPREであり、UEはPUCCHチャネルを送信しない、である。任意選択で、前述の情報によれば、マクロセルを制御するネットワークデバイスは、式（1）を用いて、10log10（MPUSCH，c（i））＝10log102およびPO＿PUSCH，c（1）＋αc（1）・PLc＋ΔTF，c（i）の値を獲得することができ、式（1）を用いて、ネットワークデバイスは、PUSCHのRBの数量が1であるときに、すなわち、10log10（MPUSCH，c（i））＝0であるときに獲得されるPHを推定することができる。したがって、ネットワークデバイスは、UEに関するスモールセルの電力使用状態を推定することができ、このため、スモールセルによってスケジュールされるPUSCHの他のRBの数量によって必要とされる電力をさらに推定することができる。
【０１８６】
さらに、PHおよびチャネル構成情報に従って第1のネットワークデバイスが、端末デバイスに対応する第2のセルの電力使用状態を取得するステップの後に、本方法は、第1のネットワークデバイスが、電力使用状態に従って端末デバイスに関する協調スケジューリングを行うステップ、をさらに含む。
【０１８７】
具体的には、第1のネットワークデバイスが、電力使用状態に従って端末に関する協調スケジューリングを行うステップは、第1のネットワークデバイスが、電力使用状態に従って端末デバイスのために第2のネットワークデバイスのスケジューリングを制御するステップであって、第2のネットワークデバイスは第2のセルを制御するネットワークデバイスである、第2のネットワークデバイスのスケジューリングを制御するステップ、および／または、第1のネットワークデバイスが、電力使用状態に従って端末デバイスのために第1のネットワークデバイスのスケジューリングを制御するステップ、を含む。
【０１８８】
本発明の本実施形態においては、第1のネットワークデバイスが、PHおよびPHに対応するチャネル構成情報に従って、UEに対応する第2のセルの電力使用状態を取得した後で、UEに関する協調スケジューリングをさらに行うことができ、協調スケジューリングは2つの実施態様を含むことができ、第1の実施態様では、第1のネットワークデバイスがUEのために第2のネットワークデバイスのスケジューリングを制御する。
【０１８９】
任意選択で、第1のネットワークデバイスが、電力使用状態に従って端末デバイスのために第2のネットワークデバイスのスケジューリングを制御するステップは、
電力使用状態に従って第1のネットワークデバイスが、第2のネットワークデバイスがその下で端末デバイスに関するスケジューリングを行うことができるスケジューリング制限条件を計算するステップと、第1のネットワークデバイスが、第2のネットワークデバイスへ制御シグナリングを送信するステップであって、制御シグナリングはスケジューリング制限条件を含む、制御シグナリングを送信するステップと
を含む。
【０１９０】
図5は、電力使用状態情報伝送方法のシグナリング図である。図5に示すように、具体的には、第1のネットワークデバイスは第1に、前述の電力使用状態情報伝送方法の実施形態1の式を用いて、UEによって報告された第2のセルに対応するPH、チャネル構成情報、および第1のネットワークデバイスによる計算を介して獲得される電力使用状態に従って、第2のネットワークデバイスがUEに関するスケジューリングを行うことを可能にするRBの最大数量やスケジューリングの時期といった、第2のネットワークデバイスがその下でUEに関するスケジューリングを行うスケジューリング制限条件を制御するために、PUSCHの他のRBの数量によって必要とされる電力といった第2のネットワークデバイスのスケジューリング状態を推定することができる。第2に、第1のネットワークデバイスは、第2のネットワークデバイスへ制御シグナリングを送信するなど、半永続的なやり方で第2のネットワークデバイスに通知することができ、制御シグナリングは、第1のネットワークデバイスと第2のネットワークデバイスとに対応するeNodeB間のX2シグナリングを用いて伝送することができ、制御シグナリングは、スケジューリング制限条件を含む。したがって、（スケジュールされたRBの数量およびスケジューリングの時期を含む）UEのための第2のネットワークデバイスのアップリンクスケジューリングが制御され、例えば、第2のネットワークデバイスは、制御シグナリングに従ってUEへスケジューリング許可1を送信することができる。任意選択で、第1のネットワークデバイスが、第2のネットワークデバイスへ制御シグナリングを送信するステップの後に、本方法は、第1のネットワークデバイスが、電力使用状態およびスケジューリング制限条件に従って端末デバイスのために第1のネットワークデバイスのスケジューリングを決定するステップ、をさらに含む。任意選択で、第1のネットワークデバイスは、電力使用状態およびスケジューリング制限条件に従って、第1のネットワークデバイスはUEに関するスケジューリング制限条件に従ってUEへスケジューリング許可2を送信することができることを決定する。具体的には、第1のネットワークデバイスが、電力使用状態およびスケジューリング制限条件に従って、UEのために第1のネットワークデバイスのスケ
ジューリングを決定するプロセスは、第1のネットワークデバイスが、PHおよびPHに対応するチャネル構成情報に従って、第2のネットワークデバイスがUEに関するスケジューリングを行うことができるスケジューリング状態を推定する前述のプロセスと同様であり、本実施形態では詳細を繰り返さない。
【０１９１】
第2の実施態様では、第1のネットワークデバイスは、電力使用状態に従って端末デバイスのために第1のネットワークデバイスのスケジューリングを制御する。
【０１９２】
本発明の本実施形態においては、第2のネットワークデバイスの電力使用状態を保証するという条件で、第1のネットワークデバイスは、第1のネットワークデバイスがUEに関するスケジューリングを行うためのPUSCHのRBの数量、およびBPREを制限する。例えば、前述の式を用いて、第2のネットワークデバイスのアップリンクスケジューリングが満たされた後で獲得されるUEの残存電力に従って、第1のネットワークデバイスにおけるUEの電力使用状態が制御されるように、第1のネットワークデバイスがスケジュールすることのできるPUSCHのRBの数量、BPREなどを決定することができる。UEに対応する第2のセルのPHおよびPHに対応するチャネル構成情報は第1のネットワークデバイスに知られており、したがって、第1のネットワークデバイスは、比較的正確なやり方で第2のネットワークデバイスのためにある程度の電力を確保することができ、このため、第2のネットワークデバイスはある程度のデータを送信することができ、例えば、少なくとも、周期的にフィードバックされないCQI情報を伝送することができる。具体的には、UEのためにネットワークデバイスが行うことのできる、第1のネットワークデバイスによる、スケジューリングの決定の詳細は、第1のネットワークデバイスが、PHおよびPHに対応するチャネル構成情報に従って、第2のネットワークデバイスがUEに関するスケジューリングを行うことができるスケジューリング状態を推定する前述のプロセスにおける詳細と同様であり、本実施形態では詳細を繰り返さない。
【０１９３】
さらに、第1のネットワークデバイスが、端末デバイスによって送信される、端末デバイスに対応する第2のセルの電力余力PHおよびPHに対応するチャネル構成情報を受信するステップの前に、本方法は、
第1のネットワークデバイスが、端末デバイスが第1のネットワークデバイスへPHおよびチャネル構成情報を送信するように、端末デバイスへ通知シグナリングを送信するステップ
をさらに含む。
【０１９４】
本発明の本実施形態においては、第1のネットワークデバイスは、UEへ通知シグナリングを送信することができ、通知シグナリングは、UEに、第1のネットワークデバイスへ、UEに対応する第2のセルのPHおよびチャネル構成情報を送信するよう命令するための命令を含み、このため、UEは、UEに対応する第2のセルのPHおよびPHに対応するチャネル構成情報が第1のネットワークデバイスへ送信される必要があることを決定し、それによって、第1のネットワークデバイスへPHおよびチャネル構成情報が送信される。
【０１９５】
本発明の本実施形態においては、第1のネットワークデバイスが、端末デバイスによって送信される、端末デバイスに対応する第2のセルの電力余力PHおよびPHに対応するチャネル構成情報を受信し、PHおよびチャネル構成情報に従って、端末デバイスに対応する第2のセルの電力使用状態を取得し、このため、第1のネットワークデバイスはUEに関して協調スケジューリングを行う。このようにして、異なるネットワークデバイス間でのUEの送信電力を適正に割り振ることができ、したがって、リソースが適正に使用される。
【０１９６】
図6は、本発明による電力使用状態情報伝送方法の実施形態4の流れ図である。図6に示すように、本実施形態の方法は以下を含むことができる。
【０１９７】
ステップ601：第2のセルのサブフレームにチャネル伝送が存在し、電力余力PHが第2のセルの当該サブフレームに対応するときに、第1のネットワークデバイスが、端末デバイスによって送信される、端末デバイスに対応する第2のセルの電力余力PHおよびPHに対応する最大送信電力を受信する。第1のネットワークデバイスは第1のセルを制御するネットワークデバイスである。
【０１９８】
ステップ602：第1のネットワークデバイスは、PHおよびPHに対応する最大送信電力に従って、端末デバイスに対応する第2のセルの電力使用状態を取得する。PHは、事前定義されたチャネル構成情報に基づく、またはシグナリングによって構成されたチャネル構成情報に基づく端末デバイスによる計算を介して獲得され、PHに対応する最大送信電力は、PHに対応する第2のセルのサブフレームにおいて第2のセルのために端末デバイスによって構成される最大送信電力である。
【０１９９】
本発明の本実施形態は、第1のセルを制御する第1のネットワークデバイスによって行うことができ、対応して、第2のネットワークデバイスが第2のセルを制御する。または、本実施形態は、第1のセルを制御するネットワークデバイスの第1のユニットによって行われ、対応して、当該ネットワークデバイスの第2のユニットが第2のセルを制御し、本実施形態の端末デバイスはUEとすることができる。
【０２００】
本発明の本実施形態においては、第2のセルのサブフレームにチャネル伝送が存在し、PHが第2のセルの当該サブフレームに対応するときに、すなわち、端末デバイスがPHに対応する第2のセルのサブフレームでチャネルを送信するときに、第1のネットワークデバイスは、UEに対応する第2のセルの、UEによって送信された電力余力PH、およびPHに対応する最大送信電力を受信する。PHに対応する最大送信電力は、PHに対応する第2のセルのサブフレームにおいて第2のセルのために端末デバイスによって構成される最大送信電力であり、PHは、事前定義されたチャネル構成情報に基づく、またはシグナリングによって構成されたチャネル構成情報に基づくUEによる計算を介して獲得されるPHである。具体的実施態様の詳細については、前述の伝送方法の実施形態2の態様を参照されたく、本実施形態では詳細を繰り返さない。
【０２０１】
チャネルは、PUSCHおよびPUCCHのうちの少なくとも1つのチャネルを含む。チャネル構成情報は、リソースブロックRBの数量、スケジューリング許可方式、伝送フォーマット情報、およびチャネル送信状態情報のうちの少なくとも1つの情報を含むことができ、また、閉ループ電力制御調整値fc（i）といった他の構成情報を含むこともでき、これは本発明においては限定されない。任意選択で、チャネル送信状態は、PUSCHおよび／またはPUCCHを送信すべきかどうかを含むこともできる。スケジューリング許可方式は、半永続的スケジューリング許可、動的スケジューリング許可、およびランダムアクセス応答許可のうちの少なくとも1つの方式を含み、スケジューリング許可方式は、変数jの値を用いて表記され、jは、0、1、または2である。伝送フォーマット情報は、PUSCHのビット情報、PUSCHが制御情報だけを搬送するかどうか、PUCCHの伝送フォーマット、およびPUCCH伝送のビット情報のうちの少なくとも1つの情報を含む。PUSCHのビット情報は、PUSCHのBPREおよび／またはPUSCHで搬送されるトランスポートブロックのサイズ情報を含むことができる。
【０２０２】
本発明の本実施形態においては、UEによって報告されたPHおよびPHに対応する最大送信電力を前述の伝送方法の実施形態1の式にしかるべく代入することによって、第1のネットワークデバイスは、UEに対応する第2のセルに関するより多くの電力使用状態およびより詳細な電力使用状態を獲得することができる。任意選択で、実施形態2のチャネル構成情報に基づく場合（事前定義ベース、またはシグナリング構成ベース、すなわち、チャネル構成情報が第1のネットワークデバイスに知られている場合）には、第1のネットワークデバイスは、UEに対応する第2のセルに関するより多くの電力使用状態情報を獲得するために、UEによって報告されたPHおよびPHに対応する最大送信電力を、実施形態2の式（8）に代入することもできる。例えば、事前定義ベースの、またはシグナリング構成ベースのチャネル構成情報は、PUSCHのRBの数量、スケジューリング許可方式が動的スケジューリングであること、伝送フォーマット情報およびUEのチャネル送信状態といった情報とすることができ、これは例えば、PUSCHのRBの数量は2であり、スケジューリング許可方式は動的スケジューリング、すなわち、j＝1であり、UEの伝送フォーマット情報は、例えば、BPREであり、UEはPUCCHチャネルを送信しない、である。任意選択で、第1のネットワークデバイスは、UEによって報告されたPHおよび対応する最大送信電力に従って、前述の情報を式（1）に代入することによって、10log10（MPUSCH，c（i））＝10log102およびPO＿PUSCH，c（1）＋αc（1）・PLc＋ΔTF，c（i）の値を獲得することができ、式（1）を用いて、マクロセルを制御するネットワークデバイスは、PUSCHのRBの数量が1であるときに、すなわち、10log10（MPUSCH，c（i））＝0であるときに獲得されるPHを推定することができる。したがって、ネットワークデバイスは、UEに関するスモールセルの電力使用状態を取得することができる。
【０２０３】
さらに、PHおよび最大送信電力に従って第1のネットワークデバイスが、端末デバイスに対応する第2のセルの電力使用状態を取得するステップの後に、本方法は、第1のネットワークデバイスが、電力使用状態に従って端末デバイスに関する協調スケジューリングを行うステップ、をさらに含む。
【０２０４】
具体的には、第1のネットワークデバイスが、電力使用状態に従って端末に関する協調スケジューリングを行うステップは、第1のネットワークデバイスが、電力使用状態に従って端末デバイスのために第2のネットワークデバイスのスケジューリングを制御するステップであって、第2のネットワークデバイスは第2のセルを制御するネットワークデバイスである、第2のネットワークデバイスのスケジューリングを制御するステップ、および／または、第1のネットワークデバイスが、電力使用状態に従って端末デバイスのために第1のネットワークデバイスのスケジューリングを制御するステップ、を含む。
【０２０５】
任意選択で、第1のネットワークデバイスが、電力使用状態に従って端末デバイスのために第2のネットワークデバイスのスケジューリングを制御するステップは、
電力使用状態に従って第1のネットワークデバイスが、第2のネットワークデバイスがその下で端末デバイスに関するスケジューリングを行うことができるスケジューリング制限条件を計算するステップと、第1のネットワークデバイスが、第2のネットワークデバイスへ制御シグナリングを送信するステップであって、制御シグナリングはスケジューリング制限条件を含む、制御シグナリングを送信するステップと
を含む。
【０２０６】
任意選択で、第1のネットワークデバイスが、第2のネットワークデバイスへ制御シグナリングを送信するステップの後に、本方法は、第1のネットワークデバイスが、電力使用状態およびスケジューリング制限条件に従って端末デバイスのために第1のネットワークデバイスのスケジューリングを決定するステップ、をさらに含む。
【０２０７】
第1のネットワークデバイスが、電力使用状態に従って端末デバイスのために第1のネットワークデバイスのスケジューリングを制御するステップは、第1のネットワークデバイスが、電力使用状態に従って端末デバイスのために第1のネットワークデバイスのスケジューリングを決定するステップ、を含む。
【０２０８】
本発明の本実施形態においては、具体的には、第1のネットワークデバイスが、電力使用状態に従って端末デバイスに関する協調スケジューリングを行うステップの詳細については、前述の伝送方法の実施形態3の協調態様を参照されたく、本実施形態では詳細を繰り返さない。
【０２０９】
さらに、第1のネットワークデバイスが、端末デバイスによって送信される、端末デバイスに対応する第2のネットワークデバイスの電力余力PHおよびPHに対応する最大送信電力を受信するステップの前に、本方法は、第1のネットワークデバイスが、端末デバイスが第1のネットワークデバイスへPHおよびPHに対応する最大送信電力を送信するように、端末デバイスへ通知シグナリングを送信するステップ、をさらに含む。
【０２１０】
本発明の本実施形態においては、第1のネットワークデバイスは、UEへ通知シグナリングを送信することができ、通知シグナリングは、UEに、第1のネットワークデバイスへ、UEに対応する第2のセルのPHおよび対応する最大送信電力を送信するよう命令するための命令を含み、このため、UEは、UEに対応する第2のセルのPHおよび対応する最大送信電力が第1のネットワークデバイスへ送信される必要があることを決定し、それによって、第1のネットワークデバイスへPHおよび対応する最大送信電力が送信される。
【０２１１】
さらに、第1のネットワークデバイスが、端末デバイスによって送信される、端末デバイスに対応する第2のセルの電力余力PHおよびPHに対応する最大送信電力を受信するステップの前に、本方法は、第1のネットワークデバイスが、端末デバイスへシグナリングを送信するステップであって、シグナリングはチャネル構成情報を含む、端末デバイスへシグナリングを送信するステップ、をさらに含む。
【０２１２】
本発明の本実施形態においては、第1のネットワークデバイスはUEへシグナリングを送信することができ、シグナリングはUEへチャネル構成情報を送信するのに使用され、シグナリングはチャネル構成情報を含む。
【０２１３】
本発明の本実施形態においては、第2のセルのサブフレームにチャネル伝送が存在し、電力余力PHが第2のセルの当該サブフレームに対応するときに、第1のネットワークデバイスが、端末デバイスによって送信される、端末デバイスに対応する第2のセルの電力余力PHおよびPHに対応する最大送信電力を受信し、PHおよびPHに対応する最大送信電力に従って、端末デバイスに対応する第2のセルの電力使用状態を取得し、このため、第1のネットワークデバイスは、UEに関する協調スケジューリングを行う。このようにして、異なるネットワークデバイス間でのUEの送信電力を適正に割り振ることができ、したがって、リソースが適正に使用される。
【０２１４】
図7は、本発明による電力使用状態情報伝送方法の実施形態5の流れ図である。図7に示すように、本実施形態の方法は以下を含むことができる。
【０２１５】
ステップ701：第1のネットワークデバイスが、第2のネットワークデバイスによって送信されたシグナリングを受信する。第1のネットワークデバイスは第1のセルを制御するネットワークデバイスであり、第2のネットワークデバイスは第2のセルを制御するネットワークデバイスであり、シグナリングは、端末デバイスに対応する第2のセルの電力余力PHおよびPHに対応するチャネル構成情報を含む。
【０２１６】
ステップ702：第1のネットワークデバイスは、PHおよびチャネル構成情報に従って、端末デバイスに対応する第2のセルの電力使用状態を取得する。
【０２１７】
本発明の本実施形態は、第1のセルを制御する第1のネットワークデバイスによって行うことができ、対応して、第2のネットワークデバイスは第2のセルを制御する。または、本実施形態は、第1のセルを制御するネットワークデバイスの第1のユニットによって行われ、対応して、当該ネットワークデバイスの第2のユニットが第2のセルを制御し、本実施形態の端末デバイスはUEとすることができる。
【０２１８】
本発明の本実施形態においては、前述の電力使用状態情報伝送方法の実施形態3とは異なり、本実施形態では、X2インターフェースといった、基地局間でシグナリングを転送するためのインターフェースがある。したがって、第1のネットワークデバイスは、このインターフェースを用いて直接、第2のネットワークデバイスによって送信されたシグナリングを受信することができ、シグナリングは、UEに対応する第2のネットワークデバイスの電力余力PHおよびPHに対応するチャネル構成情報を含み、PHはUEによって計算され、第2のネットワークデバイスに報告される。具体的には、UEがPHを計算する方式の詳細については、前述の電力使用状態情報伝送方法の実施形態1を参照されたく、本実施形態では詳細を繰り返さない。加えて、PHに対応するチャネル構成情報は第2のネットワークデバイスに知られており、UEによって第2のネットワークデバイスに報告される必要がない。具体的には、チャネルは、PUSCHおよびPUCCHのうちの少なくとも1つのチャネルを含む。チャネル構成情報は、リソースブロックRBの数量、スケジューリング許可方式、伝送フォーマット情報、およびチャネル送信状態情報のうちの少なくとも1つの情報を含むことができ、また、閉ループ電力制御調整値fc（i）といった他の構成情報を含むこともでき、これは本発明においては限定されない。任意選択で、チャネル送信状態は、PUSCHおよび／またはPUCCHを送信すべきかどうかを含むこともできる。スケジューリング許可方式は、半永続的スケジューリング許可、動的スケジューリング許可、およびランダムアクセス応答許可のうちの少なくとも1つの方式を含み、スケジューリング許可方式は、変数jの値を用いて表記され、jは、0、1、または2である。伝送フォーマット情報は、PUSCHのビット情報、PUSCHが制御情報だけを搬送するかどうか、PUCCHの伝送フォーマット、およびPUCCH伝送のビット情報のうちの少なくとも1つの情報を含む。PUSCHのビット情報は、PUSCHのBPREおよび／またはPUSCHで搬送されるトランスポートブロックのサイズ情報を含むことができる。
【０２１９】
本発明の本実施形態においては、具体的には、第1のネットワークデバイスが、PHおよびチャネル構成情報に従って、端末デバイスに対応する第2のセルの電力使用状態を取得する方式は、前述の使用状態情報伝送方法の実施形態3における方式と同じである。詳細については実施形態3を参照されたく、本実施形態では詳細を繰り返さない。
【０２２０】
さらに、PHおよびチャネル構成情報に従って第1のネットワークデバイスが、端末デバイスに対応する第2のセルの電力使用状態を取得するステップの後に、本方法は、第1のネットワークデバイスが、電力使用状態に従って端末に関する協調スケジューリングを行うステップ、をさらに含む。
【０２２１】
具体的には、第1のネットワークデバイスが、電力使用状態に従って端末デバイスに関する協調スケジューリングを行うステップは、第1のネットワークデバイスが、電力使用状態に従って端末デバイスのために第2のネットワークデバイスのスケジューリングを制御するステップであって、第2のネットワークデバイスは第2のセルを制御するネットワークデバイスである、第2のネットワークデバイスのスケジューリングを制御するステップ、および／または、第1のネットワークデバイスが、電力使用状態に従って端末デバイスのために第1のネットワークデバイスのスケジューリングを制御するステップ、を含む。
【０２２２】
任意選択で、第1のネットワークデバイスが、電力使用状態に従って端末デバイスのために第2のネットワークデバイスのスケジューリングを制御するステップは、
電力使用状態に従って第1のネットワークデバイスが、第2のネットワークデバイスがその下で端末デバイスに関するスケジューリングを行うことができるスケジューリング制限条件を計算するステップと、第1のネットワークデバイスが、第2のネットワークデバイスへ制御シグナリングを送信するステップであって、制御シグナリングはスケジューリング制限条件を含む、制御シグナリングを送信するステップと
を含む。
【０２２３】
任意選択で、第1のネットワークデバイスが、第2のネットワークデバイスへ制御シグナリングを送信するステップの後に、本方法は、第1のネットワークデバイスが、電力使用状態およびスケジューリング制限条件に従って端末デバイスのために第1のネットワークデバイスのスケジューリングを決定するステップ、をさらに含む。
【０２２４】
任意選択で、第1のネットワークデバイスが、電力使用状態に従って端末デバイスのために第1のネットワークデバイスのスケジューリングを制御するステップは、第1のネットワークデバイスが、電力使用状態に従って端末デバイスのために第1のネットワークデバイスのスケジューリングを決定するステップ、を含む。
【０２２５】
本実施形態では、具体的には、第1のネットワークデバイスが、電力使用状態に従って、端末デバイスに関して協調スケジューリングを行う方式については、前述の伝送方法の実施形態3の方式を参照されたく、本実施形態では詳細を繰り返さない。
【０２２６】
さらに、第1のネットワークデバイスが、第2のネットワークデバイスによって送信されたシグナリングを受信するステップの前に、本方法は、第2のネットワークデバイスが第1のネットワークデバイスへ、端末デバイスに対応する第2のセルの電力余力PHおよびPHに対応するチャネル構成情報を含むシグナリングを送信するように、第1のネットワークデバイスが第2のネットワークデバイスへ通知シグナリングを送信するステップ、をさらに含む。
【０２２７】
本発明の本実施形態においては、第1のネットワークデバイスが、第2のネットワークデバイスによって送信されたシグナリングであって、端末デバイスに対応する第2のセルの電力余力PHおよびPHに対応するチャネル構成情報を含むシグナリングを受信し、PHおよびチャネル構成情報に従って、端末デバイスに対応する第2のセルの電力使用状態を取得し、このため、第1のネットワークデバイスはUEに関して協調スケジューリングを行う。このようにして、異なるネットワークデバイス間でのUEの送信電力を適正に割り振ることができ、したがって、リソースが適正に使用される。
【０２２８】
図8は、本発明による電力使用状態情報伝送方法の実施形態6の流れ図である。図8に示すように、本実施形態の方法は以下を含むことができる。
【０２２９】
ステップ801：第2のセルのサブフレームにチャネル伝送が存在し、電力余力PHが第2のセルの当該サブフレームに対応するときに、第1のネットワークデバイスが、第2のネットワークデバイスによって送信されたシグナリングを受信する。第1のネットワークデバイスは第1のセルを制御するネットワークデバイスであり、第2のネットワークデバイスは第2のセルを制御するネットワークデバイスであり、シグナリングは、端末デバイスに対応する第2のセルの電力余力PHおよびPHに対応する最大送信電力を含む。
【０２３０】
ステップ802：第1のネットワークデバイスは、PHおよびPHに対応する最大送信電力に従って、端末デバイスに対応する第2のセルの電力使用状態を取得する。PHは、事前定義されたチャネル構成情報に基づく、またはシグナリングによって構成されたチャネル構成情報に基づく端末デバイスによる計算を介して獲得され、PHに対応する最大送信電力は、PHに対応する第2のセルのサブフレームにおいて第2のセルのために端末デバイスによって構成される最大送信電力である。
【０２３１】
本発明の本実施形態は、第1のセルを制御する第1のネットワークデバイスによって行うことができ、対応して、第2のネットワークデバイスは第2のセルを制御する。または、本実施形態は、第1のセルを制御するネットワークデバイスの第1のユニットによって行われ、対応して、当該ネットワークデバイスの第2のユニットが第2のセルを制御し、本実施形態の端末デバイスはUEとすることができる。
【０２３２】
本発明の本実施形態においては、前述の電力使用状態情報伝送方法の実施形態3とは異なり、本実施形態では、X2インターフェースといった、基地局間でシグナリングを転送するためのインターフェースがある。したがって、第2のセルのサブフレームにチャネル伝送が存在し、PHが第2のセルの当該サブフレームに対応するときに、第1のネットワークデバイスは、このインターフェースを用いて直接、第2のネットワークデバイスによって送信されたシグナリングを受信することができ、シグナリングは、端末デバイスに対応する第2のセルの電力余力PHおよびPHに対応する最大送信電力を含み、PHに対応する最大送信電力は、PHに対応する第2のセルのサブフレームにおいて第2のセルのために端末デバイスによって構成される最大送信電力であり、UEが第2のネットワークデバイスに報告することができ、PHはUEによって計算され、第2のネットワークデバイスに報告される。具体的には、UEがPHを計算する方式の詳細については、前述の伝送方法の実施形態2を参照されたく、本実施形態では詳細を繰り返さない。具体的には、チャネルは、PUSCHおよびPUCCHのうちの少なくとも1つのチャネルを含む。チャネル構成情報は、リソースブロックRBの数量、スケジューリング許可方式、伝送フォーマット情報、およびチャネル送信状態情報のうちの少なくとも1つの情報を含むことができ、また、閉ループ電力制御調整値fc（i）といった他の構成情報を含むこともでき、これは本発明においては限定されない。任意選択で、チャネル送信状態は、PUSCHおよび／またはPUCCHを送信すべきかどうかを含むこともできる。スケジューリング許可方式は、半永続的スケジューリング許可、動的スケジューリング許可、およびランダムアクセス応答許可のうちの少なくとも1つの方式を含み、スケジューリング許可方式は、変数jの値を用いて表記され、jは、0、1、または2である。伝送フォーマット情報は、PUSCHのビット情報、PUSCHが制御情報だけを搬送するかどうか、PUCCHの伝送フォーマット、およびPUCCH伝送のビット情報のうちの少なくとも1つの情報を含む。PUSCHのビット情報は、PUSCHのBPREおよび／またはPUSCHで搬送されるトランスポートブロックのサイズ情報を含むことができる。
【０２３３】
本発明の本実施形態においては、具体的には、第1のネットワークデバイスが、PHおよびPHに対応する最大送信電力に従って、端末デバイスに対応する第2のセルの電力使用状態を取得する方式の詳細については、前述の伝送方法の実施形態4の方式を参照されたく、本実施形態では詳細を繰り返さない。
【０２３４】
さらに、PHおよびPHに対応する最大送信電力に従って第1のネットワークデバイスが、端末デバイスに対応する第2のセルの電力使用状態を取得するステップの後に、本方法は、第1のネットワークデバイスが、電力使用状態に従って端末に関する協調スケジューリングを行うステップ、をさらに含む。
【０２３５】
具体的には、第1のネットワークデバイスが、電力使用状態に従って端末デバイスに関する協調スケジューリングを行うステップは、第1のネットワークデバイスが、電力使用状態に従って端末デバイスのために第2のネットワークデバイスのスケジューリングを制御するステップであって、第2のネットワークデバイスは第2のセルを制御するネットワークデバイスである、第2のネットワークデバイスのスケジューリングを制御するステップ、および／または、第1のネットワークデバイスが、電力使用状態に従って端末デバイスのために第1のネットワークデバイスのスケジューリングを制御するステップ、を含む。
【０２３６】
任意選択で、第1のネットワークデバイスが、電力使用状態に従って端末デバイスのために第2のネットワークデバイスのスケジューリングを制御するステップは、
電力使用状態に従って第1のネットワークデバイスが、第2のネットワークデバイスがその下で端末デバイスに関するスケジューリングを行うことができるスケジューリング制限条件を計算するステップと、第1のネットワークデバイスが、第2のネットワークデバイスへ制御シグナリングを送信するステップであって、制御シグナリングはスケジューリング制限条件を含む、制御シグナリングを送信するステップと
を含む。
【０２３７】
任意選択で、第1のネットワークデバイスが、第2のネットワークデバイスへ制御シグナリングを送信するステップの後に、本方法は、第1のネットワークデバイスが、電力使用状態およびスケジューリング制限条件に従って端末デバイスのために第1のネットワークデバイスのスケジューリングを決定するステップ、をさらに含む。
【０２３８】
任意選択で、第1のネットワークデバイスが、電力使用状態に従って端末デバイスのために第1のネットワークデバイスのスケジューリングを制御するステップは、第1のネットワークデバイスが、電力使用状態に従って端末デバイスのために第1のネットワークデバイスのスケジューリングを決定するステップ、を含む。
【０２３９】
本実施形態では、具体的には、第1のネットワークデバイスが、電力使用状態に従って、端末に関して協調スケジューリングを行う方式については、前述の伝送方法の実施形態4の方式を参照されたく、本実施形態では詳細を繰り返さない。
【０２４０】
さらに、第1のネットワークデバイスが、第2のネットワークデバイスによって送信されたシグナリングを受信するステップの前に、本方法は、第2のネットワークデバイスが、第1のネットワークデバイスへ、PHおよびPHに対応する最大送信電力を含むシグナリングを送信するように、第1のネットワークデバイスが、第2のネットワークデバイスへ通知シグナリングを送信するステップ、をさらに含む。
【０２４１】
本発明の本実施形態においては、第2のセルのサブフレームにチャネル伝送が存在し、電力余力PHが第2のセルの当該サブフレームに対応するときに、第1のネットワークデバイスが、第2のネットワークデバイスによって送信されたシグナリングであって、端末デバイスに対応する第2のセルの電力余力PHおよびPHに対応する最大送信電力を含むシグナリングを受信し、PHおよびPHに対応する最大送信電力に従って、端末デバイスに対応する第2のセルの電力使用状態を取得し、このため、第1のネットワークデバイスはUEに関して協調スケジューリングを行う。このようにして、異なるネットワークデバイス間でのUEの送信電力を適正に割り振ることができ、したがって、リソースが適正に使用される。
【０２４２】
図9は、本発明による端末デバイスの実施形態1の概略的構造図である。図9に示すように、本実施形態で提供される端末デバイス90は、決定モジュール901と送信モジュール902とを含む。
【０２４３】
決定モジュール901は、端末デバイスに対応する第2のセルの電力余力PHを決定するように構成されており、
送信モジュール902は、第1のネットワークデバイスへ、PHおよびPHに対応するチャネル構成情報を送信するように構成されており、第1のネットワークデバイスは第1のセルを制御するネットワークデバイスである。
【０２４４】
任意選択で、チャネルは、物理アップリンク共有チャネルPUSCHおよび物理アップリンク制御チャネルPUCCH、のうちの少なくとも1つのチャネルを含む。
【０２４５】
任意選択で、チャネル構成情報は、
リソースブロックRBの数量、スケジューリング許可方式、伝送フォーマット情報、およびチャネル送信状態情報
のうちの少なくとも1つの情報を含む。
【０２４６】
任意選択で、スケジューリング許可方式は、
半永続的スケジューリング許可、動的スケジューリング許可、およびランダムアクセス応答許可
のうちの少なくとも1つの方式を含む。
【０２４７】
任意選択で、伝送フォーマット情報は、
PUSCHのビット情報、PUSCHが制御情報だけを搬送するかどうか、PUCCHの伝送フォーマット、およびPUCCH伝送のビット情報
のうちの少なくとも1つの情報を含む。
【０２４８】
任意選択で、本デバイスは、
第1のネットワークデバイスによって送信された通知シグナリングを受信するように構成された受信モジュール903であって、通知シグナリングは、端末デバイスに、第1のネットワークデバイスへ、端末デバイスに対応する第2のセルのPHおよびPHに対応するチャネルパラメータ構成情報を送信するよう命令するのに使用される、受信モジュール903
をさらに含む。
【０２４９】
本実施形態の端末デバイスは、電力制御方法の実施形態1の技術的解決策のために使用することができ、本実施形態の実現原理および技術的効果は実施形態1の実現原理および技術的効果と同様であり、ここでは詳細を繰り返さない。
【０２５０】
図10は、本発明による端末デバイスの実施形態2の概略的構造図である。図10に示すように、本実施形態で提供される端末デバイス100は、プロセッサ1001とメモリ1002とを含む。端末デバイス100は、送信機1003と受信機1004とをさらに含むことができる。送信機1003および受信機1004は、プロセッサ1001に接続することができる。送信機1003は、データまたは情報を送信するように構成されており、受信機1004は、データまたは情報を受信するように構成されており、メモリ1001は、実行命令を記憶するように構成されている。端末デバイス100が動作するときに、プロセッサ1001とメモリ1002とは相互に通信し、プロセッサ1001はメモリ内の実行命令を呼び出し、前述の電力制御方法の実施形態1における動作を行うように構成される。
【０２５１】
本実施形態の端末デバイスは、本発明の電力制御方法の実施形態1の技術的解決策を行うように構成することができ、本実施形態の実現原理および技術的効果は実施形態1の実現原理および技術的効果と同様であり、ここでは詳細を繰り返さない。
【０２５２】
図11は、本発明による端末デバイスの実施形態3の概略的構造図である。図11に示すように、本実施形態で提供される端末デバイス110は、決定モジュール1101と送信モジュール1102とを含む。
【０２５３】
決定モジュール1101は、第2のセルのサブフレームにチャネル伝送が存在し、電力余力PHが第2のセルの当該サブフレームに対応するときに、端末デバイスに対応する第2のセルのPHを決定するように構成されており、
送信モジュール1102は、第1のネットワークデバイスへ、PHおよびPHに対応する最大送信電力を送信するように構成されており、第1のネットワークデバイスは第1のセルを制御するネットワークデバイスであり、PHは、事前定義されたチャネル構成情報に基づく、またはシグナリングによって構成されたチャネル構成情報に基づく端末デバイスによる計算を介して獲得され、PHに対応する最大送信電力は、PHに対応する第2のセルのサブフレームにおいて第2のセルのために端末デバイスによって構成される最大送信電力である。
【０２５４】
任意選択で、チャネルは、物理アップリンク共有チャネルPUSCHおよび物理アップリンク制御チャネルPUCCH、のうちの少なくとも1つのチャネルを含む。
【０２５５】
任意選択で、チャネル構成情報は、
リソースブロックRBの数量、スケジューリング許可方式、伝送フォーマット情報、およびチャネル送信状態情報
のうちの少なくとも1つの情報を含む。
【０２５６】
任意選択で、スケジューリング許可方式は、
半永続的スケジューリング許可、動的スケジューリング許可、およびランダムアクセス応答許可
のうちの少なくとも1つの方式を含む。
【０２５７】
任意選択で、伝送フォーマット情報は、
PUSCHのビット情報、PUSCHが制御情報だけを搬送するかどうか、PUCCHの伝送フォーマット、およびPUCCH伝送のビット情報
のうちの少なくとも1つの情報を含む。
【０２５８】
任意選択で、本デバイスは、
第1のネットワークデバイスによって送信された通知シグナリングを受信するように構成された受信モジュール1103であって、通知シグナリングは、端末デバイスに、第1のネットワークデバイスへ、端末デバイスに対応する第2のセルのPHおよびPHに対応する最大送信電力を送信するよう命令するのに使用される、受信モジュール1103
をさらに含む。
【０２５９】
任意選択で、受信モジュールは、シグナリングを受信するようにさらに構成されており、シグナリングはチャネル構成情報を含む。
【０２６０】
本実施形態の端末デバイスは、電力制御方法の実施形態2の技術的解決策のために使用することができ、本実施形態の実現原理および技術的効果は実施形態2の実現原理および技術的効果と同様であり、ここでは詳細を繰り返さない。
【０２６１】
図12は、本発明による端末デバイスの実施形態4の概略的構造図である。図12に示すように、本実施形態で提供される端末デバイス120は、プロセッサ1201とメモリ1202とを含む。端末デバイス120は、送信機1203と受信機1204とをさらに含むことができる。送信機1203および受信機1204は、プロセッサ1201に接続することができる。送信機1203は、データまたは情報を送信するように構成されており、受信機1204は、データまたは情報を受信するように構成されており、メモリ1202は、実行命令を記憶するように構成されている。端末デバイス120が動作するときに、プロセッサ1201とメモリ1202とは相互に通信し、プロセッサ1201はメモリ内の実行命令を呼び出し、前述の電力制御方法の実施形態2における動作を行うように構成される。
【０２６２】
本実施形態の端末デバイスは、本発明の電力制御方法の実施形態2の技術的解決策を行うように構成することができ、本実施形態の実現原理および技術的効果は実施形態2の実現原理および技術的効果と同様であり、ここでは詳細を繰り返さない。
【０２６３】
図13は、本発明によるネットワークデバイスの実施形態1の概略的構造図である。図13に示すように、本実施形態で提供されるネットワークデバイス130は、受信モジュール1301と取得モジュール1302とを含む。
【０２６４】
受信モジュール1301は、端末デバイスによって送信される、端末デバイスに対応する第2のセルの電力余力PHおよびPHに対応するチャネル構成情報を受信するように構成されており、
取得モジュール1302は、PHおよびチャネル構成情報に従って、端末デバイスに対応する第2のセルの電力使用状態を取得するように構成されている。
【０２６５】
任意選択で、チャネルは、物理アップリンク共有チャネルPUSCHおよび物理アップリンク制御チャネルPUCCH、のうちの少なくとも1つのチャネルを含む。
【０２６６】
任意選択で、チャネル構成情報は、
リソースブロックRBの数量、スケジューリング許可方式、伝送フォーマット情報、およびチャネル送信状態情報
のうちの少なくとも1つの情報を含む。
【０２６７】
任意選択で、スケジューリング許可方式は、
半永続的スケジューリング許可、動的スケジューリング許可、およびランダムアクセス応答許可
のうちの少なくとも1つの方式を含む。
【０２６８】
任意選択で、伝送フォーマット情報は、
PUSCHのビット情報、PUSCHが制御情報だけを搬送するかどうか、PUCCHの伝送フォーマット、およびPUCCH伝送のビット情報
のうちの少なくとも1つの情報を含む。
【０２６９】
任意選択で、本デバイスは、
電力使用状態に従って端末デバイスに関する協調スケジューリングを行うように構成された、協調モジュール1303
をさらに含む。
【０２７０】
任意選択で、協調モジュールは、
電力使用状態に従って端末デバイスのために第2のネットワークデバイスのスケジューリングを制御するように構成された第1の制御部であって、第2のネットワークデバイスは第2のセルを制御するネットワークデバイスである、第1の制御部、および／または、電力使用状態に従って端末デバイスのために第1のネットワークデバイスのスケジューリングを制御するように構成された、第2の制御部
を含む。
【０２７１】
任意選択で、第1の制御部は、電力使用状態に従って、第2のネットワークデバイスがその下で端末デバイスに関するスケジューリングを行うことができるスケジューリング制限条件を計算し、第2のネットワークデバイスへ、スケジューリング制限条件を含む、制御シグナリングを送信する、ように特に構成されている。
【０２７２】
任意選択で、第1の制御部は、電力使用状態およびスケジューリング制限条件に従って、端末デバイスのために第1のネットワークデバイスのスケジューリングを決定するようにさらに特に構成されている。
【０２７３】
任意選択で、第2の制御部は、電力使用状態に従って、端末デバイスのために第1のネットワークデバイスのスケジューリングを決定するように特に構成されている。
【０２７４】
任意選択で、本デバイスは、
端末デバイスが第1のネットワークデバイスへPHおよびチャネル構成情報を送信するように、端末デバイスへ通知シグナリングを送信するように構成された、送信モジュール1304
をさらに含む。
【０２７５】
本実施形態のネットワークデバイスは、電力制御方法の実施形態3の技術的解決策のために使用することができ、本実施形態の実現原理および技術的効果は実施形態3の実現原理および技術的効果と同様であり、ここでは詳細を繰り返さない。
【０２７６】
図14は、本発明によるネットワークデバイスの実施形態2の概略的構造図である。図14に示すように、本実施形態で提供されるネットワークデバイス140は、プロセッサ1401とメモリ1402とを含む。ネットワークデバイス140は、送信機1403と受信機1404とをさらに含むことができる。送信機1403および受信機1404は、プロセッサ1401に接続することができる。送信機1403は、データまたは情報を送信するように構成されており、受信機1404は、データまたは情報を受信するように構成されており、メモリ1402は、実行命令を記憶するように構成されている。ネットワークデバイス140が動作するときに、プロセッサ1401とメモリ1402とは相互に通信し、プロセッサ1401はメモリ1402内の実行命令を呼び出し、前述の電力制御方法の実施形態3における動作を行うように構成される。
【０２７７】
本実施形態のネットワークデバイスは、本発明の電力制御方法の実施形態3の技術的解決策を行うように構成することができ、本実施形態の実現原理および技術的効果は実施形態3の実現原理および技術的効果と同様であり、ここでは詳細を繰り返さない。
【０２７８】
図15は、本発明によるネットワークデバイスの実施形態3の概略的構造図である。図15に示すように、本実施形態で提供されるネットワークデバイス150は、受信モジュール1501と取得モジュール1502とを含む。
【０２７９】
受信モジュール1501は、第2のセルのサブフレームにチャネル伝送が存在し、電力余力PHが第2のセルの当該サブフレームに対応するときに、端末デバイスによって送信される、端末デバイスに対応する第2のセルのPHおよびPHに対応する最大送信電力を受信するように構成されており、
取得モジュール1502は、PHおよび最大送信電力に従って、端末デバイスに対応する第2のセルの電力使用状態を取得するように構成されており、PHは、事前定義されたチャネル構成情報に基づく、またはシグナリングによって構成されたチャネル構成情報に基づく端末デバイスによる計算を介して獲得され、PHに対応する最大送信電力は、PHに対応する第2のセルのサブフレームにおいて第2のセルのために端末デバイスによって構成される最大送信電力である。
【０２８０】
任意選択で、チャネルは、物理アップリンク共有チャネルPUSCHおよび物理アップリンク制御チャネルPUCCH、のうちの少なくとも1つのチャネルを含む。
【０２８１】
任意選択で、チャネル構成情報は、
リソースブロックRBの数量、スケジューリング許可方式、伝送フォーマット情報、およびチャネル送信状態情報
のうちの少なくとも1つの情報を含む。
【０２８２】
任意選択で、スケジューリング許可方式は、
半永続的スケジューリング許可、動的スケジューリング許可、およびランダムアクセス応答許可
のうちの少なくとも1つの方式を含む。
【０２８３】
任意選択で、伝送フォーマット情報は、
PUSCHのビット情報、PUSCHが制御情報だけを搬送するかどうか、PUCCHの伝送フォーマット、およびPUCCH伝送のビット情報
のうちの少なくとも1つの情報を含む。
【０２８４】
任意選択で、本デバイスは、
電力使用状態に従って端末デバイスに関する協調スケジューリングを行うように構成された、協調モジュール1503
をさらに含む。
【０２８５】
任意選択で、協調モジュール1503は、
電力使用状態に従って端末デバイスのために第2のネットワークデバイスのスケジューリングを制御するように構成された第1の制御部であって、第2のネットワークデバイスは第2のセルを制御するネットワークデバイスである、第1の制御部、および／または、電力使用状態に従って端末デバイスのために第1のネットワークデバイスのスケジューリングを制御するように構成された、第2の制御部
を含む。
【０２８６】
任意選択で、第1の制御部は、電力使用状態に従って、第2のネットワークデバイスがその下で端末デバイスに関するスケジューリングを行うことができるスケジューリング制限条件を計算し、第2のネットワークデバイスへ、スケジューリング制限条件を含む、制御シグナリングを送信する、ように特に構成されている。
【０２８７】
任意選択で、第1の制御部は、電力使用状態およびスケジューリング制限条件に従って、端末デバイスのために第1のネットワークデバイスのスケジューリングを決定するようにさらに特に構成されている。
【０２８８】
任意選択で、第2の制御部は、電力使用状態に従って、端末デバイスのために第1のネットワークデバイスのスケジューリングを決定するように特に構成されている。
【０２８９】
任意選択で、本デバイスは、
端末デバイスが第1のネットワークデバイスへPHおよびPHに対応する最大送信電力を送信するように、端末デバイスへ通知シグナリングを送信するように構成された、送信モジュール1504
をさらに含む。
【０２９０】
任意選択で、送信モジュール1504は、端末デバイスへシグナリングを送信するようにさらに構成されており、シグナリングはチャネル構成情報を含む。
【０２９１】
本実施形態のネットワークデバイスは、電力制御方法の実施形態4の技術的解決策のために使用することができ、本実施形態の実現原理および技術的効果は実施形態4の実現原理および技術的効果と同様であり、ここでは詳細を繰り返さない。
【０２９２】
図16は、本発明によるネットワークデバイスの実施形態4の概略的構造図である。図16に示すように、本実施形態で提供されるネットワークデバイス160は、プロセッサ1601とメモリ1602とを含む。ネットワークデバイス160は、送信機1603と受信機1604とをさらに含むことができる。送信機1603および受信機1604は、プロセッサ1601に接続することができる。送信機1603は、データまたは情報を送信するように構成されており、受信機1604は、データまたは情報を受信するように構成されており、メモリ1602は、実行命令を記憶するように構成されている。ネットワークデバイス160が動作するときに、プロセッサ1601とメモリ1602とは相互に通信し、プロセッサ1601はメモリ1602内の実行命令を呼び出し、前述の電力制御方法の実施形態4における動作を行うように構成される。
【０２９３】
本実施形態のネットワークデバイスは、本発明の電力制御方法の実施形態4の技術的解決策を行うように構成することができ、本実施形態の実現原理および技術的効果は実施形態4の実現原理および技術的効果と同様であり、ここでは詳細を繰り返さない。
【０２９４】
図17は、本発明によるネットワークデバイスの実施形態5の概略的構造図である。図17に示すように、本実施形態で提供されるネットワークデバイス170は、受信モジュール1701と取得モジュール1702とを含む。
【０２９５】
受信モジュール1701は、第2のネットワークデバイスによって送信されたシグナリングを受信するように構成されており、第2のネットワークデバイスは第2のセルを制御するネットワークデバイスであり、シグナリングは、端末デバイスに対応する第2のセルの電力余力PHおよびPHに対応するチャネル構成情報を含み、
取得モジュール1702は、PHおよびチャネル構成情報に従って、端末デバイスに対応する第2のセルの電力使用状態を取得するように構成されている。
【０２９６】
任意選択で、チャネルは、物理アップリンク共有チャネルPUSCHおよび物理アップリンク制御チャネルPUCCH、のうちの少なくとも1つのチャネルを含む。
【０２９７】
任意選択で、チャネル構成情報は、
リソースブロックRBの数量、スケジューリング許可方式、伝送フォーマット情報、およびチャネル送信状態情報
のうちの少なくとも1つの情報を含む。
【０２９８】
任意選択で、スケジューリング許可方式は、
半永続的スケジューリング許可、動的スケジューリング許可、およびランダムアクセス応答許可
のうちの少なくとも1つの方式を含む。
【０２９９】
任意選択で、伝送フォーマット情報は、
PUSCHのビット情報、PUSCHが制御情報だけを搬送するかどうか、PUCCHの伝送フォーマット、およびPUCCH伝送のビット情報
のうちの少なくとも1つの情報を含む。
【０３００】
任意選択で、本デバイスは、
電力使用状態に従って端末デバイスに関する協調スケジューリングを行うように構成された、協調モジュール1703
をさらに含む。
【０３０１】
任意選択で、協調モジュールは、
電力使用状態に従って端末デバイスのために第2のネットワークデバイスのスケジューリングを制御するように構成された第1の制御部であって、第2のネットワークデバイスは第2のセルを制御するネットワークデバイスである、第1の制御部、および／または
電力使用状態に従って端末デバイスのために第1のネットワークデバイスのスケジューリングを制御するように構成された、第2の制御部
を含む。
【０３０２】
任意選択で、第1の制御部は、電力使用状態に従って、第2のネットワークデバイスがその下で端末デバイスに関するスケジューリングを行うことができるスケジューリング制限条件を計算し、
第2のネットワークデバイスへ、スケジューリング制限条件を含む、制御シグナリングを送信する
ように特に構成されている。
【０３０３】
任意選択で、第1の制御部は、電力使用状態およびスケジューリング制限条件に従って、端末デバイスのために第1のネットワークデバイスのスケジューリングを決定するようにさらに特に構成されている。
【０３０４】
任意選択で、第2の制御部は、電力使用状態に従って、端末デバイスのために第1のネットワークデバイスのスケジューリングを決定するように特に構成されている。
【０３０５】
任意選択で、本デバイスは、
第2のネットワークデバイスが第1のネットワークデバイスへ、端末デバイスに対応する第2のセルの電力余力PHおよびPHに対応するチャネル構成情報を含むシグナリングを送信するように、第2のネットワークデバイスへ通知シグナリングを送信するように構成された、送信モジュール1704
をさらに含む。
【０３０６】
本実施形態のネットワークデバイスは、電力制御方法の実施形態5の技術的解決策のために使用することができ、本実施形態の実現原理および技術的効果は実施形態5の実現原理および技術的効果と同様であり、ここでは詳細を繰り返さない。
【０３０７】
図18は、本発明によるネットワークデバイスの実施形態6の概略的構造図である。図18に示すように、本実施形態で提供されるネットワークデバイス180は、プロセッサ1801とメモリ1802とを含む。ネットワークデバイス180は、送信機1803と受信機1804とをさらに含むことができる。送信機1803および受信機1804は、プロセッサ1801に接続することができる。送信機1803は、データまたは情報を送信するように構成されており、受信機1804は、データまたは情報を受信するように構成されており、メモリ1802は、実行命令を記憶するように構成されている。ネットワークデバイス180が動作するときに、プロセッサ1801とメモリ1802とは相互に通信し、プロセッサ1801はメモリ1802内の実行命令を呼び出し、前述の電力制御方法の実施形態5における動作を行うように構成される。
【０３０８】
本実施形態のネットワークデバイスは、本発明の電力制御方法の実施形態5の技術的解決策を行うように構成することができ、本実施形態の実現原理および技術的効果は実施形態5の実現原理および技術的効果と同様であり、ここでは詳細を繰り返さない。
【０３０９】
図19は、本発明によるネットワークデバイスの実施形態7の概略的構造図である。図19に示すように、本実施形態で提供されるネットワークデバイス190は、受信モジュール1901と取得モジュール1902とを含む。
【０３１０】
受信モジュール1901は、第2のセルのサブフレームにチャネル伝送が存在し、電力余力PHが第2のセルの当該サブフレームに対応するときに、第2のネットワークデバイスによって送信されたシグナリングを受信するように構成されており、第2のネットワークデバイスは第2のセルを制御するネットワークデバイスであり、シグナリングは、端末デバイスに対応する第2のセルのPHおよびPHに対応する最大送信電力を含み、
取得モジュール1902は、PHおよび最大送信電力に従って、端末デバイスに対応する第2のセルの電力使用状態を取得するように構成されており、PHは、事前定義されたチャネル構成情報に基づく、またはシグナリングによって構成されたチャネル構成情報に基づく端末デバイスによる計算を介して獲得され、PHに対応する最大送信電力は、PHに対応する第2のセルのサブフレームにおいて第2のセルのために端末デバイスによって構成される最大送信電力である。
【０３１１】
任意選択で、チャネルは、物理アップリンク共有チャネルPUSCHおよび物理アップリンク制御チャネルPUCCH、のうちの少なくとも1つのチャネルを含む。
【０３１２】
任意選択で、チャネル構成情報は、
リソースブロックRBの数量、スケジューリング許可方式、伝送フォーマット情報、およびチャネル送信状態情報
のうちの少なくとも1つの情報を含む。
【０３１３】
任意選択で、スケジューリング許可方式は、
半永続的スケジューリング許可、動的スケジューリング許可、およびランダムアクセス応答許可
のうちの少なくとも1つの方式を含む。
【０３１４】
任意選択で、伝送フォーマット情報は、
PUSCHのビット情報、PUSCHが制御情報だけを搬送するかどうか、PUCCHの伝送フォーマット、およびPUCCH伝送のビット情報
のうちの少なくとも1つの情報を含む。
【０３１５】
任意選択で、本デバイスは、
電力使用状態に従って端末デバイスに関する協調スケジューリングを行うように構成された、協調モジュール1903
をさらに含む。
【０３１６】
任意選択で、協調モジュールは、
電力使用状態に従って端末デバイスのために第2のネットワークデバイスのスケジューリングを制御するように構成された第1の制御部であって、第2のネットワークデバイスは第2のセルを制御するネットワークデバイスである、第1の制御部、および／または、電力使用状態に従って端末デバイスのために第1のネットワークデバイスのスケジューリングを制御するように構成された、第2の制御部
を含む。
【０３１７】
任意選択で、第1の制御部は、
電力使用状態に従って、第2のネットワークデバイスがその下で端末デバイスに関するスケジューリングを行うことができるスケジューリング制限条件を計算し、
第2のネットワークデバイスへ、スケジューリング制限条件を含む、制御シグナリングを送信する
ように特に構成されている。
【０３１８】
任意選択で、第1の制御部は、電力使用状態およびスケジューリング制限条件に従って、端末デバイスのために第1のネットワークデバイスのスケジューリングを決定するようにさらに特に構成されている。
【０３１９】
任意選択で、第2の制御部は、電力使用状態に従って、端末デバイスのために第1のネットワークデバイスのスケジューリングを決定するように特に構成されている。
【０３２０】
任意選択で、本デバイスは、
第2のネットワークデバイスが、第1のネットワークデバイスへ、PHおよびPHに対応する最大送信電力を含むシグナリングを送信するように、第2のネットワークデバイスへ通知シグナリングを送信するように構成された、送信モジュール1904
をさらに含む。
【０３２１】
本実施形態のネットワークデバイスは、電力制御方法の実施形態6の技術的解決策のために使用することができ、本実施形態の実現原理および技術的効果は実施形態6の実現原理および技術的効果と同様であり、ここでは詳細を繰り返さない。
【０３２２】
図20は、本発明によるネットワークデバイスの実施形態8の概略的構造図である。図20に示すように、本実施形態で提供されるネットワークデバイス200は、プロセッサ2001とメモリ2002とを含む。ネットワークデバイス200は、送信機2003と受信機2004とをさらに含むことができる。送信機2003および受信機2004は、プロセッサ2001に接続することができる。送信機2003は、データまたは情報を送信するように構成されており、受信機2004は、データまたは情報を受信するように構成されており、メモリ2002は、実行命令を記憶するように構成されている。ネットワークデバイス200が動作するときに、プロセッサ2001とメモリ2002とは相互に通信し、プロセッサ2001はメモリ2002内の実行命令を呼び出し、前述の電力制御方法の実施形態6における動作を行うように構成される。
【０３２３】
本実施形態のネットワークデバイスは、本発明の電力制御方法の実施形態6の技術的解決策を行うように構成することができ、本実施形態の実現原理および技術的効果は実施形態6の実現原理および技術的効果と同様であり、ここでは詳細を繰り返さない。
【０３２４】
当業者は、方法実施形態の各ステップの全部または一部を関連ハードウェアに命令するプログラムによって実現することができることを理解するであろう。プログラムはコンピュータ可読記憶媒体に記憶することができる。プログラムが走ると、方法実施形態の各ステップが行われる。前述の記憶媒体は、ROM、RAM、磁気ディスク、光ディスクといった、プログラムコードを記憶することのできる任意の媒体を含む。
【０３２５】
最後に、前述の実施形態は単に、本発明の技術的解決策を説明するためのものにすぎず、本発明を限定するためのものではないことに留意すべきである。本発明は前述の実施形態に関連して詳細に説明されているが、当業者は、本発明の実施形態の技術的解決策の範囲を逸脱することなく、前述の実施形態に記述されている技術的解決策にさらに改変を加え、あるいは、前述の実施形態の一部または全部の技術的特徴に対する等価の置換を行うことができることを理解するはずである。
【符号の説明】
【０３２６】
90  端末デバイス
901  決定モジュール
902  送信モジュール
903  受信モジュール
100  端末デバイス
1001  プロセッサ
1002  メモリ
1003  送信機
1004  受信機
110  端末デバイス
1101  決定モジュール
1102  送信モジュール
1103  受信モジュール
120  端末デバイス
1201  プロセッサ
1202  メモリ
1203  送信機
1204  受信機
130  ネットワークデバイス
1301  受信モジュール
1302  取得モジュール
1303  協調モジュール
1304  送信モジュール
140  ネットワークデバイス
1401  プロセッサ
1402  メモリ
1403  送信機
1404  受信機
150  ネットワークデバイス
1501  受信モジュール
1502  取得モジュール
1503  協調モジュール
1504  送信モジュール
160  ネットワークデバイス
1601  プロセッサ
1602  メモリ
1603  送信機
1604  受信機
170  ネットワークデバイス
1701  受信モジュール
1702  取得モジュール
1703  協調モジュール
1704  送信モジュール
180  ネットワークデバイス
1801  プロセッサ
1802  メモリ
1803  送信機
1804  受信機
190  ネットワークデバイス
1901  受信モジュール
1902  取得モジュール
1903  協調モジュール
1904  送信モジュール
200  ネットワークデバイス
2001  プロセッサ
2002  メモリ
2003  送信機
2004  受信機
【図１】
2016540447.tif 000025
【図２】
2016540447.tif 000026
【図３】
2016540447.tif 000027
【図４】
2016540447.tif 000028
【図５】
2016540447.tif 000029
【図６】
2016540447.tif 000030
【図７】
2016540447.tif 000031
【図８】
2016540447.tif 000032
【図９】
2016540447.tif 000033
【図１０】
2016540447.tif 000034
【図１１】
2016540447.tif 000035
【図１２】
2016540447.tif 000036
【図１３】
2016540447.tif 000037
【図１４】
2016540447.tif 000038
【図１５】
2016540447.tif 000039
【図１６】
2016540447.tif 000040
【図１７】
2016540447.tif 000041
【図１８】
2016540447.tif 000042
【図１９】
2016540447.tif 000043
【図２０】
2016540447.tif 000044
【国際調査報告】
2016540447.tif 000045
2016540447.tif 000046
2016540447.tif 000047
2016540447.tif 000048